(57)【要約】移動物体のネットワークにおいて複数の通信技術の可用性を統合および活用するためのシステムおよび方法は、例えば、自立型車両のネットワークを含む。非限定的な例として、本開示の種々の態様は、リアル・タイムのコンテキストに少なくとも部分的に基づいて、車両ネットワーク内のノードに対し、使用可能な１つ以上の通信経路のフレキシブルな利用を提供する。【選択図】図１
2020509705.tif 000002
【特許請求の範囲】
【請求項１】
乗り物通信ネットワークのモバイル・アクセス・ポイント（ＭＡＰ）であって、
ワイヤレス・ローカル・エリア・ネットワーク（ＷＬＡＮ）無線機と、
乗り物通信ネットワーク無線機と、
セルラ通信ネットワーク無線機と、
プロセッサおよびメモリを備える少なくとも１つのモジュールであって、少なくとも、
前記ＷＬＡＮ無線機を利用して、１つ以上の第１クライアント・デバイスにＷＬＡＮ通信を提供し、
前記セルラ無線機を利用して、１つ以上の第２クライアント・デバイスにセルラ通信を提供し、
前記乗り物通信ネットワーク無線機を利用して、前記乗り物通信ネットワークを通じて、前記提供されたＷＬＡＮ通信および前記提供されたセルラ通信を行う、
ように動作可能である少なくとも１つのモジュールと、
を備える、モバイル・アクセス・ポイント（ＭＡＰ）。
【請求項２】
請求項１記載のモバイル・アクセス・ポイント（ＭＡＰ）において、前記乗り物通信ネットワーク無線機がＤＳＲＣ無線機を備え、前記ＷＬＡＮ無線機がＷｉ−Ｆｉ無線機を備える、モバイル・アクセス・ポイント（ＭＡＰ）。
【請求項３】
請求項１記載のモバイル・アクセス・ポイント（ＭＡＰ）において、前記少なくとも１つのモジュールが、少なくとも前記セルラ通信ネットワーク無線機とセルラ・プロバイダとの間で、前記乗り物通信ネットワークを通じて仮想プライベート・ネットワーク（ＶＰＮ）を利用するように少なくとも部分的に動作することによって、前記乗り物通信ネットワークを通じて、前記提供されたセルラ通信を行うように動作可能である、モバイル・アクセス・ポイント（ＭＡＰ）。
【請求項４】
請求項１記載のモバイル・アクセス・ポイント（ＭＡＰ）において、前記少なくとも１つのモジュールが、少なくとも当該ＭＡＰとセルラ・プロバイダとの間で、前記乗り物通信ネットワークを通じてレイヤ２および／またはレイヤ３カプセル化を利用するように少なくとも部分的に動作することによって、前記乗り物通信ネットワークを通じて、前記提供されたセルラ通信を行うように動作可能である、モバイル・アクセス・ポイント（ＭＡＰ）。
【請求項５】
請求項１記載のモバイル・アクセス・ポイント（ＭＡＰ）において、前記少なくとも１つのモジュールが、前記乗り物通信ネットワークを通じて、またはセルラ通信ネットワークを通じて、前記提供されたＷＬＡＮ通信を行うかについて決定するように動作可能である、モバイル・アクセス・ポイント（ＭＡＰ）。
【請求項６】
請求項１記載のモバイル・アクセス・ポイント（ＭＡＰ）において、前記少なくとも１つのモジュールが、前記乗り物通信ネットワーク無線機を利用して、地理的位置に少なくとも部分的に基づいて、前記提供されたセルラ通信を行うことを決定するように動作可能である、モバイル・アクセス・ポイント（ＭＡＰ）。
【請求項７】
請求項１記載のモバイル・アクセス・ポイント（ＭＡＰ）において、前記少なくとも１つのモジュールが、当該ＭＡＰに関連付けられた乗り物と一緒に移動する、および／または該乗り物内に配置されるクライアント・デバイスにセルラ通信を提供のみするように動作可能である、モバイル・アクセス・ポイント（ＭＡＰ）。
【請求項８】
請求項１記載のモバイル・アクセス・ポイント（ＭＡＰ）において、前記少なくとも１つのモジュールが、前記ＷＬＡＮを利用して、ワイヤレス・ローカル・エリア・ネットワークを介して、前記提供されたセルラ通信を行うように動作可能である、モバイル・アクセス・ポイント（ＭＡＰ）。
【請求項９】
乗り物通信ネットワークのモバイル・アクセス・ポイント（ＭＡＰ）であって、
ワイヤレス・ローカル・エリア・ネットワーク（ＷＬＡＮ）無線機と、
乗り物通信ネットワーク無線機と、
少なくとも１つのセルラ通信ネットワーク無線機と、
プロセッサおよびメモリを備える少なくとも１つのモジュールであって、少なくとも、
前記ＷＬＡＮ無線機を利用して、１つ以上の第１クライアント・デバイスにＷＬＡＮ通信を提供し、
前記乗り物通信ネットワーク無線機を利用して、前記乗り物通信ネットワークを通じて、前記提供されたＷＬＡＮ通信を行い、
前記少なくとも１つのセルラ通信ネットワーク無線機を利用して、１つ以上の第２クライアント・デバイスにセルラ通信を提供し、
前記少なくとも１つのセルラ通信ネットワーク無線機を利用して、セルラ通信ネットワークの基地局を用いて、前記提供されたセルラ通信を行う、
ように動作可能である少なくとも１つのモジュールと、
を備える、モバイル・アクセス・ポイント（ＭＡＰ）。
【請求項１０】
請求項９記載のモバイル・アクセス・ポイント（ＭＡＰ）において、前記少なくとも１つのセルラ通信ネットワーク無線機が、前記１つ以上の第２クライアント・デバイスと直接通信するように動作する第１セルラ通信ネットワーク無線機と、前記セルラ通信ネットワークの前記基地局と直接通信するように動作する第２セルラ通信ネットワークと、を備える、モバイル・アクセス・ポイント（ＭＡＰ）。
【請求項１１】
請求項１０記載のモバイル・アクセス・ポイント（ＭＡＰ）において、前記少なくとも１つのモジュールが、前記第１セルラ通信無線機と前記１つ以上の第２クライアント・デバイスとの間で、前記提供されたセルラ通信を維持している間に、前記第２セルラ通信ネットワーク無線機と前記基地局との間で、前記提供されたセルラ通信における、前記セルラ通信ネットワークの第２基地局への通信をハンドオーバするように動作可能である、モバイル・アクセス・ポイント（ＭＡＰ）。
【請求項１２】
請求項９記載のモバイル・アクセス・ポイント（ＭＡＰ）において、前記少なくとも１つのモジュールが、当該ＭＡＰに関連付けられる乗り物と共に移動する、および／または該乗り物内に配置されるクライアント・デバイスにセルラ通信を提供のみするように動作可能である、モバイル・アクセス・ポイント（ＭＡＰ）。
【請求項１３】
請求項１２記載のモバイル・アクセス・ポイント（ＭＡＰ）において、前記少なくとも１つのモジュールが、前記クライアント・デバイスが前記乗り物に入るときに、セルラ通信ネットワーク基地局から当該ＭＡＰの前記少なくとも１つのセルラ通信ネットワーク無線機への前記クライアント・デバイスのハンドオーバを受けるように動作可能である、モバイル・アクセス・ポイント（ＭＡＰ）。
【請求項１４】
請求項１２記載のモバイル・アクセス・ポイント（ＭＡＰ）において、前記少なくとも１つのモジュールが、クライアント・デバイスが前記乗り物に存在するときに、当該ＭＡＰの前記少なくとも１つのセルラ通信ネットワーク無線機からセルラ通信ネットワーク基地局に、前記クライアント・デバイスをハンドオーバするように動作可能である、モバイル・アクセス・ポイント（ＭＡＰ）。
【請求項１５】
請求項９記載のモバイル・アクセス・ポイント（ＭＡＰ）において、前記少なくとも１つのモジュールが、前記セルラ通信ネットワークを通じて、または、１つ以上の他の通信ネットワークを通じて、前記提供された通信を行うかについて決定するように動作可能であり、前記１つ以上の他の通信ネットワークが前記乗り物通信ネットワークを備える、モバイル・アクセス・ポイント（ＭＡＰ）。
【請求項１６】
請求項９記載のモバイル・アクセス・ポイント（ＭＡＰ）において、前記少なくとも１つのモジュールが、前記少なくとも１つの乗り物通信ネットワーク無線機を利用して、地理的位置に少なくとも部分的に基づいて、前記提供されたセルラ通信を前記セルラ通信ネットワークの基地局と行うことを決定するように動作可能である、モバイル・アクセス・ポイント（ＭＡＰ）。
【請求項１７】
請求項９記載のモバイル・アクセス・ポイント（ＭＡＰ）において、前記少なくとも１つのモジュールが、当該ＭＡＰと前記乗り物通信ネットワークのネットワーク・コントローラとの間で、前記セルラ通信ネットワークを通じてＶＰＮを利用するように少なくとも部分的に動作することによって、前記セルラ通信ネットワークを通じて、前記提供されたＷＬＡＮ通信を行うように動作可能である、モバイル・アクセス・ポイント（ＭＡＰ）。
【請求項１８】
請求項９記載のモバイル・アクセス・ポイント（ＭＡＰ）において、前記少なくとも１つのモジュールが、当該ＭＡＰと前記乗り物通信ネットワークのネットワーク・コントローラとの間で、前記セルラ通信ネットワークを通じてレイヤ２および／またはレイヤ３トンネリングを利用するように少なくとも部分的に動作することによって、前記セルラ通信ネットワークを通じて、前記提供されたＷＬＡＮ通信を行うように動作可能である、モバイル・アクセス・ポイント（ＭＡＰ）。
【請求項１９】
乗り物通信ネットワークのモバイル・アクセス・ポイント（ＭＡＰ）であって、
ワイヤレス・ローカル・エリア・ネットワーク（ＷＬＡＮ）無線機と、
乗り物通信ネットワーク無線機と、
少なくとも１つのセルラ通信ネットワーク無線機と、
プロセッサおよびメモリを備える少なくとも１つのモジュールであって、少なくとも、
前記少なくとも１つのセルラ通信ネットワーク無線機を利用して、１つ以上のクライアント・デバイスにセルラ通信を提供し、
前記提供されたセルラ通信における通信のために、複数の通信ネットワークのうちの通信ネットワークを選択し、前記複数の通信ネットワークがセルラ通信ネットワークおよび前記乗り物通信ネットワークを備え、
前記選択された通信ネットワークを通じて、前記１つ以上のクライアント・デバイスに提供された前記セルラ通信を行う、
ように動作可能である少なくとも１つのモジュールと、
を備える、モバイル・アクセス・ポイント（ＭＡＰ）。
【請求項２０】
請求項１９記載のモバイル・アクセス・ポイント（ＭＡＰ）において、前記複数の通信ネットワークがＷｉ−Ｆｉネットワークを備える、モバイル・アクセス・ポイント（ＭＡＰ）。
【請求項２１】
請求項１９記載のモバイル・アクセス・ポイント（ＭＡＰ）において、前記少なくとも１つのモジュールが、地理的位置に少なくとも部分的に基づいて、前記通信ネットワークを選択するように動作可能である、モバイル・アクセス・ポイント（ＭＡＰ）。
【請求項２２】
請求項１９記載のモバイル・アクセス・ポイント（ＭＡＰ）において、前記少なくとも１つのモジュールが、前記少なくとも１つのセルラ通信ネットワーク無線機を利用して、乗り物内および／または乗り物のまわりで乗り物中心のセルラ通信セルを提供する、モバイル・アクセス・ポイント（ＭＡＰ）。
【請求項２３】
請求項２２記載のモバイル・アクセス・ポイント（ＭＡＰ）において、前記少なくとも１つのモジュールが、前記セルラ通信ネットワークの第１基地局と前記セルラ通信ネットワークの第２基地局との間で、前記乗り物中心のセルラ通信セルをハンドオーバするように動作可能である、モバイル・アクセス・ポイント（ＭＡＰ）。
【請求項２４】
請求項２２記載のモバイル・アクセス・ポイント（ＭＡＰ）において、前記少なくとも１つのモジュールが、前記セルラ通信ネットワークと前記乗り物通信ネットワークとの間で前記乗り物中心のセルラ通信セルをハンドオーバするように動作可能である、モバイル・アクセス・ポイント（ＭＡＰ）。
【請求項２５】
請求項２２記載のモバイル・アクセス・ポイント（ＭＡＰ）において、前記少なくとも１つのモジュールが、前記セルラ通信ネットワークとワイヤレス・ローカル・エリア・ネットワークとの間で前記乗り物中心のセルラ通信セルをハンドオーバするように動作可能である、モバイル・アクセス・ポイント（ＭＡＰ）。
【請求項２６】
請求項１９記載のモバイル・アクセス・ポイント（ＭＡＰ）において、前記ＷＬＡＮ無線機、前記乗り物通信ネットワーク無線機、前記少なくとも１つのセルラ通信ネットワーク無線機、および前記少なくとも１つのモジュールが、同一のハウジング内部に全て配置される、モバイル・アクセス・ポイント（ＭＡＰ）。
【発明の詳細な説明】
【技術分野】
【０００１】
関連出願に対する相互引用／引用による本願への編入
[0001]  本特許出願は、２０１７年３月１日に出願され、"Systems and Method for Integrating and Exploiting the Availability of Multiple Communication Technologies in a Network of Moving Things, for Example Including a Network of Autonomous Vehicles"（例えば自律型車両のネットワークを含む移動物体のネットワークにおいて、複数の通信技術の可用性を統合および活用するためのシステムおよび方法）と題する米国仮特許出願第６２／４６５，４６１号を引用し、それらの優先権を主張し、その権利を主張する。この出願をここで引用したことによって、その内容全体が本願にも含まれるものとする。
【０００２】
[0002]  また、本願は、"Integrated Communication Network for a Network of Moving Things"（移動物体のネットワークのための統合通信ネットワーク）と題し、２０１５年９月２２日に出願された米国仮特許出願第６２／２２１，９９７号、"Systems and Methods for Synchronizing a Network of Moving Things"（移動物体のネットワークを同期させるシステムおよび方法）と題し、２０１５年９月２２に出願された米国仮特許出願第６２／２２２，０１６号、"Systems and Methods for Managing a Network of Moving Things"（移動物体のネットワークを管理するシステムおよび方法）と題し、２０１５年９月２２日に出願された米国仮特許出願第６２／２２２，０４２号、"Systems and Methods for Monitoring a Network of Moving Things"（移動物体のネットワークを監視するシステムおよび方法）と題し、２０１５年９月２２に出願された米国仮特許出願第６２／２２２，０６６号、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号、"Systems and Methods for Managing Mobility in a Network of Moving Things"（移動物体のネットワークにおいてモビリティを管理するシステムおよび方法）と題し、２０１５年９月２２に出願された米国仮特許出願第６２／２２２，０９８号、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号、"Systems and Methods for Interfacing with a Network of Moving Things"（移動物体のネットワークとインターフェースするシステムおよび方法）と題し、２０１５年９月２２日に出願された米国仮特許出願第６２／２２２，１４５号、"Systems and Methods for Interfacing with a User of a Network of Moving Things"（移動物体のネットワークのユーザとインターフェースするシステムおよび方法）と題し、２０１５年９月２２日に出願された米国仮特許出願第６２／２２２，１５０号、"Systems and Methods for Data Storage and Processing for a Network of Moving Things"（移動物体のネットワーク用のデータ記憶および処理システムおよび方法）と題し、２０１５年９月２２日に出願に出願された米国仮特許出願第６２／２２２，１６８号、"Systems and Methods for Vehicle Traffic Management in a Network of Moving Things"（移動物体のネットワークにおける車両交通管理システムおよび方法）と題し、２０１５年９月２２日に出願された米国仮特許出願第６２／２２２，１８３号、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号、"Communication Network of Moving Things"（移動物体の通信ネットワーク）と題し、２０１５年９月２２日に出願された米国仮特許出願第６２／２２２，１９２号、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号、"Using Anchors to Correct GPS Data in a Network of Moving Things"（移動物体のネットワークにおいてＧＰＳデータを補正するためのアンカの使用）と題し、２０１５年１０月２２日に出願された米国仮特許出願第６２／２４４，９３０号、"Systems and Methods for Inter- Application Communication in a Network of Moving Things"（移動物体のネットワークにおけるアプリケーション間通信システムおよび方法）と題し、２０１５年１０月２６日に出願された米国仮特許出願第６２／２４６，３６８号、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号、"Adaptive Rate Control for Vehicular Networks"（車両用ネットワークの適応速度制御）と題し、２０１５年１１月４日に出願された米国仮特許出願第６２／２５０，５４４号、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号、"Systems and Methods for Improving Coverage and Throughput of Mobile Access Points in a Network of Moving Things"（移動物体のネットワークにおいてモバイル・アクセス・ポイントのカバレッジおよびスループットを改善するシステムならびに方法）と題し、２０１５年１２月９日に出願された米国仮特許出願第６２／２６５，２６７号、"Channel Coordination in a Network of Moving Things"（移動物体のネットワークにおけるチャネル調整）と題し、２０１５年１２月２２日に出願された米国仮特許出願第６２／２７０，８５８号、"Systems and Methods for Network Coded Mesh Networking in a Network of Moving Things"（移動物体のネットワークにおけるネットワーク・コード化メッシュ・ネットワーキング・システムおよび方法）と題し、２０１５年１１月２０日に出願された米国仮特許出願第６２／２５７，８５４号、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号、"Systems and Methods for Managing Mobility Controllers and Their Network Interactions in a Network of Moving Things"（移動物体のネットワークにおいてモビリティ・コントローラおよびそれらのネットワーク相互作用を管理するシステムならびに方法）と題し、２０１５年１２月３１日に出願された米国仮特許出願第６２／２７３，７１５号、"Systems and Methods for Managing and Triggering Handovers of Mobile Access Points in a Network of Moving Things"（移動物体のネットワークにおけるモバイル・アクセス・ポイントのハンドオーバを管理およびトリガするシステムならびに方法）と題し、２０１６年１月２１に出願された米国仮特許出願第６２／２８１，４３２号、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号、"Systems and Methods to Extrapolate High-Value Data from a Network of Moving Things"（移動物体のネットワークからの高価値データを推定するシステムおよび方法）と題し、２０１５年１２月２２日に出願された米国仮特許出願第６２／２７０，６７８号、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号、"Systems and Methods for Power Management in a Network of Moving Things"（移動物体のネットワークにおける電力管理システムおよび方法）と題し、２０１６年２月１６日に出願された米国仮特許出願第６２／２９５，６０２号、"Systems and Methods for Automating and Easing the Installation and Setup of the Infrastructure Supporting a Network of Moving Things"（移動物体のネットワークをサポートするインフラストラクチャの設置および設定を自動化および簡易化するためのシステムおよび方法）と題し、２０１６年２月２４日に出願された米国仮特許出願第６２／２９９，２６９号、"Systems and Methods for the Flexible Support of Multi-Homing in a Network of Moving things"（移動物体のネット��ークにおけるマルチ・ホーミングのフレキシブルなサポートのためのシステムおよび方法）と題し、２０１６年１２月２７日に出願された米国仮特許出願第６２／４３９，２５７号に関係がある。これらの特許出願の各々は、その内容全体があらゆる目的に対して本願にも含まれるものとする。
【発明の概要】
【発明が解決しようとする課題】
【０００３】
背景
[0003]  現在の通信ネットワークは、モバイル・ノードおよび静止ノードを含む通信環境を適正にサポートすることができない。非限定的な例として、現在の通信ネットワークは、モバイル・ノードおよび静止ノードの双方の複雑なアレイを含むネットワーク（例えば、移動物体のインターネット、自律型車両ネットワーク等）を適正にサポートすることができない。従来の方法およびシステムの限界や欠点は、このような手法と、本開示の残り部分において図面を参照しながら明記する本発明の方法およびシステムの色々な態様との比較によって、当業者には明らかとなろう。
【図面の簡単な説明】
【０００４】
【図１】図１は、本開示の種々の態様による通信ネットワークのブロック図を示す。
【図２】図２は、本開示の種々の態様による通信ネットワークのブロック図を示す。
【図３】図３は、本開示の種々の態様による都市エリア・ネットワークの図を示す。
【図４】図４は、本開示の種々の態様による通信ネットワークのブロック図を示す。
【図５Ａ】図５Ａは、本開示の種々の態様による通信ネットワークのフレキシビリティおよび／または回復力(resiliency)を表す複数のネットワーク構成を示す。
【図５Ｂ】図５Ｂは、本開示の種々の態様による通信ネットワークのフレキシビリティおよび／または回復力を表す複数のネットワーク構成を示す。
【図５Ｃ】図５Ｃは、本開示の種々の態様による通信ネットワークのフレキシビリティおよび／または回復力を表す複数のネットワーク構成を示す。
【図６】図６は、本開示の種々の態様による通信ネットワーク例のブロック図を示す。
【図７】図７は、本開示の種々の態様により、通信ネットワーク例のブロック図を示す。
【図８】図８は、本開示の種々の態様により、通信ネットワーク・ノード例のブロック図を示す。
【図９】図９は、本開示の種々の態様により、通信ネットワーク例のブロック図を示す。
【図１０】図１０は、本開示の種々の態様により、通信ネットワーク例のブロック図を示す。
【図１１】図１１は、本開示の種々の態様により、通信技術例のブロック図を示す。
【図１２】図１２は、本開示の種々の態様により、通信技術例のブロック図を示す。
【図１３】図１３は、本開示の種々の態様により、通信技術例のブロック図を示す。
【図１４】図１４は、本開示の種々の態様により、通信技術例のブロック図を示す。
【図１５】図１５は、本開示の種々の態様により、通信するための方法例のフロー図を示す。
【発明を実施するための形態】
【０００５】
概要
[0019]  本開示の種々の態様は、例えば自律型車両のネットワークを含む移動物体のネットワークにおいて、複数の通信技術の可用性を統合および活用するためのシステムおよび方法を提供する。非限定的な例として、本開示の種々の態様は、リアル・タイムのコンテキストに少なくとも部分的に基づいて、使用可能な１つ以上の通信経路のフレキシブルな利用を車両ネットワーク内のノードに提供する。
【０００６】
[0020]  本明細書において利用する場合、「回路」(circuits)および「回路」(circuitry)という用語は、物理的な電子コンポーネント（即ち、ハードウェア）、ならびにこのハードウェアを構成することができ、このハードウェアによって実行することができ、および／またはこのハードウェアとそれ以外で関連付けることができるあらゆるソフトウェアおよび／またはファームウェア（「コード」）を指す。本明細書において使用する場合、例えば、特定のプロセッサおよびメモリ（例えば、揮発性または不揮発性メモリ・デバイス、一般的なコンピュータ可読媒体等）は、１つ以上の第１コード・ライン(lines of code)を実行するときに第１「回路」を構成する(comprise)ことができ、１つ以上の第２コード・ラインを実行するときに第２「回路」を構成することができる。加えて、回路はアナログおよび／またはディジタル回路を含むことができる。このような回路(circuitry)は、例えば、アナログおよび／またはディジタル信号に対して動作することができる。なお、回路は１つのデバイスまたはチップ内にあってもよく、１つのマザーボード上にあってもよく、１つのシャーシ内にあってもよく、１箇所の地理的位置における複数のエンクロージャ内にあってもよく、複数の地理的位置にまたがって分散された複数のエンクロージャ内にあってもよい等ということは理解されてしかるべきである。同様に、「モジュール」(module)という用語は、例えば、物理的電子コンポーネント（即ち、ハードウェア）、ならびにハードウェアを構成する、ハードウェアによって実行する、および／またはそれ以外でハードウェアに関連付けることができる任意のソフトウェアおよび／またはファームウェア（「コード」）を指すことができる。
【０００７】
[0021]  本明細書において利用する場合、回路(circuitry)は、この回路が機能を実行するために必要なハードウェアおよびコードを含むときはいつでも（いずれかが必要な場合）、その機能の実行がディスエーブルされているか否か、即ち、イネーブルされていないか否か（例えば、ユーザが変更可能な設定、工場の設定、またはトリミング(trim)等によって）には関係なく、その機能を実行するように「動作可能」である。
【０００８】
[0022]  本明細書において利用する場合、「および／または」とは、「および／または」によって繋げられた一覧における項目の内任意の１つ以上を意味する。一例として、「ｘおよび／またはｙ」は、３つのエレメント集合｛（ｘ）、（ｙ）、（ｘ、ｙ）｝の内の任意のエレメントを意味する。即ち、「ｘおよび／またはｙ」は、「ｘおよびｙの一方または双方」を意味する。別の例として、「ｘ、ｙ、および／またはｚ」は、７つのエレメント集合｛（ｘ）、（ｙ）、（ｚ）、（ｘ、ｙ）、（ｘ、ｚ）、（ｙ、ｚ）、（ｘ、ｙ、ｚ）｝の内の任意のエレメントを意味する。即ち、「ｘ、ｙ、および／またはｚ」は、「ｘ、ｙ、およびｚの内１つ以上」を意味する。本明細書で利用する場合、「例えば」(e.g.)および「例えば」(for example)、「例証的な」(exemplary)等の用語は、１つ以上の非限定的な例、実例、または例示の一覧を明示する(set off)。
【０００９】
[0023]  本明細書において使用する用語は、特定の例について説明することを目的とするだけであり、本開示を限定する意図はない。本明細書において使用する場合、単数形は、前後関係が明確にそうでないことを示すのでない限り、複数形も同様に含むことを意図している。更に、「備える」(comprises)、「含む」(includes)、「備えている」(comprising)、「含んでいる」(including)、「有する」(has)、「有する」(have)、「有している」(having)等の用語が、本明細書において使用されるとき、述べられた特徴、整数、ステップ、動作、エレメント、および／またはコンポーネントの存在を指定するのであるが、１つ以上の他の特徴、整数、ステップ、動作、エレメント、コンポーネント、および／またはそれらの集合の存在または追加を除外するのではないことは理解されよう。
【００１０】
[0024]  なお、第１、第２等の用語が、種々のエレメントを記述するために本明細書において使用される場合があるが、これらのエレメントはこれらの用語によって限定されないことは理解されよう。これらの用語は、１つのエレメントを他のエレメントと区別するために使用されるに過ぎない。つまり、例えば、以下で論ずる第１エレメント、第１コンポーネント、または第１セクションは、本開示の教示から逸脱することなく、第２エレメント、第２コンポーネント、または第２セクションと呼ぶこともできる。同様に、「上位」(upper)、「下位」(lower)、「側」等のような種々の空間的用語は、相対的な意味で１つのエレメントを他のエレメントから区別するときに使用されることがある。しかしながら、コンポーネントの向きが異なる方法で決められることもあり、例えば、本開示の教示から逸脱することなく、ある電子デバイスが横向きにされて、その「上」面が水平に向き、その「側」面が垂直に向くような場合もあることは、理解されてしかるべきである。
【００１１】
[0025]  移動物体および／または静止物体(static things)（例えば、デバイス、機械、人々等）、ならびにこのような物体を互いに接続させるためのロジスティックス（例えば、スマート・ロジスティックス、輸送、環境検知等のコンテキストにおけるロジスティックス）の普及に伴い、例えば、常にオンであり、ロバストであり、スケーラブルであり、安全が確保され、このような物体（または目的物(object)）に対して、どこでもそしていつでも、接続、サービス、およびインターネット・アクセスを提供することができるプラットフォームが望まれている。このようなシステムの種々のコンポーネント内における効率的な電力利用も望まれている。
【００１２】
[0026]  したがって、本開示の種々の態様は、エネルギ効率的に動作しつつ、どこでもそしていつでも、全ての移動物体および／または静止物体（例えば、デバイス、機械、人々、アクセス・ポイント、エンド・ユーザ・デバイス、センサ等）に対して、接続、サービス、およびインターネット・アクセスを提供し、完全に動作可能であり、常にオンであり、応答性が良く、ロバストであり、スケーラブルであり、安全が確保されたプラットフォーム／システム／アーキテクチャを提供する。
【００１３】
[0027]  本開示の種々の態様は、異なる環境の種々の要件、特徴、および要望に対してフレキシブルに構成変更可能であり適応可能なプラットフォームを提供する。各環境は、それぞれのモビリティ・レベル、ならびに移動物体および／または静止物体の密度、更にはこれらの物体へのアクセス数および／またはタイプによって特徴付けることができる。種々の環境の特性には、例えば、ノードの高いモビリティ（例えば、接触または接続を変動させる）、多数の近隣、多数の接続済みモバイル・ユーザ、モバイル・アクセス・ポイント、複数のネットワークおよび技術の利用可能性（例えば、同じエリア内の場合もある）等が含まれる。例えば、プラットフォームの動作モードを、他の環境とは異なることもある、各環境のそれぞれの要件および要望に基づいて、環境毎にフレキシブルに適応させることができる。加えて、例えば、プラットフォームが特定の環境において提供または処理するコンテンツ、サービス、またはデータに基づいて、例えば、異なる目的毎にプラットフォームをフレキシブルに（例えば、設計時／設置時、および／またはリアル・タイムにおいて）最適化することができる（例えば、レイテンシを短縮し、スループットを高め、電力消費を低減し、負荷の均衡を取り、信頼性を高め、障害またはその他の外乱に関して一層ロバストにする等のため）。
【００１４】
[0028]  本開示の種々の態様によれば、このプラットフォーム上で、多くの制御および管理サービス（例えば、モビリティ、セキュリティ、ルーティング等）を提供する（例えば、直接的に、制御オーバーレイを使用して、コンテナを使用して等）。このようなサービスは、現在インターネットまたはその他の通信ネットワーク（複数可）上でデプロイされているサービスと互換性がある。
【００１５】
[0029]  例えば、使用事例に応じて、全体的または部分的に、例えば、公衆および／または個人動作モードで通信ネットワーク（またはプラットフォーム）を動作させることができる。プラットフォームは、例えば、使用事例に応じて（例えば、公衆インターネット・アクセス、公共環境検知、車隊運用(fleet operation)等）、公衆または個人動作モードで動作することができる。
【００１６】
[0030]  加えて、例えば、種々のネットワーク・コンポーネントがモバイルである実施態様では、特定の実施態様の要望に応えるために、輸送および／または信号制御メカニズムを適応させることができる。例えば、無線送信電力および／または速度を適応させることができる（例えば、干渉を軽減するため、電力消費を低減するため、ネットワーク・コンポーネントの寿命を伸ばすため等）。
【００１７】
[0031]  本開示の種々の態様によるプラットフォームの種々の実施態様例は、通常利用できる種々の他のサブシステムが利用できない場合であっても、異なるサブシステムに接続することができる。例えば、このプラットフォームは、種々の内蔵冗長性および障害回復メカニズムを含むことができる。例えば、このプラットフォームは、自己回復能力、自己構成能力、自己適応能力等を含むことができる。このプラットフォームのプロトコルおよび機能は、例えば、異なるレベルのモビリティおよび物体（または目的物）の密度、これらの物体へのアクセス数／タイプによって特徴付けられる異なる環境の要件および特徴に対して自律的および円滑に構成し適応させるように準備することができる。例えば、このプラットフォームの種々の態様は、何らかの決断または全ての決断に影響を及ぼす可能性があるコンテキスト・パラメータを収集することができる。このようなパラメータは、例えば、ローカルに導き出すことができ、近隣、固定ＡＰ、クラウド等から収集することができる。また、このプラットフォームの種々の態様は、例えば、あらゆる判断に役立つように履歴情報を求めることができ、このような情報は、履歴データから、調査から、シミュレータから等で導き出すことができる。加えて、例えば、このプラットフォームの種々の形態は、例えば、ネットワークおよび／または判断自体をリアル・タイムで評価するために、ネットワーク全域において判断を精査(probe)または監視することができる。更に、このプラットフォームの種々の態様は、例えば、ネットワークにおいて意志決定を実施することができる（例えば、精査結果を評価した後に）。このプラットフォームの種々の態様は、例えば、常にまたは繰り返し行われるが有意な利点が全く得られないあらゆる判断（例えば、技術変更、証明書変更、ＩＰ変更等）を回避するために、閾値を設定することができる。また、このプラットフォームの種々の態様は、例えば、ローカルに学習し（例えば、行われた判断によって）、動的に判断を更新することができる。
【００１８】
[0032]  障害に対するロバスト性に加えて（または、その代わりに）、プラットフォームは、同じサブシステム内部において別個のサブシステムまたはエレメント間に存在する複数の接続（または経路）を利用して、システムのロバスト性を高める、および／または負荷均衡化を高めることができる。
【００１９】
[0033]  以下の検討では、通信ネットワークの種々のサブシステム例によって実行される機能の例を紹介する。なお、ここで論ずる機能例は、特定のサブシステム例によって実行される必要も、１つのサブシステムによって実行される必要もないことは理解されてしかるべきである。例えば、ここで紹介するサブシステムは互いに相互作用することができ、データまたは制御サービスを集中的な方法でデプロイすることができ、または、例えば、各サブシステムのエレメント間における協働を利用するために、異なるサブシステム間でそれらの機能を分散させることができる。
【００２０】
[0034]  本開示の種々の態様は、車両（例えば、自動車、バス、トラック、ボート、フォークリフト、人間が運転する車両、自律型および／または遠隔制御車両等）をＷｉ−Ｆｉホットスポットとして利用する通信ネットワークを提供する（例えば、都市規模の車両ネットワーク、積出港(shipping port)の大きさの車両ネットワーク、キャンパス規模のネットワーク等）。なお、本検討全体にわたってＷｉ−Ｆｉが例として全般的に使用されるが、本開示の種々の態様の範囲はそれに限定されるのではないことを注記しておく。例えば、他の無線ＬＡＮ技術、ＰＡＮ技術、ＭＡＮ技術等を利用することもできる。このような利用は、例えば、大量の都市データを収集し、混雑したセルラ・ネットワーク（または他のネットワーク）からのトラフィックの効率的なオフロード(offloading)に対応するための価格効率的な方法を提供する。多くの車両がある被制御エリア（例えば、湾港(ports, harbors)等）では、本開示の種々の態様による通信ネットワークは、既存の企業Ｗｉ−Ｆｉネットワークの無線カバレッジを拡大し、例えば、ＳＩＭカードやセルラ（または他のネットワーク）データ・プランを必要とせずに、車両の運転手（例えば、人、コンピュータ制御等）、およびその他の移動する従業員とのリアル・タイム通信に対応することができる。
【００２１】
[0035]  車両は、これらをＷｉ−Ｆｉ（または一般的な無線）ホットスポットとして有用にする、多くの有利な特性を有することができる。例えば、車両は、一般に、少なくとも１つのバッテリを有し、車両は、一般に、道路レベルで都市中に高密度に拡散し、および／または被制御空間において互いと多くの連絡を結ぶことができ、更に、ＥＵ、米国、およびその他の地域においてインテリジェント輸送システムのために確保されている、５．９ＧＨｚ周波数帯域における通常のＷｉ−Ｆｉの１０倍の範囲と通信することができる。なお、本開示の範囲は、このような５．９ＧＨｚ無線通信に限定されるのではないことを注記しておく。更に、車両は、それらのカバレッジ・エリアをときの経過に連れて広い範囲(swath)に効果的に拡大することができ、１つの車両アクセス・ポイントが、ときの経過に連れて、はるかに多いデータ・ソースと相互作用することを可能にする。
【００２２】
[0036]  本開示の種々の態様によれば、手頃な価格のマルチネットワーク・オンボード・ユニット（ＯＢＵ）を紹介する。なお、本明細書では、ＯＢＵをモバイル・アクセス・ポイント、モバイルＡＰ、ＭＡＰ等とも呼ぶこともあることを注記しておく。ＯＢＵは、例えば、複数のネットワーキング・インタフェース（例えば、Ｗｉ−Ｆｉ、８０２．１１ｐ、４Ｇ、Ｂｌｕｅｔｏｏｔｈ（登録商標）、ＵＷＢ等）を含むことができる。例えば、私有車両および／または公有車両（例えば、個々のユーザ用車両、私有車隊の車両、公有車隊の車両等）の中または上に容易にＯＢＵを設置することができる。例えば、輸送用車隊、ごみ管理用車隊、法律施行用車隊、緊急サービス、道路保守用車隊、タクシー車隊、航空機隊等にＯＢＵを設置することができる。例えば、車両、あるいは移動が自由なその他の構造または比較的移動が限られている構造の中または上にＯＢＵを設置することができる。また、例えば、ＯＢＵを人または使役動物によって携行することができる、自転車に装着することができる、移動機械全般に装着することができる、コンテナに装着することができる等が挙げられる。
【００２３】
[0037]  例えば、ＯＢＵは、通過する車両を、１つ以上のネットワーク・プロバイダ、テレコム事業者等の有線インフラストラクチャに接続するように動作することができる。本明細書において論ずるアーキテクチャ、ハードウェア、およびソフトウェア機能により、車両および車隊を、単にセルラ・ネットワーク（あるいはその他のワイド・エリア・ネットワークまたは都市エリア・ネットワーク等）や、都市または被制御空間全域にわたって拡散された既存のＷｉ−Ｆｉホットスポットに接続することができるだけでなく、他の車両にも接続することができる（例えば、有線インフラストラクチャへのマルチホップ通信、単一またはマルチホップ・ピア・ツー・ピア車両通信等を利用する）。例えば、車両および／または車隊は、通信リンクの全般的なメッシュ(overall mesh)を形成することができ、この全般的なメッシュは、例えば、ＯＢＵや、有線インフラストラクチャ（例えば、ローカル・インフラストラクチャ等）に接続された固定アクセス・ポイント（ＡＰ）も含む。なお、本明細書では、ＯＢＵを「モバイルＡＰ」、「モバイル・ホットスポット」、「ＭＡＰ」等と呼ぶこともあることを注記しておく。また、本明細書では、固定アクセス・ポイントを道路脇ユニット（ＲＳＵ：Road Side Unit)、固定ＡＰ、ＦＡＰ等と呼ぶこともあることも注記しておく。
【００２４】
[0038]  一実施態様例では、ＯＢＵは、比較的長距離のプロトコル（例えば、８０２．１１ｐ等）を利用して固定ＡＰと通信することができ、一方、固定ＡＰは、有線インフラストラクチャにハード・ワイヤ接続することができる（例えば、ケーブル、繋留光リンク(tethered optical link)等によって）。なお、固定ＡＰは、更にまたは代わりに、無線リンク（例えば、８０２．１１ｐ等）を介してインフラストラクチャに結合するのでもよいことを注記しておく。加えて、クライアントまたはユーザ・デバイスは、１つ以上の比較的短距離のプロトコル（例えば、Ｗｉ−Ｆｉ、Ｂｌｕｅｔｏｏｔｈ、ＵＷＢ等）を使用して、ＯＢＵと通信することができる。例えば、典型的なＷｉ−Ｆｉアクセス・ポイントまたはその他の無線ＬＡＮ／ＰＡＮアクセス・ポイント（例えば、少なくとも、８０２．１１ｐ等に基づくもののようなリンクのための）よりも長い有効無線通信距離を有するＯＢＵは、典型的なＷｉ−Ｆｉまたはその他の無線ＬＡＮ／ＰＡＮアクセス・ポイントよりもかなり広いカバレッジ・エリアが可能であり、つまり、地理的エリア上に広大なカバレッジ(blanket coverage)を提供するために必要なＯＢＵが少なくて済む。
【００２５】
[0039]  例えば、ＯＢＵは、長距離通信プロトコル能力（例えば、８０２．１１ｐ等）を構築する(builds on)ロバストな車両ネットワーキング・モジュール（例えば、接続マネージャ）を含む。例えば、ネットワークにおいて固定ＡＰ、車両、およびその他のノードと通信するための８０２．１１ｐ（またはその他の長距離プロトコル）能力を含むことに加えて、ＯＢＵは、エンド・ユーザ・デバイス、センサ、固定Ｗｉ−Ｆｉアクセス・ポイント等に対する無線ローカル・エリア・ネットワーク（ＷＬＡＮ）接続を提供するためのネットワーク・インタフェース（例えば、８０２．１１ａ／ｂ／ｇ／ｎ、８０２．１１ａｃ、８０２．１１ａｆ、これらの任意の組み合わせ等）を含むことができる。例えば、ＯＢＵは、車両（例えば、バス、列車(train car)、タクシー・キャブ、公有作業車両等）内にいるユーザ、および／または車両の周囲にいるユーザに車内Ｗｉ−Ｆｉインターネット・アクセスを提供するように動作することができる。更に、ＯＢＵは１つ以上の無線バックボーン通信インタフェース（例えば、セルラ・ネットワーク・インタフェース等）も含むことができる。種々のシナリオ例では、セルラ・ネットワーク・インタフェース（またはその他の無線バックボーン通信インタフェース）は種々の理由によって（例えば、コスト、電力、帯域幅等）好ましいインタフェースではない場合もあるが、セルラ・ネットワーク・インタフェースは、現在固定ＡＰによってサポートされていない地理的エリアにおいて接続(connectivity)を提供するために利用することができる、フェイル・オーバー通信リンクを提供するために利用することができる、緊急用通信に利用することができる、ローカル・インフラストラクチャ・アクセスに加入するために利用することができる等が挙げられる。また、セルラ・ネットワーク・インタフェースは、例えば、セルラ・ネットワーク事業者によって異なる解決策のデプロイ(deployment)を許容するために利用することもできる。
【００２６】
[0040]  ＯＢＵは、本開示の種々の態様によれば、例えば、スマート接続マネージャを含む。スマート接続マネージャは、インターネットにアクセスするための最良の利用可能な無線リンク（複数可）を選択することができる（例えば、Ｗｉ−Ｆｉ、８０２．１１ｐ、セルラ、車両メッシュ等）。また、ＯＢＵは、例えば、地理的位置能力（例えば、ＧＰＳ等）、車両が移動中か否か判定するための動き検出センサ、および電力制御サブシステム（例えば、ＯＢＵが車両のバッテリを垂れ流ししていないこと等を確認するため）に対応する(provide)ことができる。ＯＢＵは、例えば、本明細書において論ずるセンサ（例えば、環境センサ等）の内任意のものまたは全てを含むことができる。
【００２７】
[0041]  また、ＯＢＵは、例えば、機械間データ取得、ならびにクラウドへおよびクラウドからの転送（例えば、リアル・タイムまたは遅延耐性型）を管理するマネージャも含むことができる。例えば、ＯＢＵは、車両の情報を記録する(log)および／または通信することができる。
【００２８】
[0042]  ＯＢＵは、例えば、接続および／またはルーティング・マネージャを含むことができる。接続および／またはルーティング・マネージャは、車両間／車両対インフラストラクチャ・マルチホップ通信において通信のルーティングを実行するように動作する。モビリティ・マネージャ（または、コントローラ、ＭＣ）は、例えば、異なる技術（例えば、８０２．１１ｐ、セルラ、Ｗｉ−Ｆｉ、衛星等）間で、異なるＭＣ（例えば、フェイル・オーバーのシナリオ、負荷再分配のシナリオ等）間で、異なるインタフェース（またはポート）を跨いで等において、通信セッションが１回以上のハンドオフ（本明細書では、「ハンドオーバ」または「複数のハンドオーバ」とも呼ぶ）を通じて（例えば、異なるモバイルＡＰ、固定ＡＰ、基地局、ホットスポット等の間で）永続することを確保することができる。なお、本明細書では、ＭＣをローカル・モビリティ・アンカ（ＬＭＡ：Local Mobility Anchor）、ネットワーク・コントローラ等と呼ぶこともあることを注記しておく。なお、ＭＣまたは複数のＭＣは、例えば、バックボーンの一部として実装することができるが、それに加えてまたはその代わりに、種々のコンポーネントまたはその組み合わせの内任意のものの一部として実装できることも注記しておく。例えば、ＭＣ固定ＡＰ（またはその分散システム）において、ＯＢＵ（またはその分散システム）の一部として等で実装することができる。システム・コンポーネントおよび／または方法の種々の非限定的な例が、２０１５年９月２２日に出願され、"Systems and Method for Managing Mobility in a Network of Moving Things"（移動物体のネットワークにおいてモビリティを管理するシステムおよび方法）と題する米国仮特許出願第６２／２２２，０９８号において提供されている。この出願をここで引用したことにより、この出願の内容全体が本願にも含まれるものとする。なお、複数のＭＣを含む実施態様例では、このようなＭＣは、同じ場所に配置されてもよく、および／または地理的に分散されてもよいことを注記しておく。
【００２９】
[0043]  また、本開示の種々の態様は、クラウド・ベースのサービス指向アーキテクチャも提供する。これは、ネットワークおよびクライアントのリアル・タイム管理、監視、および報告、データ格納、処理、および管理に必要な機能、Ｗｉ−Ｆｉクライアント認証、ならびにキャプティブ・ポータル・ディスプレイ(Captive Portal display)等を扱う。
【００３０】
[0044]  本開示の種々の態様による通信ネットワーク（またはそのコンポーネント）は、例えば、広範囲のスマート都市アプリケーション（または、被制御シナリオ、または接続されるシナリオ等）および／または使用事例を、本明細書において説明するように、サポートすることができる。
【００３１】
[0045]  例えば、一実施態様例では、各車両（例えば、公営および私営タクシー双方、バス、トラック等）をモバイルＡＰ（例えば、モバイルＷｉ−Ｆｉホットスポット）に変換するように動作して、都市内を移動している、バスの停留所で待っている、公園で座っている従業員、通行人、およびモバイル・ユーザ等にインターネット・アクセスを提供することができる。更に、車両および／または車両隊間で形成される車両メッシュ・ネットワークの一例によって、一実施態様は、都市中に拡散され、重要な場所において公営または私営テレコム事業者の有線インフラストラクチャに接続されたモバイルＷｉ−Ｆｉホットスポットおよび／または固定ＡＰ（例えば、８０２．１１ｐ系ＡＰ）を介して、セルラ・トラフィックを肩代わりさせる(offload)一方で、できるだけ広いカバレッジをできるだけ低いコストで確保するように動作可能にすることもできる。
【００３２】
[0046]  一実施態様例（例えば、通信ネットワークおよび／またはそのコンポーネントの）は、例えば、無数のソースによって生成された、移動中で、直ぐに使用できるまたはできない大量のデータを（例えば、連続的に）収集する大規模都市スキャナ(massive urban scanner)として動作可能にすることもできる。無数のソースは、車内センサまたは車載診断システム・ポート（例えば、ＯＢＤ２等）、自律型車両駆動システムとのインタフェース、都市中に拡散された外部Ｗｉ−Ｆｉ／Ｂｌｕｅｔｏｏｔｈ対応検知ユニットから、車両の運転手および乗員のデバイス（例えば、このようなデバイスおよび／または乗員を特徴付ける情報等）、測位システム・デバイス（例えば、位置情報、速度情報、軌跡情報、走行履歴情報等）等に及ぶ。
【００３３】
[0047]  使用事例に応じて、ＯＢＵは、例えば、車両からデータを送る前に、このデータを処理し（または、計算、変換、操作、集計、合計等）、例えば、個々のアプリケーション毎に適した粒度（例えば、値分解能）およびサンプリング・レート（例えば、時間分解能）を付与することができる。例えば、ＯＢＵは、例えば、システムによって有利と見なされる任意の方法で、データを処理することができる。ＯＢＵは、例えば、収集したデータ（例えば、生データ、前処理したデータ、収集したデータに基づいて計算したメトリックの情報等）をクラウドに（例えば、ネットワークの任意の部分に結合された１つ以上のネットワーク接続型サーバに）効率的で信頼性のある方法で送り、自治体都市運営および輸送サービスの効率、環境的影響、および社会的価値を改善することができる。種々の使用事例については本明細書において説明する。
【００３４】
[0048]  公営バスが都市の経路に沿って移動している、および／またはタクシーがその私営輸送サービスを実行しているというシナリオ例では、ＯＢＵは大量のリアル・タイム・データを測位システム（例えば、ＧＰＳ等）、加速度計モジュール等から収集することができる。次いで、ＯＢＵは、例えば、このようなデータをクラウドに通信することができ、これらのデータは、例えば、このような公営または私営バスおよび／またはタクシー運営を支援するために、処理、報告、検討され、例えば、バスおよびタクシーそれぞれの効率的な遠隔監視および日程計画(scheduling)を支援することができる。
【００３５】
[0049]  一実施態様例では、小型カメラ（または他のセンサ）を、公営バスのドア上部に配された小型単一基板コンピュータ（ＳＢＣ）に結合し、バスに乗る人々および降りる人々、および／またはバス路線に沿った停留所における画像シーケンスをキャプチャすることを可能にし、バスを待っている人々の数を推定することができる。このようなデータは、クラウドに送るために、ＯＢＵによって収集することができる。このようなデータによって、公衆輸送システムは、ピーク、過剰に混雑するバス、路線および停留所、利用が少ないバス、路線および停留所等を検出することができ、リアル・タイムで対策を講じる（例えば、乗客の流れが少なくなる場所および時間には燃料コストおよびＣＯ２排気を低減するために、バスの定期運行(periodicity)を減らす）こと、および体系的な輸送問題を検出することが可能になる。
【００３６】
[0050]  ＯＢＵは、例えば、環境センサの異質な集合体を装備された種々のＷｉ−Ｆｉ対応センサ・デバイスの内任意のものと通信するように動作可能にすることができる。このようなセンサは、例えば、ノイズ・センサ（マイクロフォン等）、ガス・センサ（例えば、ＣＯ、ＮＯ２、０３、揮発性有機化合物（またはＶＯＣ）、ＣＯ２等を検知する）、煙センサ、汚染センサ、天候センサ（例えば、検知温度、湿度、光度、粒子、日射、風速（例えば、風速計）、風向、雨（例えば、雨量計）、光スキャナ、生物計量スキャナ、カメラ、マイクロフォン等）を含むことができる。また、このようなセンサは、ユーザ（例えば、車両の運転手または乗員、通行人等）に関連するセンサ、および／または彼らの個人的なデバイス（例えば、スマートフォンまたはスマート・ウォッチ、生物計量センサ、ウエアラブル・センサ、埋め込みセンサ等）も含むことができる。このようなセンサは、例えば、車両用オン・ボード診断（ＯＢＤ）ユニット、自律型車両駆動システム等に付随するセンサおよび／またはシステムを含むことができる。このようなセンサは、例えば、測位センサ（例えば、ＧＰＳセンサ、Ｇａｌｉｌｅｏセンサ、ＧＬＯＮＡＳＳセンサ等）を含むことができる。なお、このような測位センサは、車両の動作システム（例えば、局所人力制御車両(local human-controlled vehicle)、自律型車両、遠隔人力制御車両等）の一部であってもよいことを注記しておく。このようなセンサは、例えば、コンテナ・センサ（例えば、ゴミ箱センサ、出荷コンテナ・センサ、コンテナ環境センサ、コンテナ追跡センサ等）を含むことができる。
【００３７】
[0051]  一旦車両がこのようなセンサ・デバイスの近傍に入ったなら、無線リンクを確立することができるので、車両（またはそのＯＢＵ）はセンサ・デバイスからセンサ・データを収集し、収集したデータをクラウド内にあるデータベースにアップロードすることができる。次いで、しかるべき行動を起こすことができる。廃棄物管理の実施態様例では、様々な廃棄物管理（または収集）トラックにＯＢＵを装備することができ、ＯＢＵは、コンテナ上に実装されたセンサと周期的に通信して、廃棄物のレベル、最後の収集からの経過時間等についての情報を収集することができる。次いで、このような情報をクラウド（例えば、インターネットに結合された廃棄物管理アプリケーション等）に車両メッシュ・ネットワークを通じて送り、廃棄物管理トラックの日程計画および／または経路決定を改善することができる。なお、常にモバイルＡＰ（例えば、車載センサ）の範囲内に種々のセンサがあるはずである(may)ことを注記しておく。更に（または代わりに）、センサはモバイルであってもよい（例えば、モバイルＡＰまたは固定ＡＰの近くを通過する他の車両に搭載されたセンサ、ドローンに搭載されたセンサ、歩道に装着されたセンサ等）ことも注記しておく。
【００３８】
[0052]  一実施態様例では、例えば、多くの車両、機械、および従業員がある被制御空間（例えば、湾港(port, harbor)、空港、工場、農場、鉱山等）において、本開示の種々の態様による通信ネットワークが、例えば、ＳＩＭカードまたはセルラ料金に基づく通信事業者に依存する解決策(Telco-dependent solution)に頼ることなく、企業および／またはローカルＷｉ−Ｆｉネットワークの無線カバレッジを拡大することができる。このようなシナリオ例では、高価なセルラ・データ・プラン、制限されるデータ・レート、場所によっては貧弱なセルラ・カバレッジを回避することの他に、本開示の種々の態様による通信ネットワークは、信頼性高くそしてリアル・タイムで、大量のデータを収集するおよび／または通信することもできる。このようなデータは、湾港ロジスティクス、輸送作業等を最適化するために使用することができる。
【００３９】
[0053]  例えば、湾港(port and/or harbor)の実施態様では、車両の位置、速度、燃料消費、およびＣＯ２排出についてのリアル・タイム情報を収集することによって、通信ネットワークは、湾港事業者が船の荷積みプロセスの一斉遂行(coordination)を改善し、湾港のスループットを高めることを可能にする。また、例えば、この通信ネットワークは、運転手の行動、自律型車両および／またはその制御システムの挙動、トラックの位置、およびエンジンのステータスの遠隔監視を可能にし、次いでリアル・タイムの通知をドライバ、例えば、人間のドライバおよび／または自動化車両駆動システムに与えることができ（例えば、エンジンを始動させる／停止させる、湾港内部で正しい経路に従う、休憩を取る等のため）、こうして湾港サービスおよび移動(trips)の回数を減らし期間を短縮する。湾港当局者は、例えば、故障したトラックや異常なトラックの循環を素早く検出し、こうして事故を回避し、湾港の効率、セキュリティ、および安全性を高めることができる。加えて、車両は湾港のローカル事業者からＷｉ−Ｆｉアクセス・ポイントに接続すること、ならびにＷｉ−Ｆｉインターネット・アクセスを車両の占有者におよび周囲にいる湾港従業員に提供し、例えば、船員(pilot)が海上にいる間にインターネットを通じて報告を書き上げることによって、時間を節約することが可能になる。
【００４０】
[0054]  図１は、本開示の種々の態様による通信ネットワーク１００のブロック図である。本明細書において論ずる機能の内任意のものまたは全ては、ネットワーク例１００のコンポーネントン例の内任意のものまたは全てによって実行することができる。また、ネットワーク例１００は、例えば、任意のまたは全ての特性を、本明細書において論ずる他の例示の方法、方法ステップ、ノード、ノード・コンポーネント、ネットワーク、および／またはネットワーク・コンポーネント２００、３００、４００、５００から５７０、６００、７００、８００、９００、１０００、１１００、１２００、１３００、１４００、および１５００と共有することができる。
【００４１】
[0055]  ネットワーク例１００は、例えば、クラウドを含む。クラウドは、例えば、種々のネットワーク・レベルのコンポーネントの内任意のものを含むことができる。クラウドは、例えば、ネットワーク１００のコンポーネントを監視および／または制御する種々のサーバ・システム実行アプリケーションの内任意のものを含むことができる。また、このようなアプリケーションは、例えば、ネットワーク接続された情報ソースの大きなアレイの内任意のものからの情報の収集を管理することができる。情報ソースの多くの例が、本明細書において論じられている。クラウド（またはその一部）をときとしてＡＰＩと呼ぶこともある。例えば、クラウド（またはその一部）は、１つ以上のアプリケーション・プログラミング・インタフェース（ＡＰＩ）を提供することができ、他のデバイスはアプリケーション・プログラミング・インタフェース（ＡＰＩ）を、クラウドと通信／相互作用するために使用することができる。
【００４２】
[0056]  クラウドのコンポーネント例は、例えば、種々のマルチクラウド・システムおよびアーキテクチャとの相互動作可能性を管理することができる。他のコンポーネント例（例えば、クラウド・サービス・コンポーネント）は、例えば、種々のクラウド・サービス（例えば、キャプティブ・ポータル・サービス、認証、許可、およびアカウンティング（ＡＡＡ）サービス、ＡＰＩゲートウェイ・サービス等）を提供することができる。更に他のコンポーネント例（例えば、ＤｅｖＣｅｎｔｅｒコンポーネント）は、例えば、ネットワーク監視および／または管理機能を提供し、ソフトウェア更新の実施等を管理することができる。クラウドの更に他のコンポーネント例は、データ格納、データ分析、データ・アクセス等を管理することができる。クラウドの更に別のコンポーネント例は、種々の第三者のアプリケーションおよびサービスの内任意のものを含むことができる。
【００４３】
[0057]  クラウドは、例えば、インターネットを通じて（例えば、１つ以上のインターネット・サービス・プロバイダを利用して）、ネットワーク例１００のバックボーン／コア・インフラストラクチャに結合することができる。インターネットを例として挙げるが、本開示の範囲はそれに限定されるのではないことは理解されてしかるべきである。
【００４４】
[0058]  バックボーン／コアは、例えば、任意の１つ以上の異なる通信インフラストラクチャ・コンポーネントを含むことができる。例えば、１つ以上のプロバイダがバックボーン・ネットワークまたは種々のそのコンポーネントを提供することができる。図１に図示するネットワーク例１００に示すように、バックボーン・プロバイダはワイヤライン・アクセス（例えば、ＰＳＴＮ、ファイバ、ケーブル等）を提供することができる。また、例えば、バックボーン・プロバイダは、無線アクセス（例えば、マイクロ波、ＬＴＥ／セルラ、５Ｇ／ＴＶスペクトル等）を提供することもできる。
【００４５】
[0059]  また、バックボーン／コアは、例えば、１つ以上のローカル・インフラストラクチャ・プロバイダも含むことができる。また、バックボーン／コアは、例えば、個人インフラストラクチャ（例えば、ネットワーク１００の実装者(implementer)、所有者等によって運営される）を含むこともできる。バックボーン／コアは、例えば、種々のバックボーン・サービスの内任意のもの（例えば、ＡＡＡ、モビリティ、監視、アドレッシング、ルーティング、コンテンツ・サービス、ゲートウェイ制御サービス等）を提供することができる。
【００４６】
[0060]  バックボーン／コア・インフラストラクチャは、種々の特性の内任意のものを含むことができ、それらの非限定的な例について本明細書において示す。例えば、バックボーン／コアは、バックボーン・アクセスのための異なる無線技術または有線技術との互換性を有することができる。また、バックボーン／コアは、異なるローカル・プロバイダによって所有されるおよび／またはネットワーク実施者または利害関係者によって所有される公営（例えば、市営、都市、キャンパス等）および／または私営（例えば、湾港(port)、キャンバス等）ネットワーク・インフラストラクチャを処理するように適応可能にすることができる。バックボーン／コアは、例えば、異なる認証、許可、およびアカウンティング（ＡＡＡ）メカニズムを含むこと、および／またはこれとインタフェースすることができる。
【００４７】
[0061]  バックボーン／コア・インフラストラクチャは、例えば、異なる動作モード（例えば、湾港の実施態様におけるＬ２、陸上公衆輸送の実施態様におけるＬ３、ディジタルＩＰネットワーキングの複数の異なるレイヤの内任意の１つ以上、その任意の組み合わせ、その同等物等を利用して）、またはアドレス可能なプールをサポートすることができる。また、バックボーン／コアは、例えば、クラウド・プロバイダ（複数可）および／またはインターネット・サービス・プロバイダ（複数可）に対して非依存型であることができる。加えて、例えば、バックボーン／コアは、ネットワーク１００の任意のまたは全てのサブシステム（例えば、モバイルＡＰまたはＯＢＵ（オン・ボード・ユニット）、固定ＡＰまたはＲＳＵ（道路脇ユニット）、ＭＣ（モビリティコントローラ）またはＬＭＡ（ローカル・モビリティ・アンカ）、あるいはネットワーク・コントローラ等）、および／または第三者システムから来る要求に対して非依存型であることができる。
【００４８】
[0062]  バックボーン／コア・インフラストラクチャは、例えば、異なるデータ記憶／処理システム（例えば、ＭｏｎｇｏＤＢ、ＭｙＳｑｌ、Ｒｅｄｉｓ等）を利用する能力、および／またはこれらとインタフェースする能力を備える(comprise)ことができる。更に、バックボーン／コア・インフラストラクチャは、例えば、インフラストラクチャ、サービス、データ等に対して異なるレベルの同時アクセスを提供することができる。
【００４９】
[0063]  また、ネットワーク例１００は、例えば、固定ホットスポット・アクセス・ネットワークも含むことができる。このような固定ホットスポット・アクセス・ネットワーク２００の種々の特性例を図２に示す。ネットワーク例２００は、例えば、任意のまたは全ての特性を、本明細書において論ずる他の例示の方法、方法ステップ、ノード、ノード・コンポーネント、ネットワークおよび／またはネットワーク・コンポーネント１００、３００、４００，５００〜５７０、６００、７００、８００、９００、１０００、１１００、１２００、１３００、１４００、および１５００と共有することができる。
【００５０】
[0064]  ネットワーク例２００では、固定ＡＰ（例えば、企業固有のＡＰ、公営第三者ＡＰ、私営第三者ＡＰ等）を直接ローカル・インフラストラクチャ・プロバイダおよび／またはワイヤライン／無線バックボーンに接続することができる。また、例えば、ネットワーク例２００は、無線技術によって、種々のＡＰ間にメッシュを含むこともできる。しかしながら、実施態様によっては、種々の有線技術も利用できることを注記しておく。図示のように、異なる固定ホットスポット・アクセス・ネットワークを同じバックボーン・プロバイダに接続することができるが、異なるそれぞれのバックボーン・プロバイダに接続してもよい。バックボーン・アクセスのために無線技術を利用する実施態様例では、このような実施態様は障害に対して比較的耐性を有することができる。例えば、固定ＡＰは、バックホール・インフラストラクチャが故障した場合、バックボーン・ネットワーク（例えば、セルラ、３Ｇ、ＬＴＥ、他のワイドまたは都市エリア・ネットワーク等）への無線通信を利用することができる。また、例えば、このような実施態様は、比較的容易な設置に対応することができる（例えば、事実上どこにでも配することができる、ケーブル電源のない固定ＡＰ）。
【００５１】
[0065]  ネットワーク例２００では、同じ固定ＡＰが同時に多数の固定ＡＰ、モバイルＡＰ（例えば、車両ＯＢＵ等）、デバイス、ユーザ・デバイス、センサ、物体等にアクセスを付与することができる。例えば、複数のモバイル・ホットスポット・アクセス・ネットワーク（例えば、ＯＢＵベースのネットワーク等）が同じ固定ＡＰを利用することができる。また、例えば、同じ固定ＡＰが複数の同時アクセスを他の１つのユニット（例えば、他の固定ＡＰ、モバイルＡＰ、デバイス等）に付与し、例えば、異なるチャネル、異なるラジオ等を利用することもできる。）
【００５２】
[0066]  なお、複数の固定ＡＰをフォールト・トレラント／障害回復の目的に利用してもよいことを注記しておく。一実施態様例では、固定ＡＰおよびそのフェイル・オーバーＡＰが双方共、通常では動作状態にある（例えば、同じスイッチにおいて）のでもよい。また、例えば、１つ以上の固定ＡＰをネットワークにおける種々の場所に、インアクティブ・モードまたは監視モードで配置し、必要とされるときに（例えば、障害に応答して、緊急サービスの必要性に応答して、データ・サージに応答して等）動作状態になるように準備をしておくこともできる。
【００５３】
[0067]  再度図１を参照すると、固定ホットスポット・アクセス・ネットワークの例は、バックボーン・プロバイダ（例えば、１つ以上のバックボーン・プロバイダおよび／またはローカル・インフラストラクチャ・プロバイダ）、モバイル・ホットスポット・アクセス・ネットワーク、１つ以上のエンド・ユーザ・デバイス、および環境への無線通信リンクと共に示されている。また、固定ホットスポット・アクセス・ネットワークの例は、１つ以上のバックボーン・プロバイダ、モバイル・ホットスポット・アクセス・ネットワーク、１つ以上のエンド・ユーザ・デバイス、および環境への有線通信リンクと共に示されている。環境は、種々のデバイスの内任意のものを含むことができる（例えば、車内ネットワーク、デバイス、およびセンサ；自律型車両ネットワーク、デバイス、およびセンサ；海上（または船舶）および湾港ネットワーク、デバイス、およびセンサ；一般的な被制御空間ネットワーク、デバイス、およびセンサ；住居用ネットワーク、デバイス、およびセンサ；災害復旧および緊急時ネットワーク、デバイス、およびセンサ；軍事および航空機ネットワーク、デバイス、およびセンサ；スマート都市ネットワーク、デバイス、およびセンサ；イベント（または会場）ネットワーク、デバイス、およびセンサ；水中および地下ネットワーク、デバイス、およびセンサ；農業用ネットワーク、デバイス、およびセンサ；トンネル（自動車道(auto)、地下道、列車等）ネットワーク、デバイス、およびセンサ；駐車場ネットワーク、デバイス、およびセンサ；セキュリティおよび監視ネットワーク、デバイス、およびセンサ；出荷機器およびコンテナ・ネットワーク、デバイス、およびセンサ；環境制御または監視ネットワーク、デバイス、およびセンサ；市営ネットワーク、デバイス、およびセンサ；廃棄物管理ネットワーク、デバイス、センサ；道路保守ネットワーク、デバイス、およびセンサ、ならびに交通管理ネットワーク、デバイス、およびセンサ；広告ネットワーク、デバイス、およびセンサ等）。
【００５４】
[0068]  また、図１のネットワーク例１００は、モバイル・ホットスポット・アクセス・ネットワークも含む。このようなモバイル・ホットスポット・アクセス・ネットワーク３００の種々の特性例を図３に示す。なお、種々の固定ネットワーク・コンポーネント（例えば、固定ＡＰ）も図示されていることを注記しておく。ネットワーク例３００は、例えば、任意のまたは全ての特性を、本明細書において論ずる、他の例示の方法、方法ステップ、ノード、ノード・コンポーネント、ネットワークおよび／またはネットワーク・コンポーネント１００、２００、４００、５００〜５７０、６００、７００、８００、９００、１０００、１１００、１２００、１３００、１４００、および１５００と共有することができる。
【００５５】
[0069]  ネットワーク例３００は、多種多様なモバイルＡＰ（またはホットスポット）を含み、これらのモバイルＡＰは、ユーザ・デバイスへのアクセスを付与する、センサ・データ収集に対応する、マルチホップ接続(connectivity)を他のモバイルＡＰに提供する等を行う。例えば、ネットワーク例３００は、異なる車隊からの車両（例えば、空中、地上、地下、水上（水中）等）を含む。例えば、ネットワーク例３００は、１つ以上の大量配給／輸送車隊、１つ以上の大量乗客輸送用車隊、私有／公有ユーザ共有車隊、私有車両、都市および市有車隊、保守用車隊、ドローン、船舶（例えば、ボート、船、スピードボート、タグボート、はしけ等）、緊急用車隊（例えば、警察、救急、消防等）等を含む。
【００５６】
[0070]  ネットワーク例３００は、例えば、同じまたは異なる通信技術を使用する、例えば、直接接続されたおよび／またはメッシュ接続された異なる車隊からの車両を示す。また、ネットワーク例３００は、異なる固定ＡＰに同時に接続された車隊も示し、これらは異なるそれぞれのローカル・インフラストラクチャ・プロバイダに属しても、属さなくてもよい。フォールト・トレラント・メカニズムとして、ネットワーク例３００は、例えば、ローカル・ネットワーク・インフラストラクチャが故障した場合またはそれ以外で利用不可能になった場合、車両における長距離無線通信ネットワーク（例えば、セルラ、３Ｇ、４Ｇ、ＬＴＥ等）の利用を含むことができる。同じ車両（例えば、モバイルＡＰまたはＯＢＵ）が、例えば、同じ通信技術（例えば、共有チャネルおよび／またはその異なるそれぞれのチャネル）を使用して、および／または各々毎に異なるそれぞれの通信技術を使用して、複数の車両、デバイス、物体等に同時にアクセスを付与することができる。また、例えば、同じ車両が、例えば、同じ通信技術（例えば、共有チャネルおよび／またはその異なるそれぞれのチャネル、および／または異なる通信技術を使用して）を使用して、他の車両、デバイス、物体等に複数のアクセスを付与することもできる。
【００５７】
[0071]  加えて、複数のネットワーク・エレメントを互いに接続して、フォールト・トレラントまたは障害回復や、スループット向上に対応することができ、あるいは任意のまたは種々のクライアントのネットワーキングの要望に応えることもできる。多くの要望の例を本明細書において示す。例えば、２つのモバイルＡＰ（またはＯＢＵ）を同じ車両に設置すること等も可能である。
【００５８】
[0072]  再度図１を参照すると、モバイル・ホットスポット・アクセス・ネットワークの例は、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、１つ以上のエンド・ユーザ・デバイスへの無線通信リンク、および環境（例えば、本明細書において論ずるセンサまたはシステムの内任意の１つ以上、任意のその他のデバイスまたは機械等）への無線通信リンクと共に示されている。種々の他のコンポーネントへの有線リンクを有するモバイル・ホットスポット・アクセス・ネットワークは示されていないが、そのような有線リンクが少なくとも一時的に（少なくともときおり）ある場合もある。
【００５９】
[0073]  また、図１のネットワーク例１００は、１組のエンド・ユーザ・デバイスも含む。種々のエンド・ユーザ・デバイス例を図４に示す。なお、種々の他のネットワーク・コンポーネント（例えば、固定ホットスポット・アクセス・ネットワーク、モバイル・ホットスポット・アクセス・ネットワーク（複数可）、バックボーン／コア等）も図示されていることを注記しておく。ネットワーク例４００は、例えば、任意のまたは全ての特性を、本明細書において論ずる、他の例示の方法、方法ステップ、ノード、ノード・コンポーネント、ネットワークおよび／またはネットワーク・コンポーネント１００、２００、３００、５００〜５７０、６００、７００、８００、９００、１０００、１１００、１２００、１３００、１４００、および１５００と共有することができる。
【００６０】
[0074]  ネットワーク例４００は、種々のモバイル・ネットワーク接続型デバイス(mobile networked device)を示す。このようなネットワーク・デバイスは、エンド・ユーザ・デバイス（例えば、スマートフォン、タブレット、スマート・ウォッチ、ラップトップ・コンピュータ、ウェブカム、個人用ゲーミング・デバイス、個人用ナビゲーション・デバイス、個人用メディア・デバイス、個人用カメラ、健康管理デバイス、個人用ロケーション・デバイス、監視パネル、プリンタ等）を含むことができる。また、このようなネットワーク接続型デバイスは、一般的な環境において動作する種々のデバイスの内任意のものを含むことができ、そのようなデバイスは、例えば、特定のユーザと関連付けられていなくてもよい（例えば、本明細書において論ずるセンサ・デバイス、車両センサ、市有センサ(municipal sensor)、車隊センサ、道路センサ、環境センサ、セキュリティ・センサ、トラフィック・センサ、廃棄物センサ、天候センサの内任意のものまたは全て、種々の異なるタイプの市有機器または企業の機器の内任意のもの等）。このようなネットワーク接続型デバイスはいずれも、別個のバックボーン、固定ホットスポット・アクセス・ネットワーク、モバイル・ホットスポット・アクセス・ネットワーク等に、同じまたは異なる有線／無線技術を使用して、フレキシブルに接続することができる。
【００６１】
[0075]  モバイル・デバイスは、例えば、複数のデバイス／物体に同時アクセスを付与するＡＰとして動作することができ、一方複数のデバイス／物体は、アド・ホック・ネットワークを形成し、別個のバックボーン・ネットワーク、固定ホットスポット、および／またはモバイルホットスポット・アクセス・ネットワークに接続されたデバイスを最終的に相互接続することができる。デバイス（例えば、本明細書において論ずるデバイスまたはネットワーク・ノードの内任意のものまたは全て）は、例えば、フォールト・トレラントおよび／または負荷均衡の目的で（例えば、複数のＳＩＭカード等を利用して）、別個のバックボーン、固定ホットスポット、および／またはモバイル・ホットスポット・アクセス・ネットワークにアクセスするために、例えば、冗長技術を有することができる。また、デバイスは、例えば、同じプロバイダまたは異なるそれぞれのプロバイダに属す、別個のバックボーン、固定ホットスポット・アクセス・ネットワーク、および／またはモバイル・ホットスポット・アクセス・ネットワークに同時にアクセスすることができる。加えて、例えば、デバイスは他のデバイス／物体に複数のアクセスを（例えば、異なるチャネル、ラジオ等を通じて）付与することができる。
【００６２】
[0076]  再度図１を参照すると、エンド・ユーザ・デバイス例は、バックボーン・プロバイダ（例えば、１つ以上のバックボーン・プロバイダおよび／またはローカル・インフラストラクチャ・プロバイダ）への無線通信リンク、固定ホットスポット・アクセス・ネットワークへの無線通信リンク、モバイルホットスポット・アクセス・ネットワークへの無線通信リンク、および環境への無線通信リンクと共に示されている。また、例えば、エンド・ユーザ・デバイス例は、バックボーン・プロバイダ、固定ホットスポット・アクセス・ネットワーク、モバイルホットスポット・アクセス・ネットワーク、および環境への有線通信リンクと共に示されている。
【００６３】
[0077]  図１に示すネットワーク例１００は、実施時に（例えば、異なるユーザ事例毎に）適応可能であり、および／または、例えば、ネットワーク・コンポーネントがサービスに加入および離脱するに連れてリアル・タイムで適応可能である、フレキシブルなアーキテクチャを有する。図５Ａから図５Ｃは、モード（または構成）例を示すことによって、このようなフレキシビリティを例示する。ネットワーク例５００〜５７０は、例えば、任意のまたは全ての特性を、本明細書において論ずる、他の例示の方法、方法ステップ、ノード、ノード・コンポーネント、ネットワークおよび／またはネットワーク・コンポーネント１００、２００、３００、４００、６００、７００、８００、９００、１０００、１１００、１２００、１３００、１４００、および１５００と共有することができる。例えば、そして限定ではなく、ネットワーク例５００〜５７０において示される通信リンク（例えば、有線リンク、無線リンク等）の内任意のものまたは全ては、総じて、図１のネットワーク例１００において示される、同様に位置する通信リンクと類似する。
【００６４】
[0078]  例えば、本開示の種々の態様は、静止およびモバイル通信ノード双方の複雑なアレイを含む、動的に構成変更可能な通信ネットワーク（例えば、移動物体のインターネット）をサポートするための通信ネットワーク・アーキテクチャ、システム、および方法を提供する。例えば、本開示の種々の態様により実現される通信ネットワークは、種々の固定ノード、モバイル・ノード、および／またはその組み合わせを含む複数の様式(modalities)の内１つで動作することができ、複数の様式は種々のシステムの目的の内任意のものを達成するために選択可能である（例えば、スループット向上、レイテンシ短縮およびパケット損失低減、システムの利用可能性およびロバスト性向上、余裕のある冗長性(extra redundancy)、応答性向上、データおよび／または制御パケットの送信におけるセキュリティ向上、スマート閾値を組み込むことによる構成変更（例えば、技術の変更、証明書の変更、ＩＰの変更等）の回数削減、アクセスが困難な１つまたは複数のデッド・ゾーンにおける接続(connectivity)の提供、保守および更新／アップグレード等のために機器にアクセスする際のコスト低減）。このような様式の少なくとも一部は、例えば、永続的ではないにしても少なくとも一時的に、位置固定ノードによって全体的に構成することができる。
【００６５】
[0079]  図示を簡単にするために、図１（および本明細書におけるその他の図）のシステムまたはネットワーク例１００において示される態様例の多くが図５Ａから図５Ｃから省略されているが、存在してもよい。例えば、図１およびその他の図に示すクラウド、インターネット、およびＩＳＰの態様は、図５Ａから図５Ｃには明示的に示されていないが、これらの構成例のいずれにおいても存在してもよい（例えば、バックボーン・プロバイダ・ネットワークの一部としてまたはそれに結合されて存在する、ローカル・インフラストラクチャ・プロバイダ・ネットワークの一部としてまたはそれに結合されて存在する等）。
【００６６】
[0080]  例えば、第１モード例５００は、通常実行モード、例えば、本明細書において論ずるコンポーネントの全てが存在するモード（または構成）として紹介されている。例えば、第１モード例５００における通信システムは、バックボーン・プロバイダ・ネットワーク、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００６７】
[0081]  図５Ａにおいて、そして図１において更に詳しく示すように、バックボーン・プロバイダ・ネットワークは、１つ以上の有線（または繋留）リンクを介して、第１モード例５００（または構成）において存在する他のエレメントの内任意のものまたは全てに通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、有線リンクを介して通信可能に結合することができる。なお、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（繋留）リンクを介して、通信可能に結合できることも注記しておく。
【００６８】
[0082]  図５Ａにおいて、そして図１において更に詳しく示すように、バックボーン・プロバイダ・ネットワークは、第１モード例５００（または構成）において存在する他のエレメントの内任意のものまたは全てに、１つ以上の無線リンク（例えば、ＲＦリンク、非繋留光リンク等）を介して通信可能に結合することができる。例えば、バックボーン・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。また、種々の構成例において、バックボーン・プロバイダ・ネットワークは、ローカル・インフラストラクチャ・プロバイダ・ネットワークにも１つ以上の無線リンク（または非繋留）リンクを介して通信可能に結合することができる。
【００６９】
[0083]  第１モード例５００（または図５Ａから図５Ｃのモード例の内任意のもの）には示されていないが、１つ以上のサーバをバックボーン・プロバイダ・ネットワークおよび／またはローカル・インフラストラクチャ・ネットワークに通信可能に結合することもできる。図１は、インターネットを通じてバックボーン・プロバイダ・ネットワークに通信可能に結合されたクラウド・サーバの一例を示す。
【００７０】
[0084]  更に図５Ａにおいて、そして図１において更に詳しく示すように、ローカル・インフラストラクチャ・プロバイダ・ネットワークを、第１モード例５００（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークをバックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることを注記しておく。
【００７１】
[0085]  また、明示的には示されていないが、ローカル・インフラストラクチャ・プロバイダ・ネットワークは、第１モード例５００（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。なお、図５Ａの第１モード例５００に示されている、ローカル・インフラストラクチャ・プロバイダ・ネットワークと固定ホットスポット・アクセス・ネットワークとの間における通信リンクは、有線および／または無線でもよいことを注記しておく。
【００７２】
[0086]  また、第１モード例５００では、固定ホットスポット・アクセス・ネットワークが、モバイル・ホットスポット・アクセス・ネットワーク、エンド・ユーザ・デバイス、および／または環境デバイスに、１つ以上の無線リンクを介して通信可能に結合されていることも示されている。このような無線結合の多くの例が、本明細書において示されている。加えて、モバイル・ホットスポット・アクセス・ネットワークも、第１モード例５００において、エンド・ユーザ・デバイスおよび／または環境デバイスに、１つ以上の無線リンクを介して通信可能に結合されていることも示されている。このような無線結合の多くの例が、本明細書において示されている。更に、第１モード例５００では、エンド・ユーザ・デバイスが環境デバイスに１つ以上の無線リンクを介して通信可能に結合されていることも示されている。このような無線結合の多くの例が、本明細書において示されている。なお、種々の実施態様例において、このような無線リンクの内任意のものが、代わりに（または加えて）有線（または繋留）リンクを含んでもよいことを注記しておく。
【００７３】
[0087]  第１モード例５００（例えば、通常モード）では、エンド・ユーザ・デバイスとサーバ（例えば、コンピュータ・システム）との間で、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて、情報（またはデータ）を通信することができる。本明細書において紹介する種々のモード例に見られるように、このような通信は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間で通信される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）通信することができる。また、例えば、エンド・ユーザ・デバイスとサーバとの間で通信される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）通信することもできる。
【００７４】
[0088]  同様に、第１モード例５００（例えば、通常モード）では、環境デバイスとサーバとの間において、モバイル・ホットスポット・アクセス・ネットワーク、固定ホットスポット・アクセス・ネットワーク、ローカル・インフラストラクチャ・プロバイダ・ネットワーク、および／またはバックボーン・プロバイダ・ネットワークを通じて情報（またはデータ）を通信することができる。また、例えば、環境デバイスは、エンド・ユーザ・デバイスと、またはエンド・ユーザ・デバイスを介して通信することもできる（例えば、モバイル・ホットスポット・アクセス・ネットワークの代わりに、またはこれに加えて）。本明細書において紹介する種々のモード例に見られように、このような通信は、環境デバイスとサーバ（例えば、ローカル・インフラストラクチャ・プロバイダ・ネットワークおよび／またはバックボーン・プロバイダ・ネットワークに通信可能に結合されている）との間で、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。
【００７５】
[0089]  例えば、環境デバイスとサーバとの間で通信される情報は、固定ホットスポット・アクセス・ネットワーク、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）通信することができる。また、例えば、環境デバイスとサーバとの間で通信される情報は、バックボーン・プロバイダ・ネットワークを通じて（例えば、モバイル・ホットスポット・アクセス・ネットワーク、固定ホットスポット・アクセス・ネットワーク、および／またはローカル・インフラストラクチャ・プロバイダ・ネットワークを飛ばして）通信することもできる。加えて、例えば、環境デバイスとサーバとの間で通信される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）通信することもできる。
【００７６】
[0090]  本明細書において論じるように、ここで紹介するネットワーク例は、種々の異なるモード（または構成）の内任意のもので動作するように適応的に構成変更可能である。このような適応型構成は、最初の設置時に、および／またはその後の被制御ネットワークの評価時（例えば、本明細書において論じるネットワーク・コンポーネントの内任意のものまたは全てを追加あるいは除去するとき、ネットワーク容量を拡大または除去するとき、カバレッジ・エリアを追加または除去するとき、サービスを追加または除去するとき等）に行うことができる。また、このような適応型構成は、リアル・タイムで、例えば、ネットワーク条件のリアル・タイムの変化（例えば、車両またはユーザ・デバイスの移動、ネットワークまたはコンポーネントの障害、ネットワークまたはコンポーネントの交換あるいは増強活動、ネットワークの過負荷等に基づいて、ネットワークまたはそのコンポーネントが利用可能な否か）に応答して行うこともできる。通信システムが本開示の種々の態様によって動作することができる種々のモードの特性を例示するために、以下のモード例を紹介する。全体的に、第１モード例５００（例えば、通常実行モード）に関係付けて以下の例を論じる。なお、このようなモード例は、単なる例示であり限定でないことを注記しておく。
【００７７】
[0091]  第２モード例（または構成）５１０（例えば、バックボーン利用不可モード）は、例えば、任意のまたは全ての特性を第１モード例５００と共有することができるが、バックボーン・プロバイダ・ネットワークおよびそれとの通信リンクがない。例えば、第２モード例５１０における通信システムは、ローカル・インフラストラクチャ・プロバイダ・ネットワーク、固定ホットスポット・アクセス・ネットワーク、モバイル・ホットスポット・アクセス・ネットワーク、エンド・ユーザ・デバイス、および環境デバイスを含む。
【００７８】
[0092]  図５Ａにおいて、そして図１において更に詳しく示すように、ローカル・インフラストラクチャ・プロバイダ・ネットワークは、第２モード例５１０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００７９】
[0093]  また、明示的には示されていないが、ローカル・インフラストラクチャ・プロバイダ・ネットワークは、第２モード例５１０（または構成）において存在する他のエレメントの内任意のものまたは全てに、１つ以上の無線リンク（例えば、ＲＦリンク、非繋留光リンク等）を介して通信可能に結合することができる。例えば、ローカル・インフラストラクチャ・プロバイダ・ネットワークは、固定ホットスポット・アクセス・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して通信可能に結合することができる。なお、図５Ａの第２モード例５１０において、ローカル・インフラストラクチャ・プロバイダ・ネットワークと固定ホットスポット・アクセス・ネットワーク間に示されている通信リンク（複数可）は有線および／または無線でもよいことを注記しておく。
【００８０】
[0094]  また、第２モード例５１０では、固定ホットスポット・アクセス・ネットワークが、モバイル・ホットスポット・アクセス・ネットワーク、エンド・ユーザ・デバイス、および／または環境デバイスに、１つ以上の無線リンクを介して、通信可能に結合されていることも示されている。このような無線結合の多くの例が本明細書では示されている。加えて、第２モード例５１０では、モバイル・ホットスポット・アクセス・ネットワークが、更に、エンド・ユーザ・デバイスおよび／または環境デバイスに１つ以上の無線リンクを介して通信可能に結合されていることも示されている。このような無線結合の多くの例が本明細書では示されている。更に、第２モード例５１０では、エンド・ユーザ・デバイスが環境デバイスに１つ以上の無線リンクを介して通信可能に結合されていることも示されている。このような無線結合の多くの例が、本明細書において示されている。なお、種々の実施態様例において、このような無線リンクの内任意のものが、代わりに（または加えて）、有線（または繋留）リンクを含んでもよいことを注記しておく。
【００８１】
[0095]  第２モード例５１０（例えば、バックボーン利用不可モード）では、エンド・ユーザ・デバイスとサーバ（例えば、コンピュータ等）との間において、モバイル・ホットスポット・アクセス・ネットワーク、固定ホットスポット・アクセス・ネットワーク、および／またはローカル・インフラストラクチャ・プロバイダ・ネットワークを通じて、情報（またはデータ）を通信することができる。本明細書において紹介する種々のモード例において見られるように、このような通信は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間で通信される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）通信することができる。また、例えば、エンド・ユーザ・デバイスとサーバとの間で通信される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）通信することもできる。
【００８２】
[0096]  同様に、第２モード例５１０（例えば、バックボーン利用不可モード）では、環境デバイスとサーバとの間において、モバイル・ホットスポット・アクセス・ネットワーク、固定ホットスポット・アクセス・ネットワーク、および／またはローカル・インフラストラクチャ・プロバイダ・ネットワークを通じて情報（またはデータ）を通信することができる。また、例えば、環境デバイスがエンド・ユーザ・デバイスと、またはエンド・ユーザ・デバイスを介して通信することもできる（例えば、モバイル・ホットスポット・アクセス・ネットワークの代わりに、またはそれに加えて）。本明細書において紹介する種々のモード例に見られように、このような通信は、環境デバイスとサーバ（例えば、ローカル・インフラストラクチャ・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。
【００８３】
[0097]  例えば、環境デバイスとサーバとの間において通信される情報は、固定ホットスポット・アクセス・ネットワークおよび／またはローカル・インフラストラクチャ・プロバイダ・ネットワークを通じて（例えば、モバイル・ホットスポット・アクセス・ネットワークを飛ばして）通信することができる。また、例えば、環境デバイスとサーバとの間において通信される情報は、ローカル・インフラストラクチャ・プロバイダ・ネットワークを通じて（例えば、モバイル・ホットスポット・アクセス・ネットワークおよび／または固定ホットスポット・アクセス・ネットワークを飛ばして）通信することもできる。
【００８４】
[0098]  第２モード例５１０は、種々の理由の内任意のもののために利用することができ、その非限定的な例が本明細書において示されている。例えば、セキュリティおよび／またはプライバシーの目的のために、公衆クラウド・システムやインターネット全般等への通信アクセスが許可されないように、第２モード例５１０を利用することができる。例えば、全てのネットワーク制御および管理機能が、ローカル・インフラストラクチャ・プロバイダ・ネットワーク（例えば、有線ローカル・ネットワーク等）および／または固定アクセス・ポイント・ネットワーク内にあってもよい。
【００８５】
[0099]  一実施態様例では、通信システムがローカルの湾港当局(local port authority)によって全面的に所有、運営、および／または制御されるのでもよい。セルラ接続に伴う余分な出費を払う必要がない。例えば、セルラ接続能力（例えば、モバイルＡＰ、固定ＡＰ、エンド・ユーザ・デバイス、環境デバイス等において）を設ける必要がない。また、バックボーン・プロバイダ・ネットワークは通常利用可能であるが、現在は利用可能ではないというシナリオにおいて（例えば、サーバ障害のため、通信リンク障害のため、停電のため、一時的なサービスの拒否のため等）、第２モード例５１０を利用できることを注記しておく。
【００８６】
[00100]  第３モード例（または構成）５２０（例えば、ローカル・インフラストラクチャおよび固定ホットスポット利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、およびこれらとの通信リンクがない。例えば、第３モード例５２０における通信システムは、バックボーン・プロバイダ・ネットワーク、モバイル・ホットスポット・アクセス・ネットワーク、エンド・ユーザ・デバイス、および環境デバイスを含む。
【００８７】
[00101]  図５Ａにおいて、そして図１において更に詳しく示すように、バックボーン・プロバイダ・ネットワークは、第３モード例５２０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。なお、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００８８】
[00102]  また、図５Ａにおいて、そして図１において更に詳しく示すように、バックボーン・プロバイダ・ネットワークは、第３モード例５２０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００８９】
[00103]  更に、第３モード例５２０では、モバイル・ホットスポット・アクセス・ネットワークが、エンド・ユーザ・デバイスおよび／または環境デバイスに、１つ以上の無線リンクを介して通信可能に結合されていることも示されている。このような無線結合の多くの例が、本明細書において示されている。更に、第３モード例５２０では、エンド・ユーザ・デバイスが環境デバイスに１つ以上の無線リンクを介して通信可能に結合されていることも示されている。このような無線結合の多くの例が、本明細書において示されている。なお、種々の実施態様例において、このような無線リンクの内任意のものが、代わりに（または加えて）、有線（または繋留）リンクを含んでもよいことを注記しておく。
【００９０】
[00104]  第３モード例５２０（例えば、ローカル・インフラストラクチャおよび固定ホットスポット利用不可モード）では、エンド・ユーザ・デバイスとサーバ（例えば、コンピュータ等）との間において、モバイル・ホットスポット・アクセス・ネットワークおよび／またはバックボーン・プロバイダ・ネットワークを通じて、情報（またはデータ）を通信することができる。本明細書において紹介する種々のモード例において見られるように、このような通信は、エンド・ユーザ・デバイスとサーバとの間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間で通信される情報は、バックボーン・プロバイダ・ネットワークを通じて（例えば、モバイル・ホットスポット・アクセス・ネットワークを飛ばして）通信することができる。
【００９１】
[00105]  同様に、第３動作モード５２０（例えば、ローカル・インフラストラクチャおよび固定ホットスポット利用不可モード）では、環境デバイスとサーバとの間で、モバイル・ホットスポット・アクセス・ネットワークおよび／またはバックボーン・プロバイダ・ネットワークを通じて情報（またはデータ）を通信することができる。また、例えば、環境デバイスは、エンド・ユーザ・デバイスと、またはエンド・ユーザ・デバイスを介して通信することができる（例えば、モバイル・ホットスポット・アクセス・ネットワークの代わりに、またはそれに加えて）。本明細書において紹介する種々のモード例において見られるように、このような通信は、環境デバイスとサーバ（例えば、バックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、環境デバイスとサーバとの間で通信される情報は、バックボーン・プロバイダ・ネットワークを通じて（例えば、モバイル・ホットスポット・アクセス・ネットワークを飛ばして）通信することができる。
【００９２】
[00106]  第３モード例５２０では、全ての制御／管理機能を、例えば、クラウド内に実装することができる。例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【００９３】
[00107]  第３モード例５２０は、種々の理由の内任意のもののために利用することができ、その非限定的な例をここに示す。一実施態様例では、第３モード例５２０は、通信システム機器の設置が増えるに連れて大きくなるデプロイ、例えば、他のモード（例えば、第１モード例５００、第４モード例５３０等）に成長するデプロイの早期段階において利用することができる。また、第３モード例５２０は、ローカル・インフラストラクチャ・プロバイダ・ネットワークおよび固定ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、利用できることも注記しておく。
【００９４】
[00108]  第４モード例（または構成）５３０（例えば、固定ホットスポット利用不可モード）は、例えば、任意のまたは全ての特性を第１モード例５００と共有することができるが、固定ホットスポット・アクセス・ネットワークおよびそれとの通信リンクがない。例えば、第４モード例５３０における通信システムは、バックボーン・プロバイダ・ネットワーク、ローカル・インフラストラクチャ・プロバイダ・ネットワーク、モバイル・ホットスポット・アクセス・ネットワーク、エンド・ユーザ・デバイス、および環境デバイスを含む。
【００９５】
[00109]  図５Ｂにおいて、そして図１において更に詳しく示すように、バックボーン・プロバイダ・ネットワークは、第４モード例５３０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。また、種々の構成例において、バックボーン・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【００９６】
[00110]  また図５Ｂにおいて、そして図１において更に詳しく示すように、バックボーン・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することもできる。例えば、バックボーン・プロバイダ・ネットワークは、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、注記しておく。
【００９７】
[00111]  加えて、図５Ｂにおいて、そして図１において更に詳しく示すように、ローカル・インフラストラクチャ・プロバイダ・ネットワークは、第４モード例５３０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合することもできることも注記しておく。
【００９８】
[00112]  また、明示的には示されていないが、ローカル・インフラストラクチャ・プロバイダ・ネットワークは、第４モード例５３０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク（またはその任意のコンポーネント）、モバイル・ホットスポット・アクセス・ネットワーク（またはその任意のコンポーネント）、エンド・ユーザ・デバイス、および／または環境デバイスに、１つ以上の無線リンクを介して、通信可能に結合することができる。
【００９９】
[00113]  モバイル・ホットスポット・アクセス・ネットワークは、更に、第４モード例５３０では、エンド・ユーザ・デバイスおよび／または環境デバイスに、１つ以上の無線リンクを介して通信可能に結合されていることも示されている。このような無線結合の多くの例が、本明細書において示されている。更に、第４モード例５３０では、エンド・ユーザ・デバイスが環境デバイスに１つ以上の無線リンクを介して通信可能に結合されていることも示されている。このような無線結合の多くの例が、本明細書において示されている。
【０１００】
[00114]  第４モード例５３０（例えば、固定ホットスポット除外モード）では、エンド・ユーザ・デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を通信することができる。本明細書において紹介する種々のモード例において見られるように、このような通信は、エンド・ユーザ・デバイスとサーバとの間において、 種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間で通信される情報は、ローカル・インフラストラクチャ・プロバイダ・ネットワークおよび／またはバックボーン・プロバイダ・ネットワークを通じて（例えば、モバイル・ホットスポット・アクセス・ネットワークを飛ばして）通信することができる。また、例えば、エンド・ユーザ・デバイスとサーバとの間で通信される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）通信することもできる。
【０１０１】
[00115]  同様に、第４モード例５３０（例えば、固定ホットスポット利用不可モード）では、環境デバイスとサーバとの間において、モバイル・ホットスポット・アクセス・ネットワーク、ローカル・インフラストラクチャ・プロバイダ・ネットワーク、および／またはバックボーン・プロバイダ・ネットワークを通じて、情報（またはデータ）を通信することができる。また、例えば、環境デバイスは、エンド・ユーザ・デバイスと、またはこれを介して（例えば、モバイル・ホットスポット・アクセス・ネットワークの代わりに、またはこれに加えて）通信することもできる。本明細書において紹介する種々のモード例において見られるように、このような通信は、環境デバイスとサーバ（例えば、ローカル・インフラストラクチャ・プロバイダ・ネットワークおよび／またはバックボーン・プロバイダ・ネットワークに通信可能に結合されている）との間で、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。
【０１０２】
[00116]  例えば、環境デバイスとサーバとの間で通信される情報は、ローカル・インフラストラクチャ・プロバイダ・ネットワーク、および／またはバックボーン・プロバイダ・ネットワークを通じて（例えば、モバイル・ホットスポット・アクセス・ネットワークを飛ばして）通信することができる。また、例えば、環境デバイスとサーバとの間で通信される情報は、バックボーン・プロバイダ・ネットワークを通じて（例えば、モバイル・ホットスポット・アクセス・ネットワークおよび／またはローカル・インフラストラクチャ・プロバイダ・ネットワークを飛ばして）通信することもできる。加えて、例えば、環境デバイスとサーバとの間で通信される情報は、ローカル・インフラストラクチャ・プロバイダ・ネットワークを通じて（例えば、モバイル・ホットスポット・アクセス・ネットワークおよび／またはバックボーン・プロバイダ・ネットワークを飛ばして）通信することもできる。
【０１０３】
[00117]  第４モード例５３０における一実施態様例では、制御／管理機能の一部を、例えば、ローカル・バックボーン・プロバイダ・ネットワーク内（例えば、クライアント構内）に実装することもできる。例えば、ローカル・インフラストラクチャ・プロバイダへの通信は、バックボーン・プロバイダ・ネットワーク（またはクラウド）を通じて実行することができる。なお、ローカル・インフラストラクチャ・プロバイダ・ネットワークとモバイル・ホットスポット・アクセス・ネットワークとの間に直接通信経路があるシナリオでは、このような通信経路を利用できることを注記しておく。
【０１０４】
[00118]  例えば、モバイル・ホットスポット・アクセス・ネットワークは、固定ホットスポット・アクセス・ネットワークを経由する通信リンクを有していないので、モバイルＡＰはバックボーン・プロバイダ・ネットワーク（またはクラウド）との直接接続（例えば、セルラ接続）を利用することができる。モバイルＡＰがこのような能力を有していない場合、モバイルＡＰは、例えば、それに通信可能に結合されたエンド・ユーザ・デバイスによって付与されるデータ・アクセスを利用することもできる（例えば、エンド・ユーザ・デバイスのデータ・プランを利用する）。
【０１０５】
[00119]  第４モード例５３０は、種々の理由の内任意のもののために利用することができ、その非限定的な例をここに示す。一実施態様例では、第４モード例５３０は、通信システム機器の設置が増えるに連れて大きくなるデプロイ、例えば、他のモード（例えば、第１モード例５００等）に成長するデプロイの早期段階において利用することができる。第４モード例５３０は、例えば、固定ＡＰにファイバ（またはその他の）接続が利用できないというシナリオ（例えば、海上におけるシナリオ、農園におけるシナリオ等）、または固定ＡＰにアクセスまたは接続することが難しいというシナリオにおいて利用することができる。例えば、モバイル・ホットスポット・アクセス・ネットワークの１つ以上のモバイルＡＰを、クラウドに到達するためのゲートウェイとして使用することができる。また、第４モード例５３０は、例えば、車両隊および／またはそれに関連するモバイルＡＰが第１エンティティによって所有され、固定ＡＰが他のエンティティによって所有され、モバイルＡＰと固定ＡＰとの間の通信について現在同意がないときに利用することもできる。また、第４モード例５３０は、固定ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、利用できることも注記しておく。
【０１０６】
[00120]  第５モード例（または構成）５４０（例えば、モバイル・ホットスポット利用不可モード）は、例えば、任意のまたは全ての特性を第１モード例５００と共有することができるが、モバイル・ホットスポット・アクセス・ネットワークおよびその通信リンクがない。例えば、第５モード例５４０における通信システムは、バックボーン・プロバイダ・ネットワーク、ローカル・インフラストラクチャ・プロバイダ・ネットワーク、固定ホットスポット・アクセス・ネットワーク、エンド・ユーザ・デバイス、および環境デバイスを含む。
【０１０７】
[00121]  図５Ｂにおいて、そして図１において更に詳しく示すように、バックボーン・プロバイダ・ネットワークは、第５モード例５４０（または構成）において存在する他のエレメントの内任意のものまたは全てに、１つ以上の有線（または繋留）リンクを介して、通信可能に結合することができる。例えば、バックボーン・プロバイダ・ネットワークは、ローカル・インフラストラクチャ・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。
【０１０８】
[00122]  また、図５Ｂにおいて、そして図１において更に詳しく示すように、バックボーン・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。また、種々の構成例において、バックボーン・プロバイダ・ネットワークは、ローカル・インフラストラクチャ・プロバイダ・ネットワークにも、１つ以上の無線（または非繋留）リンクを介して、通信可能に結合できることも注記しておく。
【０１０９】
[00123]  加えて、図５Ｂにおいて、そして図１において更に詳しく示すように、ローカル・インフラストラクチャ・プロバイダ・ネットワークは、第５モード例５４０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、バックボーン・プロバイダ・ネットワーク（またはその任意のコンポーネント）、固定ホットスポット・アクセス・ネットワーク（またはその任意のコンポーネント）、エンド・ユーザ・デバイス、および／または環境デバイスに、１つ以上の有線リンクを介して、通信可能に結合することができる。なお、このような有線結合は一時的であってもよいことを注記しておく。また、種々の構成例において、ローカル・インフラストラクチャ・プロバイダ・ネットワークは、少なくとも一時的に、モバイル・ホットスポット・アクセス・ネットワーク（またはその任意のコンポーネント）にも、１つ以上の有線（または繋留）リンクを介して、通信可能に結合できることも注記しておく。
【０１１０】
[00124]  また、明示的には示されていないが、ローカル・インフラストラクチャ・プロバイダ・ネットワークは、第５モード例５４０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、バックボーン・プロバイダ・ネットワーク、固定ホットスポット・アクセス・ネットワーク（またはその任意のコンポーネント）、エンド・ユーザ・デバイス、および／または環境デバイスに、１つ以上の無線リンクを介して、通信可能に結合することができる。なお、図５Ｂの第５モード例５４０において、ローカル・インフラストラクチャ・プロバイダ・ネットワークと固定ホットスポット・アクセス・ネットワークとの間における通信リンク（複数可）は、有線および／または無線であってもよいことを注記しておく。
【０１１１】
[00125]  また、固定ホットスポット・アクセス・ネットワークは、第５モード例５４０では、エンド・ユーザ・デバイスおよび／または環境デバイスに、１つ以上の無線リンクを介して通信可能に結合されていることも示されている。このような無線結合の多くの例が、本明細書において示されている。更に、第５モード例５４０では、エンド・ユーザ・デバイスが環境デバイスに１つ以上の無線リンクを介して通信可能に結合されていることも示されている。このような無線結合の多くの例が、本明細書において示されている。
【０１１２】
[00126]  第５モード例５４０（例えば、モバイル・ホットスポット利用不可モード）では、エンド・ユーザ・デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を通信することができる。本明細書において紹介する種々のモード例において見られるように、このような通信は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間において通信される情報は、ローカル・インフラストラクチャ・プロバイダ・ネットワーク、および／またはバックボーン・プロバイダ・ネットワークを通じて（例えば、固定ホットスポット・アクセス・ネットワークを飛ばして）通信することができる。また、例えば、エンド・ユーザ・デバイスとサーバとの間において通信される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）通信することもできる。
【０１１３】
[00127]  同様に、第５モード例５４０（例えば、モバイル・ホットスポット利用不可モード）では、環境デバイスとサーバとの間において、固定ホットスポット・アクセス・ネットワーク、ローカル・インフラストラクチャ・プロバイダ・ネットワーク、および／またはバックボーン・プロバイダ・ネットワークを通じて、情報（またはデータ）を通信することができる。また、例えば、環境デバイスは、エンド・ユーザ・デバイスと、またはこれを介して（例えば、固定ホットスポット・アクセス・ネットワークの代わりに、またはこれに加えて）通信することができる。本明細書において紹介する種々のモード例において見られるように、このような通信は、環境デバイスとサーバ（例えば、ローカル・インフラストラクチャ・プロバイダ・ネットワークおよび／またはバックボーン・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。
【０１１４】
[00128]  例えば、環境デバイスとサーバとの間において通信される情報は、ローカル・インフラストラクチャ・プロバイダ・ネットワークおよび／またはバックボーン・プロバイダ・ネットワークを通じて（例えば、固定ホットスポット・アクセス・ネットワークを飛ばして）通信することができる。また、例えば、環境デバイスとサーバとの間において通信される情報は、バックボーン・プロバイダ・ネットワークを通じて（例えば、固定ホットスポット・アクセス・ネットワークおよび／またはローカル・インフラストラクチャ・プロバイダ・ネットワークを飛ばして）通信することもできる。加えて、例えば、環境デバイスとサーバとの間において通信される情報は、ローカル・インフラストラクチャ・プロバイダ・ネットワークを通じて（例えば、固定ホットスポット・アクセス・ネットワークおよび／またはバックボーン・プロバイダ・ネットワークを飛ばして）通信することができる。
【０１１５】
[00129]  第５モード例５４０における一実施態様例では、エンド・ユーザ・デバイスおよび環境デバイスは固定ＡＰに直接（例えば、イーサネット（登録商標）、Ｗｉ−Ｆｉ等を利用して）通信することができる。また、例えば、エンド・ユーザ・デバイスおよび／または環境デバイスは、バックボーン・プロバイダ・ネットワークと直接（例えば、セルラ接続等を利用して）通信することもできる。
【０１１６】
[00130]  第５モード例５４０は、種々の理由の内任意のもののために利用することができ、その非限定的な例をここに示す。エンド・ユーザ・デバイスおよび／または環境デバイスが固定ＡＰと直接通信することができる一実施態様例では、このような通信をモバイルＡＰ通信の代わりに利用することができる。例えば、固定ホットスポット・アクセス・ネットワークは、全ての所望のエリアに対してカバレッジを提供することもできる。
【０１１７】
[00131]  また、固定ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、第５モード例５４０を利用できることを注記しておく。
【０１１８】
[00132]  第６モード例（または構成）５５０（例えば、固定／モバイル・ホットスポットおよびローカル・インフラストラクチャ利用不可モード）は、例えば、任意のまたは全ての特性を第１モード例５００と共有することができるが、ローカル・インフラストラクチャ・プロバイダ・ネットワーク、固定ホットスポット・アクセス・ネットワーク、モバイル・ホットスポット・アクセス・ネットワーク、およびこれらとの通信リンクがない。例えば、第６モード例５５０における通信システムは、バックボーン・プロバイダ・ネットワーク、エンド・ユーザ・デバイス、および環境デバイスを含む。
【０１１９】
[00133]  図５Ｂにおいて、そして図１において更に詳しく示すように、バックボーン・プロバイダ・ネットワークは、第６モード例５５０（または構成）において存在する他のエレメントの内任意のものまたは全てに、１つ以上の有線（または繋留）リンクを介して、通信可能に結合することができる。例えば、バックボーン・プロバイダ・ネットワークは、エンド・ユーザ・デバイスおよび／または環境デバイスに、１つ以上の有線リンクを介して、通信可能に結合することができる。なお、このような有線結合は一時的であってもよいことを注記しておく。
【０１２０】
[00134]  また、図５Ｂにおいて、そして図１において更に詳しく示すように、バックボーン・プロバイダ・ネットワークは、第６モード例５５０（または構成）において存在する他のエレメントの内任意のものまたは全てに、１つ以上の無線リンク（例えば、ＲＦリンク、非繋留光リンク等）を介して、通信可能に結合することができる。例えば、バックボーン・プロバイダ・ネットワークは、エンド・ユーザ・デバイスおよび／または環境デバイスに１つ以上の無線リンクを介して通信可能に結合することができる。
【０１２１】
[00135]  また、第６モード例５５０では、エンド・ユーザ・デバイスは、１つ以上の無線リンクを介して環境デバイスに通信可能に結合されていることも示されている。このような無線結合の多くの例が、本明細書において示されている。
【０１２２】
[00136]  第６モード例５５０（例えば、固定／モバイル・ホットスポットおよびローカル・インフラストラクチャ利用不可モード）では、エンド・ユーザ・デバイスとサーバとの間において、バックボーン・プロバイダ・ネットワークを通じて情報（またはデータ）を通信することができる。同様に、第６モード例５５０（例えば、固定／モバイル・ホットスポットおよびローカル・インフラストラクチャ利用不可モード）では、環境デバイスとサーバとの間において、バックボーン・プロバイダ・ネットワークを通じて情報（またはデータ）を通信することができる。また、例えば、環境デバイスは、エンド・ユーザ・デバイスと、またはこれを介して（例えば、モバイル・ホットスポット・アクセス・ネットワークの代わりに、またはそれに加えて）通信することができる。
【０１２３】
[00137]  第６モード例５５０は、種々の理由の内任意のもののために利用することができ、その非限定的な例をここに示す。例えば、エンド・ユーザが未だ通信システムに加入していないという一実施態様例では、エンド・ユーザ・デバイスは、クラウド・アプリケーションを介して、そしてバックボーン・プロバイダ・ネットワークと直接通信することによって（例えば、セルラ・リンク等を介して）、システムに加入することができる。また、第６モード例５５０は、例えば、モバイルＡＰの存在がまばらであり、固定ＡＰの設置が困難であるまたは実用的でない等の地方エリアにおいて利用することができる。
【０１２４】
[00138]  また、インフラストラクチャ・プロバイダ・ネットワーク、固定ホットスポット・アクセス・ネットワーク、および／またはモバイル・ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、第６モード例５５０を利用できることを注記しておく。
【０１２５】
[00139]  第７モード例（または構成）５６０（例えば、バックボーンおよびモバイル・ホットスポット利用不可モード）は、例えば、任意のまたは全ての特性を第１モード例５００と共有することができるが、バックボーン・プロバイダ・ネットワーク、モバイル・ホットスポット・アクセス・ネットワーク、およびそれらとの通信リンクがない。例えば、第６モード例５６０における通信システムは、ローカル・インフラストラクチャ・プロバイダ・ネットワーク、固定ホットスポット・アクセス・ネットワーク、エンド・ユーザ・デバイス、および環境デバイスを含む。
【０１２６】
[00140]  図５Ｃにおいて、そして図１において更に詳しく示すように、ローカル・インフラストラクチャ・プロバイダ・ネットワークは、第７モード例５６０（または構成）において存在する他のエレメントの内任意のものまたは全てに、１つ以上の有線（または繋留）リンクを介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の有線リンクを介して、通信可能に結合することができる。このような有線結合は一時的であってもよいことを注記しておく。
【０１２７】
[00141]  また、明示的には示されていないが、ローカル・インフラストラクチャ・プロバイダ・ネットワークは、第７モード例５６０（または構成）において存在する他のエレメントの内任意のものまたは全てに、１つ以上の無線リンク（例えば、ＲＦリンク、非繋留光リンク等）を介して、通信可能に結合することができる。例えば、ローカル・インフラストラクチャ・プロバイダ・ネットワークは、固定ホットスポット・アクセス・ネットワーク（またはその任意のコンポーネント）、エンド・ユーザ・デバイス、および／または環境デバイスに、１つ以上の無線リンクを介して、通信可能に結合することができる。なお、図５Ｃの第７モード例５６０において示されている、ローカル・インフラストラクチャ・プロバイダ・ネットワークと固定ホットスポット・アクセス・ネットワークとの間の通信リンクは、有線および／または無線でもよいことを注記しておく。
【０１２８】
[00142]  また、第７モード例５６０では、固定ホットスポット・アクセス・ネットワークが、エンド・ユーザ・デバイスおよび／または環境デバイスに、１つ以上の無線リンクを介して、通信可能に結合されていることも示されている。このような無線結合の多くの例が、本明細書において示されている。加えて、第７モード例５６０では、エンド・ユーザ・デバイスが環境デバイスに１つ以上の無線リンクを介して通信可能に結合されていることも示されている。このような無線結合の多くの例が、本明細書において示されている。
【０１２９】
[00143]  第７モード例５６０（例えば、バックボーンおよびモバイル・ホットスポット利用不可モード）では、エンド・ユーザ・デバイスとサーバとの間において、固定ホットスポット・アクセス・ネットワークおよび／またはローカル・インフラストラクチャ・プロバイダ・ネットワークを通じて情報（またはデータ）を通信することができる。本明細書において紹介する種々のモード例において見られるように、このような通信は、エンド・ユーザ・デバイスとサーバとの間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、エンド・ユーザ・デバイスとサーバとの間において通信される情報は、ローカル・インフラストラクチャ・プロバイダ・ネットワークを通じて（例えば、固定ホットスポット・アクセス・ネットワークを飛ばして）通信することができる。
【０１３０】
[00144]  同様に、第７モード例５６０（例えば、バックボーンおよびモバイル・ホットスポット利用不可モード）では、環境デバイスとサーバとの間において、固定ホットスポット・アクセス・ネットワークおよび／またはローカル・インフラストラクチャ・プロバイダ・ネットワークを通じて、情報（またはデータ）を通信することができる。また、例えば、環境デバイスは、エンド・ユーザ・デバイスと、またはこれを介して（例えば、モバイル・ホットスポット・アクセス・ネットワークの代わりに、またはこれに加えて）通信することができる。本明細書において紹介する種々のモード例において見られるように、このような通信は、環境デバイスとサーバ（例えば、ローカル・インフラストラクチャ・プロバイダ・ネットワークに通信可能に結合されている）との間において、種々の異なる通信経路の内任意のものを経由して、例えば、ネットワークの利用可能性に応じて、帯域幅利用目標に応じて、通信優先順位に応じて、通信時間（またはレイテンシ）および／または信頼性の制約に応じて、コストに応じて等、フレキシブルに行うことができる。例えば、環境デバイスとサーバとの間において通信される情報は、ローカル・インフラストラクチャ・プロバイダ・ネットワークを通じて（例えば、固定ホットスポット・アクセス・ネットワークを飛ばして）通信することができる。
【０１３１】
[00145]  第７モード例５６０は、種々の理由の内任意のもののために利用することができ、その非限定的な例をここに示す。被制御空間の実施態様例では、クラウド・アクセスが付与されないかもしれず（例えば、セキュリティの理由、プライバシーの理由等から）、カバレッジ・エリアの全（または十分な）カバレッジが、固定ホットスポット・アクセス・ネットワークによって提供される。つまり、モバイル・ホットスポット・アクセス・ネットワークは不要となる。例えば、エンド・ユーザ・デバイスおよび環境デバイスは、直接固定ＡＰと（例えば、イーサネット、Ｗｉ−Ｆｉ等によって）通信することができる。
【０１３２】
[00146]  また、バックボーン・プロバイダ・ネットワークおよび／または固定ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、第７モード例５６０を利用できることを注記しておく。
【０１３３】
[00147]  第８モード例（または構成）５７０（例えば、バックボーン、固定ホットスポット、およびローカル・インフラストラクチャ利用不可モード）は、例えば、任意のまたは全ての特性を第１モード例５００と共有することができるが、バックボーン・プロバイダ・ネットワーク、ローカル・インフラストラクチャ・プロバイダ・ネットワーク、固定ホットスポット・アクセス・ネットワーク、およびこれらとの通信リンクがない。例えば、第８モード例５７０における通信システムは、モバイル・ホットスポット・アクセス・ネットワーク、エンド・ユーザ・デバイス、および環境デバイスを含む。
【０１３４】
[00148]  図５Ｃにおいて、そして図１において更に詳しく示すように、モバイル・ホットスポット・アクセス・ネットワークは、第８モード例５７０では、エンド・ユーザ・デバイスおよび／または環境デバイスに、１つ以上の無線リンクを介して、通信可能に結合されていることが示されている。このような無線結合の多くの例が、本明細書において示されている。更に、エンド・ユーザ・デバイスは、第８モード例５７０において、環境デバイスに１つ以上の無線リンクを介して通信可能に結合されていることも示されている。このような無線結合の多くの例が、本明細書において示されている。
【０１３５】
[00149]  第８モード例５７０（例えば、バックボーン、固定ホットスポット、およびローカル・インフラストラクチャ利用不可モード）では、エンド・ユーザ・デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）通信できない場合がある。同様に、環境デバイスとサーバ（例えば、バックボーン・プロバイダ・ネットワーク、ローカル・インフラストラクチャ・プロバイダ・ネットワーク等に結合されている）との間において、情報（またはデータ）を（少なくとも現在は）通信できない場合がある。なお、環境デバイスは、エンド・ユーザ・デバイスと、またはこれを介して（例えば、モバイル・ホットスポット・アクセス・ネットワークの代わりに、またはこれに加えて）通信できることを注記しておく。
【０１３６】
[00150]  第８モード例５７０は、種々の理由の内任意のもののために利用することができ、その非限定的な例をここに示す。一実施態様例では、第８モード例５７０は、データを収集するおよび／または供給する(serve)（例えば、遅延耐性ネットワーキングのシナリオにおいて）、モバイル・ホットスポット・アクセス・ネットワークを通じたピア・ツー・ピア通信を提供する（例えば、１つのモバイルＡＰのクライアント間、それぞれ異なるモバイルＡＰのクライアント間等）等のために利用することができる。他のシナリオ例では、第８モード例５７０は、車両間通信が車両対インフラストラクチャ通信よりも優先されるというシナリオにおいて利用することができる。更に他のシナリオ例では、第８モード例５７０は、全てのインフラストラクチャ・アクセスが失われる（例えば、トンネル、駐車場等において）というシナリオにおいて利用することができる。
【０１３７】
[00151]  また、バックボーン・プロバイダ・ネットワーク、ローカル・インフラストラクチャ・プロバイダ・ネットワーク、および／または固定ホットスポット・アクセス・ネットワークは通常利用可能であるが、現在は利用可能ではないというシナリオにおいて（例えば、機器障害のため、通信リンク障害のため、停電のため、一時的なサービスの拒否のため等）、第８モード例５７０を利用できることを注記しておく。
【０１３８】
[00152]  以上で示しそして論じたように、複数の技術による複数のデバイスを使用する異なる環境内において、複数の技術によって複数の移動物体／静止物体に結合され、異なる環境に跨がって無線（メッシュ）ホットスポット・ネットワークを形成し、複数の有線／無線インフラストラクチャ／ネットワーク・バックボーン・プロバイダに接続され、最終的にインターネット、クラウドまたは個人ネットワーク・インフラストラクチャに接続される複数のユーザまたは機械のマルチモード通信を可能にする包括的プラットフォームを有することは有益である。
【０１３９】
[00153]  図６は、本開示の種々の態様によるネットワーク構成例の更に他のブロック図を示す。ネットワーク例６００は、例えば、本明細書において論じた、他の例示の方法、方法ステップ、ノード、ノード・コンポーネント、ネットワークおよび／またはネットワーク・コンポーネント１００、２００、３００、４００、５００〜５７０、７００、８００、９００、１０００、１１００，１２００、および１５００と任意のまたは全ての特性を共有することができる。注記すべきこととして、ネットワーク例６００は、複数のモバイルＡＰ（またはＯＢＵ）を示し、各々固定ＡＰ（またはＲＳＵ）に通信可能に結合され、各モバイルＡＰがネットワーク・アクセスを車両ネットワーク（例えば、他の車両または車両ネットワーク、ユーザ・デバイス、センサ・デバイス等を含む）に付与することができる。
【０１４０】
[00154]  本開示の種々の態様によれば、例えば、ノードおよびエンド・デバイスの位置により、とりわけ、安定したＴＣＰ／ＩＰインターネット・アクセスに対応する方法で、車両通信ネットワークを管理するシステムおよび方法を提供する。例えば、エンド・ユーザには、障害がなく安定したＷｉ−Ｆｉインターネット接続を提供することができ、この接続は、エンド・ユーザには、ユーザの自宅、ユーザの勤務先、固定公衆Ｗｉ−Ｆｉホットスポット等において、Ｗｉ−Ｆｉインターネット接続と同じように現れることができる。例えば、本明細書において説明したような通信ネットワークを利用するユーザには、ＴＣＰセッションがアクティブのままでいることができ、ダウンロードを通常に処理することができ、割り込みなしでコールを処理することができる等となる。本明細書において論じたように、本開示の種々の態様による車両通信ネットワークは、通常のインターネット・トラフィックおよび／または個人ネットワーク・トラフィックのためのトランスポート・レイヤとして適用することができる（たとえば、顧客の個人ＬＡＮのアクセスを有線ネットワークから車両およびその周囲のユーザ等に広げる）。
【０１４１】
[00155]  ネットワークの一実施態様例によれば、ユーザが常に車両の１つのＷｉ−ＦｉＡＰに常に接続することができるが、車両（またはそのアクセス・ポイント、例えば、ＯＢＵ）は複数のアクセス・ポイント（例えば、固定ＡＰ、他のモバイルＡＰ、セルラ基地局、固定Ｗｉ−Ｆｉホットスポット等）間を移動する。例えば、本開示の種々の態様によって実現されるモビリティ管理は、モバイルＡＰが固定ＡＰ（および／またはモバイルＡＰ）間を移り変わる際に、および／またはユーザがモバイルＡＰ間を移り変わる際に、異なる通信技術（例えば、８０２．１１ｐ、セルラ、Ｗｉ−Ｆｉ等）に跨がる各車両およびそのユーザのモビリティをサポートする。
【０１４２】
[00156]  本開示の種々の態様によれば、ＬＭＡまたはネットワーク・コントローラと呼んでもよい、モビリティ・コントローラ（ＭＣ）が、種々のノード（例えば、モバイルＡＰ等）の位置（例えば、ネットワーク位置等）、および／またはこれらを介して接続されているエンド・ユーザの位置を監視することができる。モビリティ・コントローラ（ＭＣ）は、例えば、異なるアクセス・ポイントおよび／または異なる技術間において、低いリンク・レイテンシおよび低いハンドオーバ時間で、継ぎ目のないハンドオーバを提供することができる（例えば、通信セッションを連続的に維持する）。
【０１４３】
[00157]  本明細書において提供したアーキテクチャは、スケーラブルであり、例えば、冗長エレメントおよび／または機能を活用して、制御および／またはデータ通信機能の負荷均衡を行い、更に障害の確率を低下させる。また、本開示の種々の態様は、制御信号通信の削減にも対応し（例えば、量および／または頻度）、これによって、制御オーバーヘッドを削減し、例えば、バックエンド・サーバおよびＡＰ（例えば、固定ＡＰおよび／またはモバイルＡＰ）の双方について、制御表およびトンネリングのサイズを縮小する。
【０１４４】
[00158]  加えて、本開示の種々の態様による通信ネットワーク（またはそのコンポーネント）は、それらの接続選択肢の一部または全部を制御するため、および／またはそれらの制御機能を利用するために、モバイル・デバイスと相互作用する能力を含むことができる。例えば、一実施態様例では、モバイル・アプリケーションが背景において実行し、利用可能なネットワークおよび／またはそのノードを管理し、最も良く当てはまる１つを選択し、次いで現行の接続の切断の前に、選択したネットワーク（またはそのノード）へのハンドオフをトリガすることができる。
【０１４５】
[00159]  また、この通信ネットワーク（またはそのコンポーネント）は、インフラストラクチャの要件および／または各クライアントの移動の必要性等により、構成変更可能である。例えば、この通信ネットワーク（またはそのコンポーネント）は、異なるレイヤ２（Ｌ２）またはレイヤ３（Ｌ３）の実装、その組み合わせ、更にはＩＰｖ４／ＩＰｖ６トラフィックをサポートする能力を含むことができる。
【０１４６】
[00160]  図７は、本開示の種々の態様により、例示の通信ネットワーク７００の更なる別のブロック図を示している。ネットワーク例７００は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、８００、９００、１１００、１２００、１３００、１４００および１５００と共有することができる。特に、ネットワーク例７００は、それぞれが固定ＡＰ（またはＲＳＵ）に通信可能に結合された複数の車両（またはモバイルＡＰ若しくはＯＢＵ）を示している。各モバイルＡＰは、（例えば、他の車両またはネットワーク、ユーザ・デバイス、センサ・デバイス等を含む）車両ネットワークへのネットワーク・アクセスを提供する。車両ネットワークは、例えば、エンド・ユーザ・デバイスが接続し、センサとの通信が実行され、制御回路との通信が実行される等のＷｉ−Ｆｉネットワークである。各モバイルＡＰ（またはＭＡＰ若しくはＯＢＵ）はまた、例えば、モバイルAPとセルラ・ネットワークとの間、モバイルＡＰとユーザ・セルラ対応デバイスとの間等のセルラ・ネットワーク接続性を提供する。例えば、各モバイルＡＰは、（例えば、サポートされることになるセルラ接続の数および所望の通信レンジに応じて）セルラ・ネットワークのピコセルおよび／またはフェムトセル（ピコ／フェムトセル）の基地局として動作する。モバイルＡＰ（またはモバイルＡＰが取り付けられている車両）はまた、例えば、多彩なセンサ（例えば、カメラ、マイクロフォン、ガスまたは粒子センサ、気象センサ、インパルス・センサまたは加速度計、速度センサ、スリップ検出器、温度センサ、ポジションまたは位置センサ、水分検出器、圧力センサ、重量センサ、ドアまたは蓋センサ等）の何れかからの情報にアクセスする。また、モバイルＡＰは、例えば、ネットワークの状態または性能（例えば、信号対雑音比、信号強度、チャネル負荷または使用率やサービス品質等）を測定する種々のセンサおよび／またはプロセッサの何れかにアクセスする。例えば、モバイルＡＰは、当該センサから情報を集め（すなわち収集し）、収集された情報に少なくとも部分的に基づいて種々の自律的な決定を行い、そして、当該情報をコントローラ（例えば、ローカルおよび／または中央のアクセス・ポイント位置決めシステム、車両のコントローラ、中央ネットワーク・コントローラおよび／またはデータベース等）に通信する。当該動作の数多くの非限定的な例が本明細書に説明される。
【０１４７】
[00161]  車両ネットワークは、1つ以上のローカル・ユーザ・デバイスや本明細書で論ずる多様なセンサの何れかに接続される（例えば、直接または間接的に通信可能に結合される。）。車両ネットワークは、例えば、本明細書で論ずる任意または全てのノードを備える。例えば、車両ネットワークは、１つ以上のネットワーク・コントローラ（ＮＣ）（例えば、ＮＣ １ ７３２、ＮＣ ２ ７３４、ＮＣ Ｎ ７３８等）と、１つ以上の固定ＡＰ（例えば、ＦＡＰ １ ７４２、ＦＡＰ ２ ７４４、ＦＡＰ Ｙ ７４８等）と、１つ以上のモバイルＡＰ（例えば、ＭＡＰ １ ７５２、ＭＡＰ ２ ７５４、ＭＡＰ ３ ７５６・・・、ＭＡＰ Ｍ ７５８等）と、を備える。当該ノードは、例えば、本明細書で論ずる手法のうち何れかにおいて通信可能に結合される。なお、本明細書で論ずるように、（例えば、図７のＭＡＰ１ ７５２の例に示されるような）モバイルＡＰは、ハード・リンクを介して（例えば、ワイヤを介して、光ファイバ（またはテザー）を介して等）、ネットワークに（例えば、何れかのノードに）接続することが時折あることに留意すべきである。当該リンクは、例えば、モバイルＡＰ（すなわち、その車両）が駐車し、モバイルＡＰが固定ＡＰとして動作しているときに利用される。
【０１４８】
[00162]  図７に示されるように、移動物体のネットワークは、他の車両ネットワークに結合される１つ以上の各ローカル車両ネットワークをそれぞれが有する複数の車両と、ユーザ・デバイス（例えば、スマートフォン、パーソナル・コンピューティング・デバイス、スマート・ウォッチ、スキャナ等）と、多様なセンサ（例えば、コンテナ・センサ、環境センサ、位置センサ、慣性センサ、カメラ、マイクロフォン、温度センサ、湿度センサ、ガスおよび／または粒子センサ、重量センサ、光センサ等）の何れかを備えるスマート・コンテナ若しくは貨物システムと、コンテナから離間したセンサ（例えば、コンテナ・センサ、環境センサ、位置センサ、慣性センサ、カメラ、マイクロフォン、温度および／または赤外線センサ、湿度センサ、ガスおよび／または粒子センサ、重量センサ等）と、車両制御センサ（例えば、エンジン・センサ、温度センサ、道路状況センサ、速度センサ、位置センサ、衝撃センサ、振動センサ、障害物および／または 衝突回避センサ、ドライバ特性センサ等）と、を備える。
【０１４９】
[00163]  例えば５Ｇに基づく現代の通信システムでは、使用可能な通信技術のすべてを統合し、例えば、使用可能な異なる接続からリソースを活用(exploit)および集約することには利点がある。例えば、それぞれの異なる技術に関連する種々のインタフェースを有するモバイル・デバイスがある。このようなシナリオでは、通信ネットワークの主要な目標は、利用されているワイヤレス・アクセス技術および／またはインフラストラクチャ若しくはバックホール技術とは独立して、インターネットに接続するときに、これらデバイス（またはそのユーザ）が使用可能な（または良好な）サービス品質（ＱｏＳ）および／またはエクスペリエンス品質（ＱｏＥ）を確保することを含む。例えば、モバイルＡＰ（またはＯＢＵ）および／または固定ＡＰ（若しくはＲＳＵ）において使用可能な複数の技術をフレキシブルに利用することにより、ネットワークが、ネットワークの輻輳、干渉、およびデッド・ゾーンについてのシナリオを解消するのを可能にする。また、同一プロバイダが有する同一技術を使用することができる種々のシナリオがあり、ネットワークの管理およびスケーラビリティを改善することができる。加えて、例えばオンデマンド接続および／またはフォールト・バック接続として同一の技術を有する異なるプロバイダが利用される種々のシナリオがある。
【０１５０】
[00164]  ＬＴＥの特定のユースケースに関し、ＬＴＥのようなセルラ技術が（例えば、ＤＳＲＣおよびＷｉ−Ｆｉ技術に対して）相対的に高い通信レンジを有す場合であっても、セルラ・ネットワークは、（例えば、都市部の谷間において、僻地において等）尚もデッド・ゾーンを有し、使用可能なセル性能はユーザの数によって実質的に変化する。つまり、例えば都市部の設定では、より高い人口密度を有するエリアではＱｏＥが大幅に低下することがある。他方、ＤＳＲＣやＷｉ−Ｆｉのような免許不要のワイヤレス・スペクトル技術は、（例えば、セルラ技術に対して）配備コストが相対的に低く、レイテンシが相対的に低いものの、相対的にレンジがより狭い。例えば、当該相対的に狭いレンジは、相対的に高い（またはより頻繁な）デッド・ゾーンが発生する結果となることもあるが、レンジ性能を向上させることができる。何故ならば、同一のＡＰに同時に接続することができる人数が多くないからである。
【０１５１】
[00165]  セルラ／ＬＴＥまたはＡＰインフラストラクチャを既に配備している通信事業者またはＷｉ−Ｆｉプロバイダは、エッジにおいて（例えば、カバレッジ・エリアの境界またはその近傍等において）低コストのマルチ技術デバイス（例えば、本明細書で論ずるモバイルＡＰおよび／または固定ＡＰ）を有するのをレバレッジすることができる。このことは、ネットワーク・インフラストラクチャのコスト、および／または他の技術から受信したトラフィックを管理するオーバーヘッドを増大させることなく、それらのニーズを満たすことができる。
【０１５２】
[00166]  ＤＳＲＣ通信に関し、例えば同一エリア内にある多数のデバイス／ＭＡＰが原因で、高い輻輳および／または干渉の場所では、デバイスは、Ｖ２Ｘ／Ｖ２Ｖ（車両ツー全て／車両ツー車両）ＤＳＲＣ通信から受信した情報を送信するのを開始することができる。このことは、セルラ・ネットワークを通じて当該情報をカプセル化し、一例では当該情報をクラウドにアップロードし、次いで、セルラ・ネットワークを再度介して（または、本明細書で論ずる何れかのネットワークを通じて）エリア内にいる他の車両に当該情報を配信して、デバイスがＤＳＲＣベースのリンク／ネットワークをまさに使用している場合に、接続性に影響を及ぼすことになる接続上の問題を解消することによって行われる。
【０１５３】
[00167]  本開示の種々の態様は、複数の技術を統合するシステムおよび方法を提供する。例えば、異なる技術およびネットワークで使用可能なすべてのリソースを活用して、通信ソリューション全体を最適化することができる。使用可能な技術の全てを統合するシステムおよび方法は、とりわけ、輻輳、干渉、デッド・ゾーン等のシナリオを解決する。また、車両ネットワークを統合することによって、本システムおよび方法は、プロバイダ（例えば、セルラ等）のネットワークが有する品質と回復力を改善し、（例えば、ＭＡＰおよびＦＡＰ上に広がるスモール・セルを使用して）プロバイダ・ネットワークのワイヤレス・カバレッジを拡大する。
【０１５４】
[00168]  例えば、セルラ技術（または他のセルラ・ベース技術）と、ＤＳＲＣ（および／または他のワイヤレス・ベース技術、例えばＷｉ−Ｆｉ等）との両方を組み合わせることにより、本明細書に開示されるシステムおよび方法は、個々のネットワークのそれぞれの短所に対処する包括的な通信ソリューションを、他のネットワーク（複数可）の長所をレバレッジすることによって提供する。なお、本明細書で論ずるように、個々のネットワークが有する短所および長所のそれぞれは動的なものであり、例えば、コンテキストの作用(function)として（例えば、地理的位置、日時、曜日、天気、緊急事態、交通状況、ユーザ輻輳、計画的または計画外イベント等の何れか１つ以上の作用として）動的に変化することになる。
【０１５５】
[00169]  シナリオ例では、そのエリアで使用可能なＤＳＲＣまたはＷｉ−Ｆｉホットスポットを通じて接続される（例えば、車両とともに移動する）ピコ／フェムトセルを配備することによって、セルラのデッド・ゾーンに対処（または補償）することができる。
同様に、ネットワーク性能を改善することができる。例えば、ピコ／フェムトセルのセル・サイズは、通常の基地局のセル・サイズよりもはるかに小さく、すなわち、スモール・セルによってサービス提供されているクライアントは、全般的にＱｏＥをより良好に向上させることができる。加えて、通常の基地局のサービスの外部からのクライアントの移動であって、ピコ／フェムトセルのサービスに向けたものはまた、通常の基地局によってサービス提供されている残りのユーザのＱｏＥを改善することができる。全般的に、ＤＳＲＣリンクのレイテンシは、通例のセルラ・リンク・レイテンシよりも大幅に短いため、ピコ／フェムトセルおよびＤＳＲＣ技術を使用するユーザは、通常のセルおよびセルラ・ネットワークを使用する場合と比べてレイテンシを大幅に短くすることができる。別のシナリオ例では、ＤＳＲＣ ＡＰの間のカバレッジ（または使用可能なカバレッジ）内におけるギャップを埋めるために、セルラ接続を使用することによって、ＤＳＲＣのデッド・ゾーン、またはワイヤレス・リンクの輻輳および／若しくは干渉が高いゾーンに対処（または補償）することができ、すなわち、ユーザのＱｏＥを改善する。
【０１５６】
[00170]  本開示の種々の態様によれば、本書面は、特定の技術におけるトラフィックを他の技術に向けて動的かつ適応的に搬送およびカプセル化するシステムおよび方法を提供する。つまり、更に多くの物理インフラストラクチャを設置する必要性を削減し、回復力、冗長性、デリバリ保証、および通信の可用性を改善させる。
【０１５７】
[00171]  本開示の種々の態様は、プロバイダ（例えば、Ｗｉ−Ｆｉプロバイダ、セルラ・プロバイダ、車両ネットワーク・プロバイダ等）の施設（または他の宛先）に異なるワイヤレス・アクセス技術からパケットをトランスポートするシステムおよび方法を提供する。パケットのトランスポート（または通信）は、例えば、オリジナルのパケットを可能な限り多く維持すると共に、他の全ての使用可能な技術を使用することで達成される。提供されるトランスポート（または通信）は、多様な基準のうち何れかに従う。例えば、トランスポートは、ワイヤレス・アクセス技術によって実行される統合のレベルに従い、例えば受信したパケットにどのヘッダが収容されるに従う。また、トランスポートは、例えば、パケットをトランスポートするのに使用される転送レベル、並びに、レイヤ３（ＩＰ）および／またはレイヤ４（ＵＤＰ／ＴＣＰ）でのカプセル化／カプセル化解除（またはカプセル解除化）のような適用される方法に従い、または特定のシナリオのためのＩＰルーティングの使用に従う等である。
【０１５８】
[00172]  なお、ＴＣＰ／ＩＰレイヤのコンテキストで種々の例が本明細書で示されるが、本開示の範囲はこのようなレイヤに限定されないことに留意すべきである。例えば、本開示の様々な態様はまた、レイヤ化された種々の通信プロトコルの何れのレイヤにも適用される。
【０１５９】
[00173]  本開示の種々の部分は統合レベルに関する。統合レベルは、例えば、ＭＡＰ（若しくはＯＢＵ）またはＦＡＰ（若しくはＲＳＵ）が（例えば、異なるワイヤレス・アクセス技術から）パケットを受信するＴＣＰ／ＩＰレイヤに関係する。本明細書で論ずるように、使用される統合方法およびネットワーク構成に従い、受信されるパケットは、異なるレイヤからのヘッダを収容する。統合レベルに関する主要な２つのシナリオ例には、例えば、レイヤ２ヘッダが含まれるパケットを受信すること、またはレイヤ３ヘッダが含まれるパケットを受信することが含まれる。
【０１６０】
[00174]  受信したパケットがレイヤ２（および上位）ヘッダを含むシナリオ例では、ＭＡＰ（またはＦＡＰ）は、カプセル化を通じて当該パケットを転送し、例えば、オリジナルのヘッダの全部を維持するため、ステーション／ＡＰのうちの１つから直接受信されると、パケットはプロバイダにデリバリされる。
【０１６１】
[00175]  受信したパケットがレイヤ３（および上位）ヘッダを含むシナリオの例では、ＭＡＰ（またはＦＡＰ）は、カプセル化またはルーティングを通じて当該パケットを転送し、例えば、オリジナルのヘッダを維持する、つまり、インターネット上でフローするノーマルＩＰパケットとしてパケットがプロバイダにデリバリされる。
【０１６２】
[00176]  本開示の種々の部分は転送レベルに関する。転送レベルは、例えば、受信したパケットがカプセル化されて宛先に移すことになるＴＣＰ／ＩＰレイヤに関係する。例えば、使用される転送レベルに従い、ＭＡＰ（またはＦＡＰ）は、異なるＴＣＰ／ＩＰレイヤからのヘッダを用いてオリジナルのパケットをカプセル化する。種々のシナリオでは、カプセル化の代わりにＩＰルーティングが利用され、例えば、パケットの合計サイズにおける追加のＩＰヘッダとカプセル化／カプセル化解除プロセスとを回避することができる。転送／カプセル化レベルに関して予測される主要な２つのシナリオには、例えば、レイヤ３ヘッダ（例えば、ＩＰ等）、またはレイヤ３＋４ヘッダ（例えば、ＩＰおよびＵＤＰ／ＴＣＰ等）を用いたカプセル化が含まれる。
【０１６３】
[00177]ソースから受信したパケット（例えば、全てのパケット等）がレイヤ３ヘッダ（例えば、ＩＰヘッダ等）を用いてカプセル化されるシナリオ例では、ＭＡＰ（またはＦＡＰ若しくは他のノード）は、パケットにおけるオリジナルのヘッダよりも前にＩＰヘッダを付加する（例えば、レイヤ２から入来するパケットのレイヤ２ヘッダの統合よりも前にＩＰヘッダを付加する。）。シナリオ例では、オペレーティング・システム（ＯＳ）は、ＩＰ−ＩＰトンネルと称される予め規定された方法を使用して、パケットのカプセル化／カプセル化解除のプロセスを実装する一方で、ルーティングはディベロッパーによって実行される。
【０１６４】
[00178]  ソースから受信したパケット（例えば、全てのパケット等）が、レイヤ３（例えば、ＩＰ等）およびレイヤ４（例えば、ＵＤＰ／ＴＣＰ等）の両方のヘッダを用いてカプセル化されるシナリオ例では、ＭＡＰ（またはＦＡＰ若しくは他のノード）は、ＩＰヘッダおよびＵＤＣ／ＴＣＰヘッダをオリジナルのパケットのヘッダに付加する（例えば、レイヤ３から入来するパケットのレイヤ３ヘッダの統合よりも前にＩＰヘッダおよびＵＤＰヘッダを付加する。）。シナリオ例では、レイヤ４での転送は、仮想プライベート・ネットワーク（ＶＰＮ）と称される予め規定された方法を通じて達成され、（例えば、構成およびセットアップされる後に）カプセル化／カプセル化解除およびルーティングを実行する。
【０１６５】
[00179]  本開示の種々の部分は統合方法に関する。統合方法は、例えば、ＭＡＰ（またはＦＡＰ若しくは他のノード）がユーザに通信技術を提供する手法に関係する。ワイヤレス・アクセス技術における主要な２つの種別の統合方法（すなわち統合）には、例えば、モジュール・ビルト・イン統合が含まれ、技術モジュールがビルト・インされる（例えば、O / S、ＭＡＰ、 ＦＡＰまたは他のノードにビルト・インされる。）。または、外部デバイス統合が含まれ、技術を提供する外部デバイスがネットワーク接続を通じて統合される。
【０１６６】
[00180]  モジュール・ビルト・イン統合のシナリオ例では、オペレーティング・システム内のモジュール（例えば、Ｗｉ−Ｆｉカード、ＬＴＥドングル、他のビルトイン・チップまたはカード、格納済みのソフトウェア・ルーチン等）の統合があり、つまり、ＯＢＵ／ＡＰにビルト・インされた通信技術用のために容易に設定することができるインタフェースがある。ＭＡＰ（またはＦＡＰ）は、モジュールと直接協働しているので、例えば、モジュールの動作を適合する自由度が更に高くなる。
【０１６７】
[00181]  外部デバイス統合のシナリオ例では、とりわけ、所望のワイヤレス技術を提供する外部デバイスの統合がある。本シナリオ例では、システムはネットワーク統合の特性を有する。何故ならば、例えば、外部デバイスが、ネットワーク接続（例えば、イーサネット接続等）を介してＭＡＰ（またはＦＡＰ若しくは他のノード）と通信するからである。本シナリオでは、ＭＡＰが外部デバイスを完全に制御しないことがあるので、使用可能な統合および転送レベルには制限がある場合がある。
【０１６８】
[00182]  本明細書で示されるシステムおよび方法は、１つ以上の他の（若しくは同一の）技術を利用する通信を支援するために、１つ以上の通信技術の利用には広範なフレキシビリティを提供する。当該フレキシビリティの種々の非限定的な例が本明細書に示される。
【０１６９】
[00183]  シナリオ例（例えば、ＬＴＥ上のＬＴＥのシナリオ）では、車両（および／またはそのＭＡＰ）は、車両の内部に１つの（または２つ以上の）フェムトセル／ピコセルを有して、車両に搭載された（または近くにある）全てのユーザのセルラ・モバイル・デバイスからトラフィックを集約することができる。本明細書では、当該フェムトセル／ピコセルのことを車両セルとも称することもある。なお、フェムトセル／ピコセルはＭＡＰ（またはＦＡＰ若しくは他のノード）の一部としてもよく、またはフェムトセル／ピコセルはＭＡＰとは別個のデバイスとしてよく、（例えば、イーサネット、ケーブル、光リンク等を介して）ＭＡＰにネットワーク接続されることに留意すべきである。実装態様例では、フェムトセル／ピコセルは、車両内にいる全てのユーザ、車両の特定の距離内にいる（例えば、１０メートル以内、２０メートル以内、５０メートル以内、１００メートル以内等の）全てのユーザを収容するのに十分大きいカバレッジ・エリアを有する。実装態様例では、（例えばＭＡＰの）フェムトセル／ピコセルは、ＭＡＰのＷｉ−Ｆｉカバレッジ・エリアのレンジと全般的に一致するレンジを有する。次いで、ＭＡＰは、使用可能な接続（例えば、ＤＳＲＣ、Ｗｉ−Ｆｉ、ＬＴＥ等）を使用して、全ての（または選択された部分の）セルラ・トラフィックをユーザ・セルラ・デバイスからセルラ（または通信事業者の）運用業者に転送することができる。なお、ＭＡＰは、（例えば、別個のチャネル上でそれぞれ動作する）複数のセルラ無線を有し、例えば、ユーザにセルラ・リンクを提供するための第１セルラ無線機の利用と、セルラ基地局に１つ以上のセルラ・リンクを提供するための第２セルラ無線機の利用と、を同時に行う。例えば、ＭＡＰは、ＭＡＰハウジング内に配置された１つ以上のセルラ無線機を備える。しかしながら、種々の実装態様では、ＭＡＰは、１つ以上の通信ポート（例えば、有線、光、および/または無線ポート）を備え、これを通じて、セルラ無線機、ピコ／フェムトセル・デバイス等とすることができる。１つ以上の通信ポートは、ＭＡＰのハウジング外部に配置されてもよく、また、ＭＡＰと同一の車両内および／または車両上に配置されてもよい。
【０１７０】
[00184]  例えば、ＭＡＰ（またはＦＡＰまたは他のノード）がモバイル・デバイスと同一の運用業者（すなわち、基地局）からのセルラ・リンクを全般的に有する実装態様またはシナリオがある。本開示の種々の態様による動作は、モビリティおよびネットワーク管理上の利点を尚も提供する。例えば、ＭＡＰ内部にある（または近くにある）の全てのモバイル・デバイスは、ＭＡＰと同時にハンドオーバを効率的に実行することができる。換言すれば、モバイル・デバイスの全てがＭＡＰのピコ／フェムトセル（または車両セル）に接続される間に、ＭＡＰは１つのセルラ基地局から別のセルラ基地局にハンドオーバする。その一方で、ピコ／フェムトセル（または車両セル）に接続されるモバイル・デバイスはハンドオーバを必要とはしない。なお、このような実装態様では、ピコ／フェムトセル（または車両セル）のハンドオーバには、通例の単一デバイスのハンドオーバよりも優先度が高いハンドオーバ・サービスが供されることに留意すべきである。このような実装態様では、（例えば車両内で）ＭＡＰと共に移動するそれらモバイル・デバイスのみのために、セルラ接続を車両のピコ／フェムトセルに移すことは有利であり、車両と共にはまた移動していない車両近くにあるそれらモバイル・デバイスを除外する。例えば、信号強度の変動を分析し、車両（またはＭＡＰ）およびモバイル・デバイスの位置情報（例えば、ＧＰＳ情報等）にアクセスし、信号三角測量を利用してモバイル・デバイスが車両内にあることを判断し、モバイル・デバイスが車両に入るときにセルラ動作を車両セルにハンドオフし、モバイル・デバイスが車両から離れるときに車両セルからハンドオフする等によって、車両と共に行われる当該移動は決定される。なお、このような実装態様例では、セルラ・サービスがまた、車両が移動していないときに車両の周りにあるモバイル・デバイスにも提供されることに留意すべきである。
【０１７１】
[00185]  車両内部（またはＭＡＰ内等）にある、および／または固定位置に配置されたＦＡＰ内に、ローカル・セルラ・プロバイダのピコセル／フェムトセルを有する実装態様例は、デッド・ゾーンを有利にカバーすると共に、セルラ・プロバイダにフォールト・バックを提供することができる。例えば、ＭＡＰ（またはＦＡＰ若しくは他のノード）には、複数のセルラ・プロバイダと接続を確立する性能を有する。スモール・セルを都市部にわたり配置することにより、少なくともその一部は人々の移動に追従し、通信サービスを最も必要とするエリアに近づくことができ、セルラ・スペクトルの管理とメディア・アクセスの制御を支援することになる。例えば、スモール・ローカル・セルからセルラ・プロバイダへの異なる有線／ワイヤレス接続を通じて、トラフィックをオフロードすることができ、強力なセルラ基地局が最も必要とされるときに自由に利用できるようになる。
【０１７２】
[00186]  本明細書で論ずるように、提示されるシナリオは、ＭＡＰ（またはＯＢＵ）およびＦＡＰ（ＲＳＵ）の両方に、本明細書で論ずる任意の他のノードと共に適用することができる。例えば、ＦＡＰは、特定の技術から（例えば、セルラ・ツー・ファイバー等 から）データをオフロードする良好なポイントを提供することができる。なお、ＦＡＰはまた、固定位置から車両に全般的に移動するときに、モビリティ・サポートおよび良好なユーザＱｏＥを提供することが例えば望まれる場合に、ＯＢＵ機能のほとんどをサポートすることに留意すべきである。例えば、モバイル・セル・デバイスを使用しているユーザは、バス停から移動するときに（例えば、また、ＦＡＰによってサービス提供されている。）、また、バスに乗り込むときに（例えば、ＭＡＰによってサービス提供されている。）、ＶｏＩＰ／電話呼を維持することができるようにすべきである。
【０１７３】
[00187]  別のシナリオ例では、ＤＳＲＣを通じたＬＴＥパケットのカプセル化並びに／または通信（およびその逆）に代えて（またはそれに加えて）、本明細書に開示されるシステムおよび方法は、ＬＴＥおよび／若しくはＤＳＲＣを通じて、またはＬＴＥおよび／若しくはＤＳＲＣからパケットをトランスポートするためにＷｉ−Ｆｉを使用して、Ｗｉ−Ｆｉパケットをカプセル化することを提供する。ＭＡＰ（またはＦＡＰ若しくは他のノード）は、使用可能な接続のうちの１つ以上を使用して、Ｗｉ−Ｆｉサービス・プロバイダからトラフィックを転送することができる。ＭＡＰおよび／またはＦＡＰとの通信システムは、例えば、Ｗｉ−Ｆｉサービス・プロバイダのカバレッジ・エリアを拡大し、ＭＡＰ（またはＦＡＰ若しくは他のノード）のＷｉ−ＦｉユーザからＷｉ−Ｆｉプロバイダの施設にトラフィックを転送する。例えば、ＭＡＰは、Ｗｉ−Ｆｉプロバイダが独自のＡＰで行うのと同一のＷｉ−Ｆｉ構成（複数可）を提供し、次いで、ＭＡＰは使用可能な接続（例えば、ＬＴＥ、ＤＳＲＣ、ファイバ等）の何れかを使用して、トラフィックを転送することができる。
【０１７４】
[00188]  ここでは数多くの例をＭＡＰに実装されるものとして提示してきたが、本開示の範囲はこれに限定されない。例えば、このような機能性の任意または全ては、ＦＡＰまたは本明細書で説明した他のノードの何れかによって、例えば個別または組み合わせによって、実行されてもよい。
【０１７５】
[00189]  図８は、本開示の種々の態様による。通信ネットワーク・ノード（例えば、モバイルＡＰまたはＭＡＰ、固定ＡＰまたはＦＡＰ等）のブロック図を示す。ノード例８００は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、９００、１０００、１１００、１２００、１３００、１４００および１５００と共有することができる。
【０１７６】
[00190]  ノード例８００は、例えば、通信インタフェース・モジュール８４０を備え、ノード８００のためのワイヤレスおよび／または有線通信の機能性の任意または全てを実行するように動作する。その数多くの例（例えば、ＮＣとの通信、固定ＡＰノードとの通信、モバイルＡＰノードとの通信、クライアント・デバイスとの直接の通信、バックホールまたはセルラ通信等）が本明細書に示される。通信Ｉ／Ｆモジュール８４０は、例えば、多様なセルラ通信プロトコル（例えば、３Ｇ、４Ｇ、ＬＴＥ等）、ワイヤレスＬＡＮ通信プロトコル（例えば、Ｗｉ−Ｆｉ等）、ワイヤレスＰＡＮ通信プロトコル（例えば、Ｂｌｕｅｔｏｏｔｈ等）、８０２．１１ｐまたはＤＳＲＣ、衛星通信プロトコル、ファイバまたはケーブル通信プロトコル、ＬＡＮプロトコル（例えば、イーサネット等）等のうちの何れかにしたがい動作する。例えば、モバイルＡＰとＮＣとの間、モバイルＡＰと固定またはモバイルＡＰとの間、モバイルＡＰとセルラ基地局との間、モバイルＡＰとユーザ・デバイスとの間、モバイルＡＰとセンサとの間等で、本明細書で論ずる通信例の何れかが通信インタフェース・モジュール８４０を利用して実行される。通信インタフェース・モジュール８４０は、例えば、本明細書で論ずる無線機（例えば、Ｗｉ−Ｆｉ無線機、ＤＳＲＣ無線機、セルラ無線機等のワイヤレスＬＡＮ無線機）の何れかまたは全てを含み、および／または、当該無線機とインタフェースする。なお、本明細書で論ずるように、セルラ無線機（複数可）（例えば、ピコセルまたはフェムトセル・デバイス）は、有線、光および／またはワイヤレス・リンクを介してＭＡＰに通信可能に結合されるＭＡＰのハウジングの外側にあってもよいことにも留意すべきである。
【０１７７】
[00191]  ノード例８００はまた、ネットワーク監視モジュール８２０（またはブロック）も備え、例えば、同一のまたは異なる技術から使用可能なインタフェースを監視し、接続またはリンクにおける現在の状態および品質（例えば、レイテンシ、ジッター、パケット損失等）、信号強度、可用性、信頼性等を検出する責務を担う。次いで、ネットワーク監視モジュール８２０は、例えば、記憶のために、コンテキスト情報（またはそれから計算されるメトリック）の任意または全てをコンテキスト・モジュール８２５（またはブロック）に通信して、接続マネージャ・モジュール８３０（またはブロック）によって後にアクセスされる。
【０１７８】
[00192]  ノード例８００は、加えて、コンテキスト・モジュール８２５（またはブロック）を更に備える。コンテキスト・モジュール８２５は、例えば、ネットワーク・モニタ・モジュール８２０によって取得されるコンテキスト情報を管理する。なお、当該コンテキスト情報はまた、例えば、本明細書で論ずるコンテキスト情報（例えば、車両コンテキスト情報、通信ネットワーク・コンテキスト情報、ノード・コンテキスト情報等）の任意または全てを含むことに留意すべきである。コンテキスト・モジュール８２５は、例えば、インタフェースを提供する。当該インタフェースにより、ノード８００の他のモジュールの何れかが、コンテキスト情報にアクセスし、および／またはコンテキスト情報に格納する。
【０１７９】
[00193]  ノード例８００は、更に、接続マネージャ・モジュール８３０（またはブロック）を備える。接続マネージャ・モジュール８３０は、例えば、本明細書で論ずる接続（または通信）の任意または全ての決定を行う。例えば、接続マネージャ・モジュール８３０は、利用可能なメカニズムの全てを維持する責務を担い、ＶＰＮおよびＩＰトンネルのように（例えば、そのユーザを本明細書で論ずる。）、ユーザからプロバイダの施設にトラフィックを転送し、および／またはユーザのプロバイダの施設からトラフィックを受信する。接続マネージャ・モジュール８３０は、例えば、ネットワーク・モニタ・モジュール８２０によって収集された（例えば、またコンテキスト・モジュール８２５から取得された）コンテキスト情報を分析して、適用されることになる統合および／または転送レベルを決定する。
【０１８０】
[00194]  ノード例８００はまた、転送マネージャ・モジュール８３５（またはブロック）を備える。接続マネージャ・モジュール８３０は、全般的に、現在の接続（複数可）を決定する責務を担う一方で、転送マネージャ・モジュール８３５は、例えば、プロバイダの施設にトラフィックをデリバリするために、転送メカニズムを実装（または実施）する（例えば、パケットのためにＶＰＮまたはＩＰトンネルを利用および／または実装する）責務を担う。
転送マネージャ・モジュール８３５は、例えば、統合および転送レベルに関して接続マネージャ・モジュール８３０によって決定された戦略にしたがい、適切なメカニズムをパケットに適用する。転送マネージャ・モジュール８３５は、例えば、通信インタフェース・モジュール８４０によって提供される通信サービスを利用して、転送の種々の側面を実行することができる。
【０１８１】
[00195]  ノード例８００は、例えば、マスタ制御モジュール８１０を備え、ノード８００の動作を高いレベルで全般的に管理する。当該マスタ制御モジュール８１０は、例えば、ノード８００のために、種々の態様のオペレーティング・システムを備える。
【０１８２】
[00196]  ノード例８００は、更に、例えば、ノード８００上で実行する１つ以上のアプリケーション８５０（例えば、ネットワーク監視アプリケーション、コンテキスト記憶および／または管理アプリケーション、接続管理動作、転送アプリケーション、クライアント管理アプリケーション、セキュリティ・アプリケーション、電源管理アプリケーション、車両監視アプリケーション、位置情報サービス・アプリケーション、ユーザ・インタフェース・アプリケーション等）を備える。
【０１８３】
[00197]  ノード例８００はまた、１つ以上のプロセッサ８８０およびメモリ・デバイス８９０を備える。プロセッサ（複数可）８８０は、例えば、多様なプロセッサ特性のうち何れかを含む。例えば、プロセッサ（複数可）８８０は、汎用プロセッサ、ＲＩＳプロセッサ、マイクロコントローラ、ＡＳＩＣ、ＤＳＰ、ビデオ・プロセッサ、コプロセッサ等のうちの１つ以上を備えてもよい。メモリ・デバイス（複数可）８９０は、例えば、多様なメモリ特性のうちの何れかを含む。例えば、メモリ・デバイス８９０は、揮発性メモリや不揮発性メモリ等を備えてもよい。メモリ・デバイス（複数可）８９０は、例えば、ソフトウェア命令を含む非一時的なコンピュータ可読媒体を備えてもよく、プロセッサ（複数可）８８０によって実行されると、本明細書で論ずる機能の任意または全部をノード８００に実行させる。
【０１８４】
[00198]  本明細書で論ずるように、本開示の種々の態様によるシステムおよび方法は、ＬＴＥおよび／またはＤＳＲＣの通信技術を通じてデータ転送を実行する。例えば、ピコ／フェムトセルを使用することにより、モバイル運用業者とカスタマとの両方に利益をもたらすことができる。モバイル運用業者にとって、フェムトセルの魅力は、カバレッジ（例えば、屋内、高度に制約された都市環境等）およびキャパシティの両方を改善することである。例えば、ピコ／フェムトセルがギャップを埋め、建物を通過する信号の損失を排除することができるので、カバレッジを改善することができる。例えば、キャパシティは、同一の基地局の使用を試行する電話機の数を低減することによって、また、運用業者のインフラストラクチャまで直接車両ネットワークを通過するトラフィックをオフロードすることによって、改善することができる。例えば、運用業者のプライベート・ネットワーク（例えば、マイクロ波リンク等）を使用するのに替えて、インターネットを使用することができる。また、トラフィックをピコ／フェムトセルにオフロードすることにより、各セルラ・ネットワーク・タワーからのネットワークの物理カバレッジ距離が拡大される。
【０１８５】
[00199]  図９は、本開示の種々の態様による通信ネットワーク例のブロック図を示す。ノード例９００は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、１０００、１１００、１２００、１３００、１４００および１５００と共有することができる。
【０１８６】
[00200]  図９に示されるシナリオ例では、セルラ・ユーザは、最初は位置１にいて、ユーザのモバイル・デバイスはセルラ基地局と直接通信する。セルラ基地局は、（例えば、ケーブル・リンク、ファイバ・リンク、マイクロ波リンク等を介して）セルラ・プロバイダとパケットを通信する。セルラ・ユーザがバスに向かって移動し、および／またはバスに乗車すると、ユーザのモバイル・デバイスは、バスのピコ／フェムトセルのセルラ無線機にハンドオーバされる。この時点で、バスのＭＡＰはＤＳＲＣ無線機を利用して、ユーザのモバイル・デバイスのセルラ・パケットをＦＡＰにワイヤレスで通信し、次いで、ＦＡＰは、（例えば、有線、ファイバ、またはワイヤレス・リンクを介して）当該パケットを、車両ネットワーク・プロバイダ・インフラストラクチャ（例えば、ネットワーク・コントローラ等）を介してセルラ・プロバイダに通信する。逆方向の通信は、例えば、同様の（または逆の）手法でハンドリングされる。
【０１８７】
[00201]  Ｗｉ−Ｆｉユーザのモバイル・デバイスは、例えば、Ｗｉ−Ｆｉ無線機を介してバスのＭＡＰと通信する。ＭＡＰは、同様に、ＤＳＲＣおよび他のリンクを介して、Ｗｉ−Ｆｉユーザからパケットを通信する。図９は、ＤＳＲＣ無線機、Ｗｉ−Ｆｉ無線機、およびセルラ無線機を別個に示しているが、本明細書で論ずるように、当該無線機の任意または全ては、単一のモバイルＡＰに統合されてもよい。別のシナリオ例では、Ｗｉ−Ｆｉ無線機とＤＳＲＣ無線機は単一のモバイルＡＰに統合される。ここでは、モバイルＡＰは、有線（若しくは光）リンクを介して、および／またはワイヤレスで、ピコ／フェムトセル・セルラ無線機に通信可能に直接結合される。
【０１８８】
[00202]  カスタマおよび中小企業体は、例えば、大幅に改善したカバレッジおよび信号強度の利益を享受する。何故ならば、それらの施設（または車両）の内部に事実上の物理的な基地局をそれらは有しているからである。例えば、ピコ／フェムトセル無線機の比較的近くにある結果、モバイル電話機（または他のユーザー機器）は、標準のセルラ基地局との通信に比べて、当該無線機との通信に必要となる電力が大幅に少なくなり、つまり、バッテリ寿命を増大する。また、ユーザ（複数可）は、例えば、オペレーター／ネットワーク・サポート、カスタマ契約／料金プラン、電話およびオペレーティング・システム・サポート等のような数多くのファクタのうちの任意の１つ以上にしたがい、音声品質を良好に向上させることができる。幾つかのキャリア（またはプロバイダ）の中にはまた、より魅力的な料金、例えば自宅からの割引電話呼を提供することもある。モバイルおよび適応型のバックホールをこれらピコ／フェムトセルに提供するために、ＤＳＲＣのような免許不要なスペクトル技術を使用することは、ユーザと一緒に移動することによって、非常に多くのユーザ（例えば、バス／地下鉄／電車のそれぞれの内部にいるユーザの一部または全部）をサポートするモバイルのスモール・セルを提供する解決策であり、セル間の余計なハンドオフ・プロセスを回避することができる。
【０１８９】
[00203]  別のシナリオ例では、高密度なトラフィック・エリアにおいて、複数の車両およびインフラストラクチャ・システムは、制約されたＤＳＲＣ帯域幅および緊急／安全情報送信のために割り当てられ／予約されたチャネルを競うことがあり、つまり、ユーザごとに使用可能な帯域幅の量を制限する。ＤＳＲＣレンジはまた比較的制限されており、短い経路に沿ったとしても多くのデッド・ゾーンが存在することがある。当該制限は、例えば、他のフォーマット（例えば、ＬＴＥ等）でカプセル化されたＤＳＲＣデータを搬送することによって解消される。当該動作により、例えば、車両間のみならず、インフラストラクチャおよびクラウド・サービスにもデータを送るときにリンクの信頼性が向上されまたは保証される。
【０１９０】
[00204]  図１０は、本開示の種々の態様による通信ネットワーク例のブロック図を示す。ノード例１０００は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１１００、１２００、１３００、１４００および１５００と共有することができる。
【０１９１】
[00205]  図１０のシナリオ例では、バスのＭＡＰへのＤＳＲＣリンクが少なくとも一時的に使用可能ではない。つまり、ＭＡＰは、セルラ無線機を利用してセルラ基地局と通信し、次いで、種々の通信リンク（例えば、ケーブル・リンク、ファイバ・リンク、マイクロ波リンク等）を利用して、パケットをセルラ・プロバイダに通信し、次いで、車両ネットワーク・プロバイダに通信する。例えば、Ｗｉ−Ｆｉユーザ（またはそのモバイル・デバイス）は、Ｗｉ−Ｆｉリンクを介してＭＡＰと通信するものの、ＤＳＲＣリンク（複数可）がダウンしているので、ＭＡＰは次いで、Ｗｉ−Ｆｉユーザから車両ネットワーク・プロバイダ（および／またはインターネット）に、車両（またはＭＡＰ）のセルラ無線機を介して、セルラ基地局を介して、そしてセルラ・プロバイダの施設を介して、パケットを通信する。
【０１９２】
[00206]  なお、ＭＡＰ（または他のノード）とＮＣとの間の接続は、異なるインタフェースおよび／または技術を通じたマルチ・ホームとなることに留意すべきであり、次の例は、単純化のための単一の接続を使用するが、同様にマルチ・ホーム接続がまた適用される。
当該マルチ・ホーム動作は、限定的ではないが、２０１年１２月２７日に出願され、「移動物体のネットワークにおけるマルチ・ホーミングのフレキシブルなサポートのためのシステムおよび方法」と題された米国仮特許出願第６２／４３９，２５７号に示されており、全ての目的のために参照により本明細書に組み込まれる。
【０１９３】
[00207]  実装態様例では、本開示の種々の態様によって実装されるシステムおよび方法は、ＤＳＲＣを通じてＬＴＥパケットを通信する。例えば、ＭＡＰ（または他のノード）は、ピコ／フェムトセルのためにバックホールを提供することができる。例えば、セルラ・ユーザは、通常の基地局セルからピコ／フェムトセルにローミングする。ユーザ・デバイスの観点からは、別の通常のセルに接続されている。次いで、セルラ・ユーザからのトラフィックは、ピコ／フェムトセルを通じて送信され、当該トラフィックはセルラ・プロバイダ・ネットワークにデリバリされる。当該トラフィック・デリバリは、種々の手法で実行され、その非限定的な例が本明細書に示される。
【０１９４】
[00208]  例えば、第１の手法は、Ｌ２またはＬ３のＶＰＮ（例えば、ＴＡＰまたは仮想イーサネット・アダプタ、ＴＵＮまたは仮想ポイント・ツー・ポイントのＩＰリンク等）を利用することを含む。例えば、ピコ／フェムトセルは、組み込み型のクライアントを有し、これにより、インターネット・バックホールを有する限り、セルラ・プロバイダのホーム・ネットワークにピコ／フェムトセルを接続するのを可能にする。この場合、当該接続はＭＡＰおよび車両ネットワークによって提供されることになる。この第１の手法は、例えば、他の手法よりも相対的に少ない管理で済むものの、また、相対的に大きなオーバーヘッドを有することになる。
【０１９５】
[00209]  実装態様例が図１１に提供される。図１１は、本開示の種々の態様による、通信技術例のブロック図を示す。通信技術例１１００（または方法）は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１０００、１２００、１３００、１４００および１５００と共有することができる。
【０１９６】
[00210]  例えば、セルラ電話機は、ＬＴＥを利用するピコ／フェムトセルとワイヤレスでパケットを通信する。次いで、ピコ／フェムトセル（またはＭＡＰ）はＬ２／Ｌ３のＶＰＮを利用して、車両ネットワークを通じて最終的にはセルラ・プロバイダにまでＬＴＥパケットを通信する。なお、本開示の種々の態様は、順方向および逆方向の両方の通信方向に適用されることに留意すべきである。
【０１９７】
[00211]  また、例えば、第２の手法は、Ｌ２またはＬ３トラフィックのカプセル化を利用することを含み、例えば、Ｌ３ルーティングを通じて、またはＬ２共有ドメインを通じての何れかで、セルラ・プロバイダ・ネットワークにトラフィックを直接転送するＮＣを含む。例えば、トラフィックは、ＭＡＰとＮＣとの間でカプセル化され、次いで、セルラ・プロバイダ・ネットワークにデリバリされる。この第２の手法例は、例えば、ＮＣ（複数可）とセルラ・プロバイダ（複数可）との間の専用接続を利用する。当該接続は、例えば、取得するのが比較的困難なことがあるが、最終的には、先に論じた第１の手法例よりも少ないオーバーヘッドの利用をもたらす結果となる。
【０１９８】
[00212]  実装態様例が図１２に提供される。図１２は、本開示の種々の態様による、通信技術例のブロック図を示す。通信技術例１２００（または方法）は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１０００、１１００、１３００、１４００および１５００と共有することができる。
【０１９９】
[00213]  例えば、セルラ電話機は、ＬＴＥを利用してピコ／フェムトセルとワイヤレスでパケットを通信する。次いで、ピコ／フェムトセル（またはＭＡＰ）は、（本明細書で論ずる）Ｌ２／Ｌ３カプセル化を利用して、車両ネットワークを通じて、また、最終的にはセルラ・プロバイダを通じて、ＬＴＥパケットを通信する。なお、本開示の種々の態様は、順方向および逆方向の両方の通信方向に適用されることに留意すべきである。
【０２００】
[00214]  別の実装形態例では、本開示の種々の態様により実装されるシステムおよび方法は、ＬＴＥ上でＤＳＲＣパケットを通信する。例えば、ＭＡＰ（またはＯＢＵ）は、オン・ボードまたは外部のセルラ無線機を有し、ＭＡＰ（またはＯＢＵ）によってセルラ・ネットワークを使用するのを可能にする。例えば、ＭＡＰがＤＳＲＣのＡＰ（例えば、ＦＡＰ、他のＭＡＰ等）のレンジ外にある場合、またはＤＳＲＣリンクが十分に安定していない場合に、ＭＡＰはセルラ・ネットワークをバックホールとして使用することができる。ＭＡＰ（または、その任意のコンポーネント、そこに通信可能に結合された任意のコンポーネント等）によって発生したトラフィックは、ＭＡＰによって提供されるＷｉ−Ｆｉサービスを使用するユーザによって発生したトラフィックと同様に、ＮＣに転送される。当該転送は、多様な手法のいずれかにおいて実行され、その非限定的な例が本明細書に提供される。
【０２０１】
[00215]  例えば、第１の手法は、Ｌ２またはＬ３（ＴＡＰまたはＴＵＮ）のＶＰＮを利用することを含む。例えば、ＭＡＰはＶＰＮクライアントを有する。ＶＰＮクライアントはＮＣを通じてＭＡＰが接続するのを可能にする一方で、セルラ・プロバイダにとっては、当該接続は通常のインターネット・トラフィックと見なされる。この手法例は、例えば、他の手法よりも相対的に少ない管理で済むものの、相対的に大きなオーバーヘッドをまた有することになる。
【０２０２】
[00216]  実装態様例が図１３に提供される。図１３は、本開示の種々の態様による、通信技術例のブロック図を示す。通信技術例１３００（または方法）は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１０００、１１００、１２００、１４００および１５００と共有することができる。
【０２０３】
[00217]  例えば、ラップトップ・コンピュータ（またはスマートフォン等）は、Ｗｉ−Ｆｉを利用してＭＡＰとワイヤレスでパケットを通信する。次いで、ＭＡＰは、Ｌ２／Ｌ３のＶＰＮを利用して、セルラ・ネットワークを通じて、最終的には車両ネットワーク・プロバイダまたはそのノードまで（例えば、ＮＣノード等に）ＤＳＲＣパケットを通信する。なお、本開示の種々の態様は、順方向および逆方向の両方の通信方向に適用されることに留意すべきである。
【０２０４】
[00218]  また、例えば、第２の手法は、Ｌ２またはＬ３のトラフィック・カプセル化を利用することを含み、例えば、セルラ・ネットワークを通じてトラフィックを転送することにより、ＮＣにトラフィックを直接転送するＭＡＰを含む。例えば、ＭＡＰとＮＣとがパブリックＩＰアドレスを有し、または、例えば、セルラ・プロバイダ・ネットワークはＮＣとの間でＬ２ドメインを共有する。その結果、ＮＣとＭＡＰとは、セルラ・ネットワークを通じて直接通信することができる。この第２の手法では、例えば、ＮＣ（複数可）とセルラ・プロバイダ（複数可）との間の専用接続、またはＭＡＰとＮＣとの両方のパブリックＩＰアドレスを利用する。当該接続および／またはアドレス指定は、例えば、取得するのが比較的難しいことがあるものの、最終的には、先に論じた第１の手法例よりも少ないオーバーヘッドを利用する結果となる。
【０２０５】
[00219]  実装態様例が図１４に提供される。図１４は、本開示の種々の態様による、通信技術例のブロック図を示す。通信技術例１２００（または方法）は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１０００、１１００、１３００、１４００および１５００と共有することができる。
【０２０６】
[00220]  例えば、ラップトップ・コンピュータ（またはスマートフォンなど）は、Ｗｉ−Ｆｉを利用してＭＡＰとワイヤレスでパケットを通信する。次いで、ＭＡＰは、（本明細書で論ずるように）Ｌ２／Ｌ３トンネリングを利用して、セルラ・ネットワークを通じて、最終的には車両ネットワーク・プロバイダまたはそのノードにまで（例えば、ＮＣノードに）ＤＳＲＣパケットを通信する。なお、本開示の種々の態様は、順方向および逆方向の両方の通信方向に適用されることに留意すべきである。
【０２０７】
[00221]  本明細書で説明するように、図８のノード例８００に戻ると、ネットワーク監視ノード８２０は、使用可能な通信技術を監視して、接続またはリンクについての現在の状態と品質（例えば、レイテンシ、ジッター、パケット損失等）、信号強度、使用可能なセルラ／ＬＴＥ基地局等を検出する。
【０２０８】
[00222]  本明細書で論ずるように、接続マネージャ・モジュール８３０は、例えば、本明細書で論ずる接続（または通信）の決定の任意または全てを行う。例えば、接続マネージャ・モジュール８３０は、標準技術（例えば、通常のＤＳＲＣまたはＬＴＥルーティング）をいつ使用し続けるべきか、バックアップ技術（例えば、ＬＴＥ上のＤＳＲＣのカプセル化または通信、ＤＳＲＣ上のＬＴＥのカプセル化または通信等）をいつ使用すべきか、および／またはデフォルト（または標準）の動作にいつ戻るべきかについて決定する。
【０２０９】
[00223]  接続マネージャ・モジュール８３０（または、ノード８００またはネットワークの他のモジュール）は、例えば、多様な状況のうちの何れか１つ以上において、ＤＳＲＣをカプセル化（または通信）してＬＴＥにする（または利用する）のを決定し、その非限定的な例が本明細に示される。例えば、接続マネージャ・モジュール８３０は、次の場合に、ＤＳＲＣをカプセル化（または通信）してＬＴＥにする（または利用する）のを決定する。つまり、近くにＤＳＲＣのＡＰがあるものの、キャパシティがすでに最大であることをＡＰが示す場合、近くにＤＳＲＣのＡＰがあるものの、ＡＰとの通信を試行するときに高いジッターおよび／またはパケット損失によって接続が不安定になる場合、ＤＳＲＣを通じて到達することができない車両が近くにあり、ノードがクリティカルなコンテンツを当該車両との間で共有する必要がある場合（例えば、安全上の警告等）、ノードが車隊全体にメッセージをブロードキャストしたい場合（例えば、安全上の警告等）、ＤＳＲＣにおいて使用可能なスループットよりも高く要求されるスループットでノードがデータを送ることを望むか必要とするものの、ノードが利用可能なＤＳＲＣとＬＴＥ接続との間でマルチ・ホームすることができる場合、エリア内にＤＳＲＣのＡＰがあるものの、ＡＰに送られたトラフィックが宛先に到達することができない場合等である。
【０２１０】
[00224]  また、例えば、接続マネージャ８３０（またはノード８００若しくはネットワークの他のモジュール）は、例えば、使用可能なＤＳＲＣのＡＰがあるときはいつでも、多様な状況のうちのいずれか１つ以上において、ＤＳＲＣ上の（またはこれを利用する）ＬＴＥをカプセル化（または通信）することを決定する。その非限定的な例が本明細書に示される。例えば、接続マネージャ・モジュール８３０は、次の場合に、ＤＳＲＣ上の（またはこれを利用する）ＬＴＥをカプセル化（または通信）するのを決定する。つまり、当該動作を要求する場所が指定される（例えば 、地理的エリアが、常に指定され、または使用可能な場合に当該動作を要求する任意の特定の時に指定される）場合、エリアにおいて使用可能な基地局のカバレッジが十分ではない場合、エリアにおいて使用可能な基地局のキャパシティが十分ではない場合、エリアにおいて使用可能な基地局によって提供されるセルラ接続が不安定である（高ジッター／レイテンシ／パケット損失）場合等である。当該ファクタは、車両セル（またはピコ／フェムトセル）をセルラ通信ネットワーク、車両通信ネットワーク、Ｗｉ−Ｆｉ通信ネットワーク等との間でハンドオーバすべきかについて決定するときに考慮される。
【０２１１】
[00225]  コンテキスト・モジュール８２５は、例えば、近くのコンテキスト（例えば、クラウド、近くのＡＰ、近くの車両等から取得される。）、ユーザまたは通信事業者からの技術嗜好の観点でのユーザの嗜好等を測定（またはこれらに関する情報を取得）する。コンテキスト・モジュール８２５は、例えば、実際にノードを通じて通信する当該ノードの数および使用可能な帯域幅について使用可能なＡＰに問い合わせを行い、前方の経路も評価するために、ネットワーク状態について周囲のＭＡＰに問い合わせを行い、所与のエリアにおけるネットワーク使用に関するユーザ／通信事業者の嗜好を識別する情報を、それが準拠できるようにクラウドまたは他のノードから受信する等を行う。
【０２１２】
[00226]  例えば、転送マネージャ・モジュール８３５は、本明細書に論ずるように、プロバイダの施設にトラフィックをデリバリするために、転送メカニズム（例えば、パケットのためのＶＰＮまたはＩＰトンネリングの利用および／または実装等）を実装する（または実施する）責務を担う。例えば、種々のシナリオ例では、転送マネージャ・モジュール８３５は、収集されたデータと、セルラ接続を通じてクラウド／ＮＣに送られるメッセージにマーキングする。その結果、当該データおよび／またはメッセージは、次いで、例えば近くにある２つの車両が無線機の輻輳または干渉のために尚も直接通信することができない場合に、ソース・ノードの特定の近隣に向けて転送することができ、情報のソースの近くにある全てのノードにブロードキャストすることができ（ＤＳＲＣリンクが圧倒されるので、これら警告メッセージは、セルラ接続を使用して特定のエリア内で共有することができる。）、そして、全てのノードにブロードキャストすることができる（例えば、壊滅的なイベントの場合に等）。
【０２１３】
[00227]  例示的な種々の例を提供してきたが、他の多くの例が存在する。例えば、利用可能な技術の任意または全てを使用した他の幾らかの例があり、ここでは、ＭＡＰ（またはＦＡＰ若しくは他のノード）が統合および転送のために所望のメカニズムを提供することができる。
【０２１４】
[00228]  当該例の１つに、Ｗｉ−Ｆｉ上のＤＳＲＣが含まれる。例えば、ＭＡＰ（またはＯＢＵ）を有する２つの車両が同一のＷｉ−ＦｉのＡＰの近くに駐車している場合、それら（またはそれぞれのＭＡＰ）は、Ｗｉ−Ｆｉを使用して、ＤＳＲＣからパケットをトランスポートすることができる。更に、Ｗｉ−Ｆｉバックホールを有するＦＡＰがある場合は、ＭＡＰがこのようなＦＡＰのレンジ内にあるときに、ＭＡＰとＦＡＰとは、ＤＳＲＣを使用して通信することができ、次いで、ＦＡＰはＷｉ−Ｆｉを通じて別のＦＡＰにパケットを転送する。
【０２１５】
[00229]  当該例の別のものは、Ｗｉ−Ｆｉ上のＬＴＥが含まれる。例えば、（例えば、ピコ／フェムトセルを含む）ＭＡＰを有する車両がＷｉ−ＦｉのＡＰの近くに停止／駐車するときに、ＭＡＰは、Ｗｉ−Ｆｉ接続を通じてピコ／フェムトセルからＬＴＥパケットを転送することができる。別のシナリオには、Ｗｉ−Ｆｉバックホール接続を通じてピコ／フェムトセルからのパケットを転送するピコ／フェムトセルを有するＦＡＰが含まれる。
【０２１６】
[00230]  追加の例には、ＤＳＲＣ上のＷｉ−Ｆｉが含まれる。例えば、ＭＡＰを有する車両がＷｉ−ＦｉプロバイダのＷｉ−Ｆｉカバレッジを拡大しているときに、ＭＡＰはＤＳＲＣ接続を通じてパケットを転送することができ、また、プロバイダの施設にパケットをデリバリすることができる。ＦＡＰがプロバイダからＷｉ−Ｆｉを提供する場合に、ＦＡＰは、有線バックホールが故障または過負荷となったときにＤＳＲＣを通じてＷｉ−Ｆｉパケットを近隣のＦＡＰにすることができる。
【０２１７】
[00231]  別の例には、ＬＴＥ上のＷｉ−Ｆｉが含まれる。例えば、（例えば、ピコ／フェムトセルを含む）ＭＡＰは、同一または異なるプロバイダからの１つ以上のＬＴＥ接続を通じて、ピコ／フェムトセルからパケットを転送することができる。ＭＡＰはまた、バックホール接続がなくなったとき、または、有線バックホールに何らかの故障／過負荷があったときに、Ｗｉ−Ｆｉネットワークからパケットを転送するためにＬＴＥ接続を有する。
【０２１８】
[00232]  更なる例は、ＬＴＥ上のＬＴＥが含まれる。例えば、（例えば、ピコ／フェムトセルを含む）ＭＡＰは、同一のプロバイダのＬＴＥ接続を通じて、ピコ／フェムトセルに接続されたユーザからパケットを転送することができ、例えば、階層型アプローチを利用する管理および干渉を改善することができる。また、ＭＡＰは、他のセルラ・プロバイダが有する１つ以上のＬＴＥ接続を通じて、ピコ／フェムトセルからのトラフィックを転送することができ、例えば、輻輳やデッド・ゾーンを解消することができる。
【０２１９】
[00233]  本明細書に説明するように、本開示の範囲は、本明細書で示される特定の例のうち任意の特徴によって限定されてはならない。
【０２２０】
[00234]  図１５は、本開示の様々な態様による、通信のための方法例のフロー図を示す。方法例１５００は、例えば、任意のまたは全ての特性を、本明細書において論ずる、他の例示の方法、方法ステップ、ノード、ノード・コンポーネント、ネットワーク、および／またはネットワーク・コンポーネント１００、２００、３００、４００、５００〜５７０、６００、７００、８００、９００、１０００、１１００、１２００、１３００、１４００および１５００と共有することができる。
【０２２１】
[00235]  方法例１５００は、例えば、ブロック１５２０で、コンテキスト情報を収集することを含む。ブロック１５２０は、例えば、任意のまたは全ての機能上の特性を、本明細書で論ずるネットワーク・モニタ・モジュール８２０と共有する。ブロック１５２０は、例えば、本明細書で論ずる任意のまたは全てのコンテキスト情報を収集することを含む。
【０２２２】
[00236]  方法例１５００は、例えば、ブロック１５２５で、コンテキスト情報を格納および／または管理することを含む。ブロック１５２５は、例えば、任意のまたは全ての機能上の特性を、本明細書で論ずるコンテキスト・モジュール８２５と共有する。ブロック１５２５は、例えば、本明細書で論ずる任意のまたは全てのコンテキスト情報を格納および／または管理する（例えば、受信、アクセス可能にする等）ことを含む。
【０２２３】
[00237]  方法例１５００は、例えば、ブロック１５３０で、通信戦略を決定することを含む。ブロック１５３０は、例えば、任意のまたは全ての機能上の特性を、本明細書で論ずる接続マネージャ・モジュール８３５と共有する。ブロック１５３０は、例えば、本明細書で論ずる任意のまたは全ての通信（例えば、カプセル化、仮想プライベート・ネットワーク、トンネリング等）が実行される手法を決定することを含む。
【０２２４】
[00238]  方法例１５００は、例えば、ブロック１５３５で、通信戦略を決定することを含む。ブロック１５３５は、例えば、任意のまたは全ての機能上の特性を、本明細書で論ずる転送マネージャ・モジュール８３５と共有する。ブロック１５３５は、例えば、ブロック１５３０で特定される通信戦略を実装する（または実施する）ことを含む。
【０２２５】
[00239]  本開示の種々の態様により実装されるシステムおよび方法は、多くの利点を供する。例えば、使用可能な通信技術を組み合わせる（またはフレキシブルに集約する）ことによって、それぞれが有する幾らかの制限を解消することが可能であり、Ｗｉ−Ｆｉを通じてインターネットにアクセスするときだけでなく、通常のセルラ電話呼を行うときにおいても、（例えば、ＭＡＰ内の）車両およびＦＡＰ上で既に配備されているシステムをレバレッジして、エンド・ユーザのＱｏＥ全体を改善する。接続およびトランスポートを第３の技術に提供するのに使用可能な技術を利用することは、ワイヤレス・メディア・アクセスおよびネットワーク・インスラストラクチャに関するより良好なリソース管理を提供する。また、それらの間のフォールト・バックとして使用可能な技術の全てを利用することは、保守を容易にするとともに、ネットワークの管理を改善する。
【０２２６】
[00240]  産業は５Ｇ通信より先に前進しているので、使用可能な全ての異種ネットワークを統合することが益々重要になると共に、価値があることになる。つまり、時の経過とともに、より一層多くのアクセス・ネットワーク技術が存在することになり、本明細書で提供されるシステムおよび方法は、このような技術を使用する結果、他のものの制限を解消することができるようになる。例えば、このようなシステムおよび方法は、ＬＴＥユーザからパケットをトランスポートするためにＤＳＲＣまたはＷｉ−Ｆｉを使用したり、Ｗｉ−ＦｉまたはＤＳＲＣユーザからパケットをトランスポートするためにＬＴＥを使用したりするように、１つの使用可能な技術を利用して、他のもののパケットをトランスポートすることができる。
【０２２７】
[00241]  とりわけ、本明細書で提供されるシステムおよび方法は、通信事業者によって有利に利用されて、例えばＤＳＲＣ（例えば、車両メッシュを通じたＬＴＥ）を通じて、他の使用可能なスペクトル（例えば、免許不要スペクトル等）でＬＴＥパケットを全体的または部分的にカプセル化（または通信）することによって、および／または実質的にオーバーヘッドを付加することなくトラフィックを受信／カプセル化解除することによって、ＬＴＥ技術のギャップを埋めることができる。
【０２２８】
[00242]  本開示の種々の態様によれば、本明細書において紹介したネットワークおよび／またはそのコンポーネントは、"Communication Network of Moving Things"（移動物体の通信ネットワーク）と題し、２０１５年９月２２日に出願された米国仮特許出願第６２／２２２，１９２号において示されている。この特許出願をここで引用したことにより、その内容全体が本願にも含まれるものとする。
【０２２９】
[00243]  本開示の種々の態様によれば、本明細書において紹介したネットワークおよび／またはそのコンポーネントには、このようなネットワークおよび／またはコンポーネントを他のネットワークおよびシステムと統合するシステムおよび方法が提供され、その非限定的な例が、”Integrated Communication Network for A Network of Moving Things"（移動物体のネットワークのための統合通信ネットワーク）と題し、２０１５年９月２２日に出願された米国仮特許出願第６２／２２１，９９７号に示されている(provide)。この特許出願をここで引用したことにより、その内容全体が本願にも含まれるものとする。
【０２３０】
[00244]  また、本開示の種々の態様によれば、本明細書において紹介したネットワークおよび／またはそのコンポーネントには、このようなネットワークおよび／またはコンポーネントを同期させるシステムおよび方法が提供され、その非限定的な例が、"Systems and Methods for Synchronizing a Network of Moving Things"（移動物体のネットワークを同期させるシステムおよび方法）と題し、２０１５年９月２２に出願された米国仮特許出願第６２／２２２，０１６号に示されている。この特許出願をここで引用したことにより、その内容全体が本願にも含まれるものとする。
【０２３１】
[00245]  加えて、本開示の種々の態様によれば、本明細書において紹介したネットワークおよび／またはそのコンポーネントには、このようなネットワークおよび／またはコンポーネントを管理するシステムおよび方法が提供され、その非限定的な例が、"Systems and Methods for Managing a Network of Moving Things"（移動物体のネットワークを管理するシステムおよび方法）と題し、２０１５年９月２２日に出願された米国仮特許出願第６２／２２２，０４２号に示されている。この特許出願をここで引用したことにより、その内容全体が本願にも含まれるものとする。
【０２３２】
[00246]  更に、本開示の種々の態様によれば、本明細書において紹介したネットワークおよび／またはそのコンポーネントには、このようなネットワークおよび／またはコンポーネントを監視するシステムおよび方法が提供され、その非限定的な例が、"Systems and Methods for Monitoring a Network of Moving Things"（移動物体のネットワークを監視するシステムおよび方法）と題し、２０１５年９月２２に出願された米国仮特許出願第６２／２２２，０６６号に示されている。この特許出願をここで引用したことにより、その内容全体が本願にも含まれるものとする。
【０２３３】
[00247]  更にまた、本開示の種々の態様によれば、本明細書において紹介したネットワークおよび／またはそのコンポーネントには、このようなネットワークおよび／またはコンポーネントにおいて異常を検出および／または分類するシステムおよび方法が提供され、その非限定的な例が、"Systems and Methods for Detecting and Classifying Anomalies in a Network of Moving Things"（移動物体のネットワークにおいて異常を検出し分類するシステムおよび方法）と題し、２０１５年９月２２に出願された米国仮特許出願第６２／２２２，０７７号に示されている。この特許出願をここで引用したことにより、その内容全体が本願にも含まれるものとする。
【０２３４】
[00248]  更にまた、本開示の種々の態様によれば、本明細書において紹介したネットワークおよび／またはそのコンポーネントには、このようなネットワークおよび／またはコンポーネントにおいてモビリティを管理するシステムおよび方法が提供され、その非限定的な例が、"Systems and Methods for Managing Mobility in a Network of Moving Things"（移動物体のネットワークにおいてモビリティを管理するシステムおよび方法）と題し、２０１５年９月２２に出願された米国仮特許出願第６２／２２２，０９８号に示されている。この特許出願をここで引用したことにより、その内容全体が本願にも含まれるものとする。
【０２３５】
[00249]  また、本開示の種々の態様によれば、本明細書において紹介したネットワークおよび／またはそのコンポーネントには、このようなネットワークおよび／またはコンポーネントにおいて接続(connectivity)を管理するシステムおよび方法が提供され、その非限定的な例が、"Systems and Methods for Managing Connectivity a Network of Moving Things"（移動物体のネットワークにおける接続を管理するシステムおよび方法）と題し、２０１５年９月２２に出願された米国仮特許出願第６２／２２２，１２１号に示されている。この特許出願をここで引用したことにより、その内容全体が本願にも含まれるものとする。
【０２３６】
[00250]  加えて、本開示の種々の態様によれば、本明細書において紹介したネットワークおよび／またはそのコンポーネントには、このようなネットワークおよび／またはコンポーネントにおいてセンサ・データを収集するシステムおよび方法が提供され、その非限定的な例が、"Systems and Methods for Collecting Sensor Data in a Network of Moving Things"（移動物体のネットワークにおいてセンサ・データを収集するシステムおよび方法）と題し、２０１５年９月２２日に出願された米国仮特許出願第６２／２２２，１３５号に示されている。この特許出願をここで引用したことにより、その内容全体が本願にも含まれるものとする。
【０２３７】
[00251]  更に、本開示の種々の態様によれば、本明細書において紹介したネットワークおよび／またはそのコンポーネントには、このようなネットワークおよび／またはコンポーネントとインタフェースするシステムおよび方法が提供され、その非限定的な例が、"Systems and Methods for Interfacing with a Network of Moving Things"（移動物体のネットワークとインタフェースするシステムおよび方法）と題し、２０１５年９月２２日に出願された米国仮特許出願第６２／２２２，１４５号に示されている。この特許出願をここで引用したことにより、その内容全体が本願にも含まれるものとする。
【０２３８】
[00252]  更にまた、本開示の種々の態様によれば、本明細書において紹介したネットワークおよび／またはそのコンポーネントには、このようなネットワークおよび／またはコンポーネントのユーザとインタフェースするシステムおよび方法が提供され、その非限定的な例が、"Systems and Methods for Interfacing with a User of a Network of Moving Things"（移動物体のネットワークのユーザとインタフェースするシステムおよび方法）と題し、２０１５年９月２２日に出願された米国仮特許出願第６２／２２２，１５０号に示されている。この特許出願をここで引用したことにより、その内容全体が本願にも含まれるものとする。
【０２３９】
[00253]  更にまた、本開示の種々の態様によれば、本明細書において紹介したネットワークおよび／またはそのコンポーネントには、このようなネットワークおよび／またはコンポーネントにおけるデータ格納および処理システムおよび方法が提供され、その非限定的な例が、"Systems and Methods for Data Storage and Processing for a Network of Moving Things"（移動物体のネットワーク用のデータ記憶および処理システムおよび方法）と題し、２０１５年９月２２日に出願に出願された米国仮特許出願第６２／２２２，１６８号に示されている。この特許出願をここで引用したことにより、その内容全体が本願にも含まれるものとする。
【０２４０】
[00254]  また、本開示の種々の態様によれば、本明細書において紹介したネットワークおよび／またはそのコンポーネントには、このようなネットワークおよび／またはコンポーネントにおける車両交通管理システムおよび方法が提供され、その非限定的な例が、"Systems and Methods for Vehicle Traffic Management in a Network of Moving Things"（移動物体のネットワークにおける車両交通管理システムおよび方法）と題し、２０１５年９月２２日に出願された米国仮特許出願第６２／２２２，１８３号に示されている。この特許出願をここで引用したことにより、その内容全体が本願にも含まれるものとする。
【０２４１】
[00255]  加えて、本開示の種々の態様によれば、本明細書において紹介したネットワークおよび／またはそのコンポーネントには、このようなネットワークおよび／またはコンポーネントにおける環境管理システムおよび方法が提供され、その非限定的な例が、"Systems and Methods for Environmental Management in a Network of Moving Things"（移動物体のネットワークにおける環境管理システムおよび方法）と題し、２０１５年９月２２日に出願された米国仮特許出願第６２／２２２，１８６号に示されている。この特許出願をここで引用したことにより、その内容全体が本願にも含まれるものとする。
【０２４２】
[00256]  更に、本開示の種々の態様によれば、本明細書において紹介したネットワークおよび／またはそのコンポーネントには、このようなネットワークおよび／またはコンポーネントにおいて湾港または出荷作業を管理するシステムおよび方法が提供され、その非限定的な例が、"Systems and Methods for Port Management in a Network of Moving Things"（移動物体のネットワークにおけるポート管理システムおよび方法）と題し、２０１５年９月２２日に出願に出願された米国仮特許出願第６２／２２２，１９０号に示されている。この特許出願をここで引用したことにより、その内容全体が本願にも含まれるものとする。
【０２４３】
[00257]  また、開示の種々の態様によれば、本明細書において紹介したネットワークおよび／またはそのコンポーネントには、少なくとも部分的に履歴データに基づいて測位または位置情報の精度を高めるシステムおよび方法が提供され、その非限定的な例が、"Utilizing Historical Data to Correct GPS Data in a Network of Moving Things"（移動物体のネットワークにおいてＧＰＳデータを補正するための履歴データの利用）と題し、２０１５年１０月２２日に出願された米国仮特許出願第６２／２４４，８２８号に示されている。この特許出願をここで引用したことにより、その内容全体が本願にも含まれるものとする。
【０２４４】
[00258]  加えて、本開示の種々の態様によれば、本明細書において紹介したネットワークおよび／またはそのコンポーネントには、少なくとも部分的にアンカの利用に基づいて測位または位置情報の位置(position or location)の精度を高めるシステムおよび方法が提供され、その非限定的な例が、"Using Anchors to Correct GPS Data in a Network of Moving Things"（移動物体のネットワークにおいてＧＰＳデータを補正するためのアンカの使用）と題し、２０１５年１０月２２日に出願された米国仮特許出願第６２／２４４，９３０号に示されている。この特許出願をここで引用したことにより、その内容全体が本願にも含まれるものとする。
【０２４５】
[00259]  更に、本開示の種々の態様によれば、本明細書において紹介したネットワークおよび／またはそのコンポーネントには、アプリケーション間で通信を行うシステムおよび方法が提供され、その非限定的な例が、"Systems and Methods for Inter-Application Communication in a Network of Moving Things"（移動物体のネットワークにおけるアプリケーション間通信システムおよび方法）と題し、２０１５年１０月２６日に出願された米国仮特許出願第６２／２４６，３６８号に示されている。この特許出願をここで引用したことにより、その内容全体が本願にも含まれるものとする。
【０２４６】
[00260]  更にまた、開示の種々の態様によれば、本明細書において紹介したネットワークおよび／またはそのコンポーネントには、通信を精査し、分析し、および／または有効性を判断するシステムおよび方法が提供され、その非限定的な例が、"Systems and Methods for Probing and Validating Communication in a Network of Moving Things"（移動物体のネットワークにおいて通信を精査し有効性を確認するシステムおよび方法）と題し、２０１５年１０月２６日に出願された米国仮特許出願第６２／２４６，３７２号に示されている。この特許出願をここで引用したことにより、その内容全体が本願にも含まれるものとする。
【０２４７】
[00261]  更にまた、本開示の種々の態様によれば、本明細書において紹介したネットワークおよび／またはそのコンポーネントには、通信速度を適応させるシステムおよび方法が提供され、その非限定的な例が、"Adaptive Rate Control for Vehicular Networks"（車両用ネットワークの適応速度制御）と題し、２０１５年１１月４日に出願された米国仮特許出願第６２／２５０，５４４号に示されている。この特許出願をここで引用したことにより、その内容全体が本願にも含まれるものとする。
【０２４８】
[00262]  また、本開示の種々の態様によれば、本明細書において紹介したネットワークおよび／またはそのコンポーネントには、ハードウェアを再構成および適応させるシステムおよび方法が提供され、その非限定的な例が、"Systems and Methods for Reconfiguring and Adapting Hardware in a Network of Moving Things"（移動物体のネットワークにおいてハードウェアを再構成し適応させるシステムおよび方法）と題し、２０１５年１２月３１日に出願された米国仮特許出願第６２／２７３，８７８号に示されている。この特許出願をここで引用したことにより、その内容全体が本願にも含まれるものとする。
【０２４９】
[00263]  加えて、本開示の種々の態様によれば、本明細書において紹介したネットワークおよび／またはそのコンポーネントには、データの収集を最適化するシステムおよび方法が提供され、その非限定的な例が、"Systems and Methods for Optimizing Data Gathering in a Network of Moving Things"（移動物体のネットワークにおいてデータ収集を最適化するシステムおよび方法）と題し、２０１５年１１月１０日に出願された米国仮特許出願第６２／２５３，２４９号に示されている。この特許出願をここで引用したことにより、その内容全体が本願にも含まれるものとする。
【０２５０】
[00264]  更に、本開示の種々の態様によれば、本明細書において紹介したネットワークおよび／またはそのコンポーネントには、遅延耐性ネットワーキングを実行するシステムおよび方法が提供され、その非限定的な例が、"Systems and Methods for Delay Tolerant Networking in a Network of Moving Things"（移動物体のネットワークにおける遅延耐性ネットワーキング・システムおよび方法）と題し、２０１５年１１月１９日に出願された米国仮特許出願第６２／２５７，４２１号に示されている。この特許出願をここで引用したことにより、その内容全体が本願にも含まれるものとする。
【０２５１】
[00265]  更にまた、本開示の種々の態様によれば、本明細書において紹介したネットワークおよび／またはそのコンポーネントには、モバイル・アクセス・ポイントのカバレッジおよびスループットを改善するシステムおよび方法が提供され、その非限定的な例が、"Systems and Methods for Improving Coverage and Throughput of Mobile Access Points in a Network of Moving Things"（移動物体のネットワークにおいてモバイル・アクセス・ポイントのカバレッジおよびスループットを改善するシステムならびに方法）と題し、２０１５年１２月９日に出願された米国仮特許出願第６２／２６５，２６７号に示されている。この特許出願をここで引用したことにより、その内容全体が本願にも含まれるものとする。
【０２５２】
[00266]  更にまた、本開示の種々の態様によれば、本明細書において紹介したネットワークおよび／またはそのコンポーネントには、チャネル利用を調整するシステムおよび方法が提供され、その非限定的な例が、"Channel Coordination in a Network of Moving Things"（移動物体のネットワークにおけるチャネル調整）と題し、２０１５年１２月２２日に出願された米国仮特許出願第６２／２７０，８５８号に示されている。この特許出願をここで引用したことにより、その内容全体が本願にも含まれるものとする。
【０２５３】
[00267]  また、本開示の種々の態様によれば、本明細書において紹介したネットワークおよび／またはそのコンポーネントには、移動物体のネットワークにおいてネットワーク・コード化メッシュ・ネットワークを実現するシステムおよび方法が提供され、その非限定的な例が、"Systems and Methods for Network Coded Mesh Networking in a Network of Moving Things"（移動物体のネットワークにおけるネットワーク・コード化メッシュ・ネットワーキング・システムおよび方法）と題し、２０１５年１１月２０日に出願された米国仮特許出願第６２／２５７，８５４号に示されている。この特許出願をここで引用したことにより、その内容全体が本願にも含まれるものとする。
【０２５４】
[00268]  加えて、本開示の種々の態様によれば、本明細書において紹介したネットワークおよび／またはそのコンポーネントには、固定アクセス・ポイントのカバレッジを改善するシステムおよび方法が提供され、その非限定的な例が、"Systems and Methods for Improving Fixed Access Point Coverage in a Network of Moving Things"（移動物体のネットワークにおいて固定アクセス・ポイント・カバレッジを改善するシステムおよび方法）と題し、２０１５年１１月３０日に出願された米国仮特許出願第６２／２６０，７４９号に示されている。この特許出願をここで引用したことにより、その内容全体が本願にも含まれるものとする。
【０２５５】
[00269]  更に、本開示の種々の態様によれば、本明細書において紹介したネットワークおよび／またはそのコンポーネントには、モビリティ・コントローラおよびそのネットワーク相互作用を管理するシステムおよび方法を提供され、その非限定的な例が、"Systems and Methods for Managing Mobility Controllers and Their Network Interactions in a Network of Moving Things"（移動物体のネットワークにおいてモビリティ・コントローラおよびそれらのネットワーク相互作用を管理するシステムならびに方法）と題し、２０１５年１２月３１日に出願された米国仮特許出願第６２／２７３，７１５号に示されている。この特許出願をここで引用したことにより、その内容全体が本願にも含まれるものとする。
【０２５６】
[00270]  更にまた、本開示の種々の態様によれば、本明細書において紹介したネットワークおよび／またはそのコンポーネントには、モバイル・アクセス・ポイントのハンドオーバを管理および／またはトリガするシステムおよび方法が提供され、その非限定的な例が、"Systems and Methods for Managing and Triggering Handovers of Mobile Access Points in a Network of Moving Things"（移動物体のネットワークにおけるモバイル・アクセス・ポイントのハンドオーバを管理およびトリガするシステムならびに方法）と題し、２０１６年１月２１に出願された米国仮特許出願第６２／２８１，４３２号に示されている。この特許出願をここで引用したことにより、その内容全体が本願にも含まれるものとする。
【０２５７】
[00271]  更にまた、本開示の種々の態様によれば、本明細書において紹介したネットワークおよび／またはそのコンポーネントには、キャプティブ・ポータル関連制御および管理を実行するシステムおよび方法が提供され、その非限定的な例が、"Captive Portal-related Control and Management in a Network of Moving Things"（移動物体のネットワークにおけるキャプティブ・ポータル関連制御および管理）と題し、２０１５年１２月１６日に出願された米国仮特許出願第６２／２６８，１８８号に示されている。この特許出願をここで引用したことにより、その内容全体が本願にも含まれるものとする。
【０２５８】
[00272]  また、本開示の種々の態様によれば、本明細書において紹介したネットワークおよび／またはそのコンポーネントには、高価値データを推定するシステムおよび方法が提供され、その非限定的な例が、"Systems and Methods to Extrapolate High-Value Data from a Network of Moving Things"（移動物体のネットワークからの高価値データを推定するシステムおよび方法）と題し、２０１５年１２月２２日に出願された米国仮特許出願第６２／２７０，６７８号に示されている。この特許出願をここで引用したことにより、その内容全体が本願にも含まれるものとする。
【０２５９】
[00273]  加えて、本開示の種々の態様によれば、本明細書において紹介したネットワークおよび／またはそのコンポーネントには、遠隔ソフトウェア更新および流通を行うシステムおよび方法が提供され、その非限定的な例が、"Systems and Methods for Remote Software Update and Distribution in a Network of Moving Things"（移動物体のネットワークにおけるリモート・ソフトウェア更新および流通システムならびに方法）と題し、２０１５年１２月３０日に出願された米国仮特許出願第６２／２７２，７５０号に示されている。この特許出願をここで引用したことにより、その内容全体が本願にも含まれるものとする。
【０２６０】
[00274]  更に、本開示の種々の態様によれば、本明細書において紹介したネットワークおよび／またはそのコンポーネントには、遠隔構成更新および流通を行うシステムおよび方法が提供され、その非限定的な例が、"Systems and Methods for Remote Configuration Update and Distribution in a Network of Moving Things"（移動物体のネットワークにおけるリモート構成更新および流通システムならびに方法）と題し、２０１６年１月１４日に出願された米国仮特許出願第６２／２７８，６６２号に示されている。この特許出願をここで引用したことにより、その内容全体が本願にも含まれるものとする。
【０２６１】
[00275]  更にまた、本開示の種々の態様によれば、本明細書において紹介したネットワークおよび／またはそのコンポーネントには、ユーザ・フィードバックに基づいて、例えば自動的に、ネットワークを適応させるシステムおよび方法が提供され、その非限定的な例が、"Systems and Methods for Adapting a Network of Moving Things Based on User Feedback"（ユーザ・フィードバックに基づいて移動物体のネットワークを適応させるシステムおよび方法）と題し、２０１６年１月２２日に出願された米国仮特許出願第６２／２８６，２４３号に示されている。この特許出願をここで引用したことにより、その内容全体が本願にも含まれるものとする。
【０２６２】
[00276]  更にまた、本開示の種々の態様によれば、本明細書において紹介したネットワークおよび／またはそのコンポーネントには、データ分析を構築または実行するときにデータの完全性を高めるおよび／または保証するシステムおよび方法が提供され、その非限定的な例が、"Systems and Methods to Guarantee Data Integrity When Building Data Analytics in a Network of Moving Things"（移動物体のネットワークにおいてデータ分析を構築するときにデータの完全性を保証するシステムおよび方法）と題し、２０１６年１月１４日付けの米国仮特許出願第６２／２７８，７６４号に示されている。この特許出願をここで引用したことにより、その内容全体が本願にも含まれるものとする。
【０２６３】
[00277]  また、本開示の種々の態様によれば、本明細書において紹介したネットワークおよび／またはそのコンポーネントには、モバイル・アクセス・ポイントの自己初期化および／または自動ブートストラップを実行するシステムおよび方法が提供され、その非限定的な例が、"Systems and Methods for Self-Initialization and Automated Bootstrapping of Mobile Access Points in a Network of Moving Things"（移動物体のネットワークにおけるモバイル・アクセス・ポイントの自己初期化および自動ブートストラップを行うシステムならびに方法）と題し、２０１６年１月２５日に出願された米国仮特許出願第６２／２８６，５１５号に示されている。この特許出願をここで引用したことにより、その内容全体が本願にも含まれるものとする。
【０２６４】
[00278]  加えて、本開示の種々の態様によれば、本明細書において紹介したネットワークおよび／またはそのコンポーネントには、電力供給および／または利用を管理するシステムおよび方法が提供され、その非限定的な例が、"Systems and Methods for Power Management in a Network of Moving Things"（移動物体のネットワークにおける電力管理システムおよび方法）と題し、２０１６年２月１６日に出願された米国仮特許出願第６２／２９５，６０２号に示されている。この特許出願をここで引用したことにより、その内容全体が本願にも含まれるものとする。
【０２６５】
[00279]  更に、本開示の種々の態様によれば、本明細書において紹介したネットワークおよび／またはそのコンポーネントには、インフラストラクチャの設置および設定を自動化および簡易化するシステムおよび方法が提供され、その非限定的な例が、"Systems and Methods for Automating and Easing the Installation and Setup of the Infrastructure Supporting a Network of Moving Things"（移動物体のネットワークをサポートするインフラストラクチャの設置および設定を自動化および易化するためのシステムおよび方法）と題し、２０１６年２月２４日に出願された米国仮特許出願第６２／２９９，２６９号に示されている。この特許出願をここで引用したことにより、その内容全体が本願にも含まれるものとする。
【０２６６】
[00280]  要約すると、本開示の種々の態様は、例えば自律型車両のネットワークを含む移動物体のネットワークにおいて、複数の通信技術の可用性を統合および活用するためのシステムおよび方法を提供する。非限定的な例として、本開示の種々の態様は、リアル・タイムのコンテキストに少なくとも部分的に基づいて、使用可能な１つ以上の通信経路のフレキシブルな利用を車両ネットワーク内のノードに提供する。以上では、特定の態様および例を参照しながら説明したが、本開示の範囲から逸脱することなく、種々の変更を行うことができ、均等物と交換できることは、当業者には理解されよう。加えて、特定の状況または材料を本開示の教示に、その範囲から逸脱することなく、適応させるために、多くの変更を行うこともできる。したがって、本開示は、開示した特定の例（複数可）に限定されるのではなく、本開示は、添付する請求項の範囲内に該当する全ての例を含むことを意図している。
【図１】
2020509705.tif 000003
【図２】
2020509705.tif 000004
【図３】
2020509705.tif 000005
【図４】
2020509705.tif 000006
【図５Ａ】
2020509705.tif 000007
【図５Ｂ】
2020509705.tif 000008
【図５Ｃ】
2020509705.tif 000009
【図６】
2020509705.tif 000010
【図７】
2020509705.tif 000011
【図８】
2020509705.tif 000012
【図９】
2020509705.tif 000013
【図１０】
2020509705.tif 000014
【図１１】
2020509705.tif 000015
【図１２】
2020509705.tif 000016
【図１３】
2020509705.tif 000017
【図１４】
2020509705.tif 000018
【図１５】
2020509705.tif 000019
【国際調査報告】
2020509705.tif 000020
2020509705.tif 000021